(57)【要約】      （修正有）【課題】チャネル状態情報を送信する方法、アクセスポイント（ＡＰ）、およびステーション（ＳＴＡ）において、いくつかのステーションがフィードバックを即座に実行できない時に生じるリソース浪費を回避し、チャネル状態情報送信効率を改善する。【解決手段】方法は、ＳＴＡによって、ＡＰが送信したフィードバック指示メッセージ、高効率長トレーニングシーケンス、及びリソーススケジューリングメッセージを受信するステップと、ＳＴＡがターゲットＳＴＡに属すると判定される時に、リソーススケジューリングメッセージによって指示される通信リソースを使用して肯定応答メッセージをＡＰにフィードバックするステップとを含む。フィードバック指示メッセージは、チャネル状態情報をＡＰにフィードバックする必要がある少なくとも２つのターゲットＳＴＡの指示に使用され、高効率長トレーニングシーケンスは、ＳＴＡのチャネル状態情報の判定に使用される。【選択図】図１Ｂ
2019193296.tif 000002
【特許請求の範囲】
【請求項１】
ステーションＳＴＡによって、アクセスポイントＡＰによって送られたフィードバック指示メッセージ、高効率長トレーニングシーケンス、および第１のリソーススケジューリングメッセージを受信するステップであって、前記フィードバック指示メッセージは、チャネル状態情報を前記ＡＰにフィードバックする必要がある少なくとも２つのターゲットＳＴＡを指示するのに使用され、前記高効率長トレーニングシーケンスは、前記ＳＴＡの第１のチャネル状態情報を判定するのに使用され、前記第１のリソーススケジューリングメッセージは、前記ＳＴＡが前記フィードバック指示メッセージ、前記高効率長トレーニングシーケンス、および前記第１のリソーススケジューリングメッセージに応答してフィードバックを実行する時に前記ＳＴＡによって使用される第１の通信リソースを指示するのに使用される、受信するステップと、
前記ＳＴＡが、前記フィードバック指示メッセージを解析し、前記ＳＴＡが前記ターゲットＳＴＡに属すると判定する時に、前記ＳＴＡによって、前記第１の通信リソースを使用することによって肯定応答メッセージを前記ＡＰに送るステップであって、前記肯定応答メッセージは、前記フィードバック指示メッセージ、前記高効率長トレーニングシーケンス、および前記第１のリソーススケジューリングメッセージが受信されたことを指示するのに使用される、送るステップと
を備える、チャネル状態情報を送信する方法。
【請求項２】
前記ＳＴＡによって、前記第１の通信リソースを使用することによって前記ＡＰに肯定応答メッセージを送る前記ステップは、前記ＳＴＡが、前記第１のチャネル状態情報を即座にはフィードバックできない時に、前記フィードバック指示メッセージ、前記高効率長トレーニングシーケンス、および前記第１のリソーススケジューリングメッセージを受信してからＸインターフレームスペースＸＩＦＳ後に、前記ＳＴＡによって、前記第１の通信リソースを使用することによって前記ＡＰに前記肯定応答メッセージを送るステップを備える請求項１に記載の方法。
【請求項３】
前記方法は、前記ＳＴＡによって、前記高効率長トレーニングシーケンスに従って前記第１のチャネル状態情報を判定するステップをさらに備える請求項２に記載の方法。
【請求項４】
前記方法は、
前記ＳＴＡによって、前記ＡＰによって送られた第２のリソーススケジューリングメッセージを受信するステップであって、前記第２のリソーススケジューリングメッセージは、前記ＳＴＡが第２のチャネル状態情報をフィードバックする時に前記ＳＴＡによって使用される第２の通信リソースを指示するのに使用される、受信するステップと、
前記ＳＴＡによって、前記第２の通信リソースを使用することによって前記第２のチャネル状態情報を前記ＡＰに送るステップであって、前記第２のチャネル状態情報は、前記第１のチャネル状態情報の一部またはすべてである、送るステップと
をさらに備える請求項２または３に記載の方法。
【請求項５】
前記方法は、
前記ＳＴＡによって、前記ＡＰによって送られる第１のポーリングスケジューリングメッセージおよび第３のリソーススケジューリングメッセージを受信するステップであって、前記第１のポーリングスケジューリングメッセージは、前記ＳＴＡに第３のチャネル状態情報を要求するために前記ＡＰによって使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第３のリソーススケジューリングメッセージは、前記ＳＴＡが前記第３のチャネル状態情報をフィードバックする時に前記ＳＴＡによって使用される第３の通信リソースを指示するのに使用される、受信するステップと、
前記ＳＴＡによって、前記第３の通信リソースを使用することによって前記第３のチャネル状態情報を前記ＡＰに送るステップと
をさらに備える請求項４に記載の方法。
【請求項６】
前記第１のポーリングスケジューリングメッセージおよび前記第３のリソーススケジューリングメッセージは、同一のデータパケット内で運ばれる請求項５に記載の方法。
【請求項７】
前記第１のポーリングスケジューリングメッセージおよび前記第３のリソーススケジューリングメッセージは、同一のデータパケットのトリガフレーム内で運ばれ、
前記トリガフレームは、第１のビームフォーミングレポートポールタイプ指示フィールドおよび第１のフィードバックセグメント再送信ビットマップフィールドを備え、前記トリガフレームは、第１のリソース割振り情報フィールドまたは第１のリソース割振り再利用指示フィールドのうちの少なくとも１つをさらに備え、前記第３のリソーススケジューリングメッセージは、前記第１のリソース割振り情報フィールド内に配置され、前記第１のポーリングスケジューリングメッセージは、前記第１のフィードバックセグメント再送信ビットマップフィールド内に配置され、前記第１のリソース割振り再利用指示フィールドは、前記第３のリソーススケジューリングメッセージが前記第２のリソーススケジューリングメッセージと同一であるかどうかを指示するのに使用される
請求項６に記載の方法。
【請求項８】
前記トリガフレームは、前記ターゲットＳＴＡの識別子フィールドをさらに備える請求項７に記載の方法。
【請求項９】
前記第１のポーリングスケジューリングメッセージおよび前記第３のリソーススケジューリングメッセージは、同一のデータパケットのビームフォーミングレポートポールＢＦレポートポールフレーム内で運ばれ、前記ＢＦレポートポールフレームは、受信器アドレスフィールド、第２のフィードバックセグメント再送信ビットマップフィールド、および第３のフィードバックセグメント再送信ビットマップフィールドを備え得、前記ＢＦレポートポールフレームは、第２のリソース割振り情報フィールドまたは第２のリソース割振り再利用指示フィールドのうちの少なくとも１つをさらに備え得、前記第３のリソーススケジューリングメッセージは、前記第２のリソース割振り情報フィールド内に配置され、前記第１のポーリングスケジューリングメッセージは、前記第３のフィードバックセグメント再送信ビットマップフィールド内に配置され、前記第３のリソーススケジューリングメッセージの指示情報は、前記第２のリソース割振り再利用指示フィールド内に配置される請求項６に記載の方法。
【請求項１０】
前記ＢＦレポートポールフレームは、前記ＳＴＡの識別子フィールドをさらに備える請求項９に記載の方法。
【請求項１１】
前記ＢＦレポートポールフレームが、マルチユーザチャネル状態情報送信をトリガするのに使用されるポールフレームであることは、前記受信器アドレスフィールド、前記第２のフィードバックセグメント再送信ビットマップフィールド、または前記ＢＦレポートポールフレームの長さという形のうちの任意の１つ内で指示される請求項９または１０に記載の方法。
【請求項１２】
前記方法は、前記ＳＴＡが制限された能力を有する、前記ＳＴＡによって前記第１のチャネル状態情報をバッファリングすることに関する優先順位が第１のしきい値未満である、または前記第１の通信リソース内のリソースブロックのサイズがしきい値未満であるという条件のうちの少なくとも１つに従って、前記ＳＴＡが前記第１のチャネル状態情報を即座にはフィードバックできないと判定するステップをさらに備える請求項２乃至１１のいずれか一項に記載の方法。
【請求項１３】
フィードバック指示メッセージ、高効率長トレーニングシーケンス、および第１のリソーススケジューリングメッセージをステーションＳＴＡに送るステップであって、前記フィードバック指示メッセージは、チャネル状態情報をフィードバックする必要がある少なくとも２つのターゲットＳＴＡを指示するのに使用され、前記高効率長トレーニングシーケンスは、前記ターゲットＳＴＡの第１のチャネル状態情報を判定するのに使用され、前記第１のリソーススケジューリングメッセージは、前記ターゲットＳＴＡが前記フィードバック指示メッセージ、前記高効率長トレーニングシーケンス、および前記第１のリソーススケジューリングメッセージに従ってフィードバックを実行する時に、前記ターゲットＳＴＡによって使用される第１の通信リソースを指示するのに使用される、送るステップと、
前記第１の通信リソースを使用することによって、前記ターゲットＳＴＡによって送られた肯定応答メッセージを受信するステップであって、前記肯定応答メッセージは、前記ターゲットＳＴＡが、前記フィードバック指示メッセージ、前記高効率長トレーニングシーケンス、および前記第１のリソーススケジューリングメッセージを受信したことを指示するのに使用される、受信するステップと
を備える、チャネル状態情報を送信する方法。
【請求項１４】
前記第１の通信リソースを使用することによって、前記ターゲットＳＴＡによって送られた肯定応答メッセージを受信する前記ステップは、前記ターゲットＳＴＡが前記フィードバック指示メッセージ、前記高効率長トレーニングシーケンス、および前記第１のリソーススケジューリングメッセージを受信してからＸインターフレームスペースＸＩＦＳ後に、前記ターゲットＳＴＡによって、前記第１の通信リソースを使用することによって送られる前記肯定応答メッセージを受信するステップであって、前記ターゲットＳＴＡは、前記第１のチャネル状態情報を即座にはフィードバックできない、受信するステップを備える請求項１３に記載の方法。
【請求項１５】
前記方法は、
第２のリソーススケジューリングメッセージを送るステップであって、前記第２のリソーススケジューリングメッセージは、前記ターゲットＳＴＡが第２のチャネル状態情報をフィードバックする時に前記ターゲットＳＴＡによって使用される第２の通信リソースを指示するのに使用される、送るステップと、
前記第２の通信リソースを使用することによって前記ターゲットＳＴＡによって送られた前記第２のチャネル状態情報を受信するステップであって、前記第２のチャネル状態情報は、前記第１のチャネル状態情報の一部またはすべてである、受信するステップと
をさらに備える請求項１４に記載の方法。
【請求項１６】
前記方法は、
第１のポーリングスケジューリングメッセージおよび第３のリソーススケジューリングメッセージを送るステップであって、前記第１のポーリングスケジューリングメッセージは、前記ターゲットＳＴＡに第３のチャネル状態情報を要求するのに使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第３のリソーススケジューリングメッセージは、前記ターゲットＳＴＡが前記第３のチャネル状態情報をフィードバックする時に前記ターゲットＳＴＡによって使用される第３の通信リソースを指示するのに使用される、送るステップと、
前記第３の通信リソースを使用することによって前記ターゲットＳＴＡによって送られた前記第３のチャネル状態情報を受信するステップと
をさらに備える請求項１５に記載の方法。
【請求項１７】
前記第１のポーリングスケジューリングメッセージおよび前記第３のリソーススケジューリングメッセージは、同一のデータパケット内で運ばれる請求項１６に記載の方法。
【請求項１８】
前記第１のポーリングスケジューリングメッセージおよび前記第３のリソーススケジューリングメッセージは、同一のデータパケットのトリガフレーム内で運ばれ、
前記トリガフレームは、第１のビームフォーミングレポートポールタイプ指示フィールドおよび第１のフィードバックセグメント再送信ビットマップフィールドを備え、前記トリガフレームは、第１のリソース割振り情報フィールドまたは第１のリソース割振り再利用指示フィールドのうちの少なくとも１つをさらに備え、前記第３のリソーススケジューリングメッセージは、前記第１のリソース割振り情報フィールド内に配置され、前記第１のポーリングスケジューリングメッセージは、前記第１のフィードバックセグメント再送信ビットマップフィールド内に配置され、前記第１のリソース割振り再利用指示フィールドは、前記第３のリソーススケジューリングメッセージが前記第２のリソーススケジューリングメッセージと同一であるかどうかを指示するのに使用される
請求項１７に記載の方法。
【請求項１９】
前記トリガフレームは、前記ＳＴＡの識別子フィールドをさらに備える請求項１８に記載の方法。
【請求項２０】
前記第１のポーリングスケジューリングメッセージおよび前記第３のリソーススケジューリングメッセージは、同一のデータパケットのビームフォーミングレポートポールＢＦレポートポールフレーム内で運ばれ、前記ＢＦレポートポールフレームは、受信器アドレスフィールド、第２のフィードバックセグメント再送信ビットマップフィールド、および第３のフィードバックセグメント再送信ビットマップフィールドを備え得、前記ＢＦレポートポールフレームは、第２のリソース割振り情報フィールドまたは第２のリソース割振り再利用指示フィールドのうちの少なくとも１つをさらに備え得、前記第３のリソーススケジューリングメッセージは、前記第２のリソース割振り情報フィールド内に配置され、前記第１のポーリングスケジューリングメッセージは、前記第３のフィードバックセグメント再送信ビットマップフィールド内に配置され、前記第３のリソーススケジューリングメッセージの指示情報は、前記第２のリソース割振り再利用指示フィールド内に配置される請求項１７に記載の方法。
【請求項２１】
前記ＢＦレポートポールフレームは、前記ＳＴＡの識別子フィールドをさらに備える請求項２０に記載の方法。
【請求項２２】
前記ＢＦレポートポールフレームが、マルチユーザチャネル状態情報送信をトリガするのに使用されるポールフレームであることは、前記受信器アドレスフィールド、前記第２のフィードバックセグメント再送信ビットマップフィールド、または前記ＢＦレポートポールフレームの長さという形のうちの任意の１つ内で指示される請求項２０または２１に記載の方法。
【請求項２３】
前記第１のチャネル状態情報を即座にはフィードバックできない前記ターゲットＳＴＡは、前記ターゲットＳＴＡが制限された能力を有する、前記ターゲットＳＴＡによって前記第１のチャネル状態情報をバッファリングすることに関する優先順位が第１のしきい値未満である、または前記第１の通信リソース内のリソースブロックのサイズがしきい値未満であるという条件のうちの少なくとも１つを満足する請求項１３乃至２２のいずれか一項に記載の方法。
【請求項２４】
ステーションＳＴＡによって、第１の指示情報に従って、アクセスポイントＡＰによって送られた第１のリソーススケジューリングメッセージ、第１のフィードバック指示メッセージ、および第１の高効率長トレーニングシーケンスを受信するステップであって、前記第１のフィードバック指示メッセージは、チャネル状態情報を前記ＡＰにフィードバックする必要がある少なくとも２つのターゲットステーションＳＴＡを命令するのに使用され、前記第１のリソーススケジューリングメッセージまたは前記第１のフィードバック指示メッセージは、前記第１の指示情報を備え、前記第１の指示情報は、チャネル状態情報を即座にフィードバックすべきかどうかを前記ＳＴＡに指示するのに使用され、前記第１の高効率長トレーニングシーケンスは、前記ＳＴＡの第１のチャネル状態情報を判定するのに使用され、前記第１のリソーススケジューリングメッセージは、前記ＳＴＡが第２のチャネル状態情報または肯定応答メッセージをフィードバックする時に前記ＳＴＡによって使用される第１の通信リソースを指示するのに使用され、前記第２のチャネル状態情報は、前記第１のチャネル状態情報の一部またはすべてであり、前記肯定応答メッセージは、前記第１のフィードバック指示メッセージ、前記第１の高効率長トレーニングシーケンス、および前記第１のリソーススケジューリングメッセージが受信されたことを指示するのに使用される、受信するステップと、
前記第１のフィードバック指示メッセージを解析し、前記ＳＴＡが前記ターゲットＳＴＡに属すると判定する時に、前記第１のチャネル状態情報を判定するために前記第１の高効率長トレーニングシーケンスに従ってチャネル推定を実行し、前記第１の通信リソースを使用することによって前記第２のチャネル状態情報または前記肯定応答メッセージを前記ＡＰに送るステップと
を備える、チャネル状態情報を送信する方法。
【請求項２５】
第１の指示情報に従って、アクセスポイントＡＰによって送られた第１のリソーススケジューリングメッセージ、第１のフィードバック指示メッセージ、および第１の高効率長トレーニングシーケンスを受信する前記ステップは、前記第１の指示情報が、チャネル状態情報を即座にはフィードバックしないように前記ＳＴＡに命令する時に、前記ＡＰによって送られた前記第１のフィードバック指示メッセージおよび前記第１の高効率長トレーニングシーケンスを受信してからＸインターフレームスペースＸＩＦＳ後に前記第１のリソーススケジューリングメッセージを受信するステップであって、前記第１のフィードバック指示メッセージは、前記第１の指示情報を備える、受信するステップを備え、
前記第１の通信リソースを使用することによって前記第２のチャネル状態情報または前記肯定応答メッセージを前記ＡＰに送る前記ステップは、前記第１のリソーススケジューリングメッセージを受信してからＸインターフレームスペースＸＩＦＳ後に、前記第１の通信リソースを使用することによって前記第２のチャネル状態情報を前記ＡＰに送るステップを備える
請求項２４に記載の方法。
【請求項２６】
前記方法は、
前記ＡＰによって送られる第１のポーリングスケジューリングメッセージおよび第２のリソーススケジューリングメッセージを受信するステップであって、前記第１のポーリングスケジューリングメッセージは、前記ＳＴＡに第３のチャネル状態情報を要求するために使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ＳＴＡが前記第３のチャネル状態情報をフィードバックする時に前記ＳＴＡによって使用される第２の通信リソースを指示するのに使用される、受信するステップと、
前記第２の通信リソースを使用することによって前記第３のチャネル状態情報を前記ＡＰに送るステップと
をさらに備える請求項２５に記載の方法。
【請求項２７】
前記第１の通信リソースを使用することによって前記第２のチャネル状態情報または前記肯定応答メッセージを前記ＡＰに送る前記ステップは、前記第１の指示情報が、チャネル状態情報を即座にはフィードバックしないように前記ＳＴＡに命令する時に、前記第１のリソーススケジューリングメッセージを受信してからＸインターフレームスペースＸＩＦＳ後に、前記第１の通信リソースを使用することによって前記肯定応答メッセージを前記ＡＰに送るステップを備える請求項２４に記載の方法。
【請求項２８】
前記方法は、
前記ＡＰによって送られた第３のリソーススケジューリングメッセージを受信するステップであって、前記第３のリソーススケジューリングメッセージは、前記ＳＴＡが第４のチャネル状態情報をフィードバックする時に前記ＳＴＡによって使用される第３の通信リソースを指示するのに使用される、受信するステップと、
前記第３の通信リソースを使用することによって前記第４のチャネル状態情報を送るステップであって、前記第４のチャネル状態情報は、前記第１のチャネル状態情報の一部またはすべてである、送るステップと
をさらに備える請求項２７に記載の方法。
【請求項２９】
前記方法は、
前記ＡＰによって送られる第２のポーリングスケジューリングメッセージおよび第４のリソーススケジューリングメッセージを受信するステップであって、前記第２のポーリングスケジューリングメッセージは、前記ＳＴＡに第５のチャネル状態情報を要求するために使用され、前記第２のポーリングスケジューリングメッセージは、前記第１のチャネル状態情報内に前記第５のチャネル状態情報のセグメント情報を備え、前記第５のチャネル状態情報は、前記第４のチャネル状態情報がそれから除去される前記第１のチャネル状態情報の一部またはすべてであり、前記第４のリソーススケジューリングメッセージは、前記ＳＴＡが前記第５のチャネル状態情報をフィードバックする時に前記ＳＴＡによって使用される第４の通信リソースを指示するのに使用される、受信するステップと、
前記第４の通信リソースを使用することによって前記第５のチャネル状態情報を前記ＡＰに送るステップと
をさらに備える請求項２８に記載の方法。
【請求項３０】
前記第１の通信リソースを使用することによって前記第２のチャネル状態情報または前記肯定応答メッセージを前記ＡＰに送る前記ステップは、前記第１の指示情報が、チャネル状態情報を即座にフィードバックするように前記ＳＴＡに命令する時に、前記第１のリソーススケジューリングメッセージを受信してからＸインターフレームスペースＸＩＦＳ後に、前記第１の通信リソースを使用することによって前記第２のチャネル状態情報を前記ＡＰに送るステップを備える請求項２４に記載の方法。
【請求項３１】
前記方法は、
前記ＡＰによって送られる第３のポーリングスケジューリングメッセージおよび第５のリソーススケジューリングメッセージを受信するステップであって、前記第３のポーリングスケジューリングメッセージは、前記ＳＴＡに第６のチャネル状態情報を要求するのに使用され、前記第３のポーリングスケジューリングメッセージは、前記第１のチャネル状態情報内に前記第６のチャネル状態情報のセグメント情報を備え、前記第６のチャネル状態情報は、前記第２のチャネル状態情報がそれから除去される前記第１のチャネル状態情報の一部またはすべてであり、前記第５のリソーススケジューリングメッセージは、前記ＳＴＡが前記第６のチャネル状態情報をフィードバックする時に前記ＳＴＡによって使用される第５の通信リソースを指示するのに使用される、受信するステップと、
前記第５の通信リソースを使用することによって前記第６のチャネル状態情報を前記ＡＰに送るステップと
をさらに備える請求項３０に記載の方法。
【請求項３２】
前記第１の指示情報は、前記ＳＴＡがチャネル状態情報をフィードバックする時刻を指示するのに使用されるフィールドを備える請求項２４乃至３１のいずれか一項に記載の方法。
【請求項３３】
前記第１の指示情報は、チャネル状態情報を即座にフィードバックすべきかどうかをすべてのＳＴＡに命令しまたは各ＳＴＡに別々に命令するのに使用されるフィールドを備える請求項２４乃至３１のいずれか一項に記載の方法。
【請求項３４】
前記第１のリソーススケジューリングメッセージが、前記第１のフィードバック指示メッセージおよび前記第１の高効率長トレーニングシーケンスが前記ＳＴＡに送られた後に送られる時に、前記第１の指示情報は、非即座のフィードバックを指示するのに使用される請求項２４乃至３１のいずれか一項に記載の方法。
【請求項３５】
前記第１の通信リソース内のリソースブロックのサイズが、第１のしきい値未満であるか、前記第１の通信リソース内のリソースブロックによって使用される空間ストリームの量が、第２のしきい値未満である時に、前記第１の指示情報は、非即座のフィードバックを指示するのに使用され、または、
前記第１の通信リソース内のリソースブロックのサイズが、第１のしきい値以上であるか、前記第１の通信リソース内のリソースブロックによって使用される空間ストリームの量が、第２のしきい値以上である時に、前記第１の指示情報は、即座のフィードバックを指示するのに使用される
請求項２４乃至３１のいずれか一項に記載の方法。
【請求項３６】
前記第１のフィードバック指示メッセージ、前記第１の高効率長トレーニングシーケンス、および前記第１のリソーススケジューリングメッセージは、異なるフレーム内に配置される
請求項２７乃至２９のいずれか一項に記載の方法。
【請求項３７】
前記第１のポーリングスケジューリングメッセージおよび前記第２のリソーススケジューリングメッセージは、同一のデータパケット内に配置され、または、
前記第２のポーリングスケジューリングメッセージおよび前記第４のリソーススケジューリングメッセージは、同一のデータパケット内に配置され、または、
前記第３のポーリングスケジューリングメッセージおよび前記第５のリソーススケジューリングメッセージは、同一のデータパケット内に配置される
請求項２６、２９、および３１のいずれか一項に記載の方法。
【請求項３８】
第１の指示情報を判定するステップであって、前記第１の指示情報は、チャネル状態情報を即座にフィードバックすべきかどうかを少なくとも２つのターゲットステーションＳＴＡに命令するのに使用され、前記少なくとも２つのターゲットステーションＳＴＡは、アクセスポイントＡＰにチャネル状態情報をフィードバックする必要がある、判定するステップと、
前記第１の指示情報に従って、第１のリソーススケジューリングメッセージ、第１のフィードバック指示メッセージ、および第１の高効率長トレーニングシーケンスを送るステップであって、前記第１のリソーススケジューリングメッセージまたは前記第１のフィードバック指示メッセージは、前記第１の指示情報を備え、前記第１のフィードバック指示メッセージは、チャネル状態情報を前記ＡＰにフィードバックする必要がある前記少なくとも２つのターゲットＳＴＡを指示するのに使用され、前記第１の高効率長トレーニングシーケンスは、前記ターゲットＳＴＡの第１のチャネル状態情報を判定するのに使用され、前記第１のリソーススケジューリングメッセージは、前記ターゲットＳＴＡが第２のチャネル状態情報または肯定応答メッセージをフィードバックする時に前記ターゲットＳＴＡによって使用される第１の通信リソースを指示するのに使用され、前記第２のチャネル状態情報は、前記第１のチャネル状態情報の一部またはすべてであり、前記肯定応答メッセージは、前記第１のフィードバック指示メッセージ、前記第１の高効率長トレーニングシーケンス、および前記第１のリソーススケジューリングメッセージが受信されたことを指示するのに使用される、送るステップと
前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報または前記肯定応答メッセージを受信するステップと
を備える、チャネル状態情報を送信する方法。
【請求項３９】
前記第１の指示情報に従って、第１のリソーススケジューリングメッセージ、第１のフィードバック指示メッセージ、および第１の高効率長トレーニングシーケンスを送る前記ステップは、前記第１の指示情報が、チャネル状態情報を即座にはフィードバックしないように前記ターゲットＳＴＡに命令する時に、前記第１のフィードバック指示メッセージおよび前記第１の高効率長トレーニングシーケンスを送ってからＸインターフレームスペースＸＩＦＳ後に前記第１のリソーススケジューリングメッセージを送るステップであって、前記第１のフィードバック指示メッセージは、前記第１の指示情報を備える、送るステップを備え、
前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報または前記肯定応答メッセージを受信する前記ステップは、前記第１のリソーススケジューリングメッセージを送ってからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報を受信するステップを備える
請求項３８に記載の方法。
【請求項４０】
前記方法は、
第１のポーリングスケジューリングメッセージおよび第２のリソーススケジューリングメッセージを送るステップであって、前記第１のポーリングスケジューリングメッセージは、前記ターゲットＳＴＡに第３のチャネル状態情報を要求するために使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ターゲットＳＴＡが前記第３のチャネル状態情報をフィードバックする時に前記ターゲットＳＴＡによって使用される第２の通信リソースを指示するのに使用される、送るステップと、
前記第２の通信リソースを使用することによって、前記ターゲットＳＴＡによって送られた前記第３のチャネル状態情報を受信するステップと
をさらに備える請求項３９に記載の方法。
【請求項４１】
前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報または前記肯定応答メッセージを受信する前記ステップは、前記第１の指示情報が、チャネル状態情報を即座にはフィードバックしないように前記ターゲットＳＴＡに命令する時に、前記第１のリソーススケジューリングメッセージを送ってからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記肯定応答メッセージを受信するステップを備える請求項３８に記載の方法。
【請求項４２】
前記方法は、
第３のリソーススケジューリングメッセージを送るステップであって、前記第３のリソーススケジューリングメッセージは、前記ターゲットＳＴＡが第４のチャネル状態情報をフィードバックする時に前記ターゲットＳＴＡによって使用される第３の通信リソースを指示するのに使用される、送るステップと、
前記第３の通信リソースを使用することによって、前記ターゲットＳＴＡによって送られた前記第４のチャネル状態情報を受信するステップであって、前記第４のチャネル状態情報は、前記第１のチャネル状態情報の一部またはすべてである、受信するステップと
をさらに備える請求項４１に記載の方法。
【請求項４３】
前記方法は、
第２のポーリングスケジューリングメッセージおよび第４のリソーススケジューリングメッセージを送るステップであって、前記第２のポーリングスケジューリングメッセージは、前記ターゲットＳＴＡに第５のチャネル状態情報を要求するために使用され、前記第２のポーリングスケジューリングメッセージは、前記第１のチャネル状態情報内に前記第５のチャネル状態情報のセグメント情報を備え、前記第５のチャネル状態情報は、前記第４のチャネル状態情報がそれから除去される前記第１のチャネル状態情報の一部またはすべてであり、前記第４のリソーススケジューリングメッセージは、前記ターゲットＳＴＡが前記第５のチャネル状態情報をフィードバックする時に前記ターゲットＳＴＡによって使用される第４の通信リソースを指示するのに使用される、送るステップと、
前記第４の通信リソースを使用することによって、前記ターゲットＳＴＡによって送られた前記第５のチャネル状態情報を受信するステップと
をさらに備える請求項４２に記載の方法。
【請求項４４】
前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報または前記肯定応答メッセージを受信する前記ステップは、前記第１の指示情報が、チャネル状態情報を即座にフィードバックするように前記ターゲットＳＴＡに命令する時に、前記第１のリソーススケジューリングメッセージを送ってからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報を受信するステップを備える請求項３８に記載の方法。
【請求項４５】
前記方法は、
第３のポーリングスケジューリングメッセージおよび第５のリソーススケジューリングメッセージを送るステップであって、前記第３のポーリングスケジューリングメッセージは、前記ターゲットＳＴＡに第６のチャネル状態情報を要求するのに使用され、前記第３のポーリングスケジューリングメッセージは、前記第１のチャネル状態情報内に前記第６のチャネル状態情報のセグメント情報を備え、前記第６のチャネル状態情報は、前記第２のチャネル状態情報がそれから除去される前記第１のチャネル状態情報の一部またはすべてであり、前記第５のリソーススケジューリングメッセージは、前記ターゲットＳＴＡが前記第６のチャネル状態情報をフィードバックする時に前記ターゲットＳＴＡによって使用される第５の通信リソースを指示するのに使用される、送るステップと、
前記第５の通信リソースを使用することによって、前記ターゲットＳＴＡによって送られた前記第６のチャネル状態情報を受信するステップと
をさらに備える請求項４４に記載の方法。
【請求項４６】
前記第１の指示情報は、前記ターゲットＳＴＡがチャネル状態情報をフィードバックする時刻を指示するのに使用されるフィールドを備える請求項３８乃至４５のいずれか一項に記載の方法。
【請求項４７】
前記第１の指示情報は、チャネル状態情報を即座にフィードバックすべきかどうかをすべてのターゲットＳＴＡに命令しまたは各ターゲットＳＴＡに別々に命令するのに使用されるフィールドを備える請求項３８乃至４５のいずれか一項に記載の方法。
【請求項４８】
前記第１のリソーススケジューリングメッセージが、前記第１のフィードバック指示メッセージおよび前記第１の高効率長トレーニングシーケンスが前記ターゲットＳＴＡに送られた後に送られる時に、前記第１の指示情報は、非即座のフィードバックを指示するのに使用される請求項３８乃至４５のいずれか一項に記載の方法。
【請求項４９】
前記第１の通信リソース内のリソースブロックのサイズが、第１のしきい値未満であるか、前記第１の通信リソース内のリソースブロックによって使用される空間ストリームの量が、第２のしきい値未満である時に、前記第１の指示情報は、非即座のフィードバックを指示するのに使用され、または、
前記第１の通信リソース内のリソースブロックのサイズが、前記第１のしきい値以上であるか、前記第１の通信リソース内のリソースブロックによって使用される空間ストリームの量が、前記第２のしきい値以上である時に、前記第１の指示情報は、即座のフィードバックを指示するのに使用される
請求項３８乃至４５のいずれか一項に記載の方法。
【請求項５０】
前記第１のフィードバック指示メッセージ、前記第１の高効率長トレーニングシーケンス、および前記第１のリソーススケジューリングメッセージは、異なるフレーム内に配置される
請求項４１乃至４３のいずれか一項に記載の方法。
【請求項５１】
前記第１のポーリングスケジューリングメッセージおよび前記第２のリソーススケジューリングメッセージは、同一のデータパケット内に配置され、または、
前記第２のポーリングスケジューリングメッセージおよび前記第４のリソーススケジューリングメッセージは、同一のデータパケット内に配置され、または、
前記第３のポーリングスケジューリングメッセージおよび前記第５のリソーススケジューリングメッセージは、同一のデータパケット内に配置される
請求項４０、４３、および４５のいずれか一項に記載の方法。
【請求項５２】
ステーションＳＴＡによって、アクセスポイントＡＰによって送られたフィードバック指示メッセージ、高効率長トレーニングシーケンス、および第１のリソーススケジューリングメッセージを受信するステップであって、前記フィードバック指示メッセージは、チャネル状態情報を前記ＡＰにフィードバックする必要がある少なくとも２つのターゲットＳＴＡを指示するのに使用され、前記高効率長トレーニングシーケンスは、前記ＳＴＡの第１のチャネル状態情報を判定するのに使用され、前記第１のリソーススケジューリングメッセージは、前記ＳＴＡが第２のチャネル状態情報をフィードバックする時に前記ＳＴＡによって使用される第１の通信リソースを指示するのに使用され、前記第２のチャネル状態情報は、前記第１のチャネル状態情報の一部である、受信するステップと、
前記フィードバック指示メッセージを解析し、前記ＳＴＡが前記ターゲットＳＴＡに属すると判定する時に、前記第１のチャネル状態情報を入手するために前記高効率長トレーニングシーケンスに従ってチャネル推定を実行し、前記第１の通信リソースを使用することによって前記第２のチャネル状態情報を前記ＡＰに送るステップと、
前記ＡＰによって送られる第１のポーリングスケジューリングメッセージおよび第２のリソーススケジューリングメッセージを受信するステップであって、前記第１のポーリングスケジューリングメッセージは、前記ＳＴＡに第３のチャネル状態情報を要求するために前記ＡＰによって使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ＳＴＡが前記第３のチャネル状態情報をフィードバックする時に前記ＳＴＡによって使用される第２の通信リソースを指示するのに使用される、受信するステップと、
前記第２の通信リソースを使用することによって前記第３のチャネル状態情報を前記ＡＰに送るステップと
を備える、チャネル状態情報を送信する方法。
【請求項５３】
アクセスポイントＡＰによって、フィードバック指示メッセージ、高効率長トレーニングシーケンス、および第１のリソーススケジューリングメッセージをターゲットＳＴＡに送るステップであって、前記フィードバック指示メッセージは、チャネル状態情報を前記ＡＰにフィードバックする必要がある少なくとも２つのターゲットＳＴＡを指示するのに使用され、前記高効率長トレーニングシーケンスは、前記ターゲットＳＴＡの第１のチャネル状態情報を判定するのに使用され、前記第１のリソーススケジューリングメッセージは、前記ターゲットＳＴＡが第２のチャネル状態情報をフィードバックする時に前記ターゲットＳＴＡによって使用される第１の通信リソースを指示するのに使用され、前記第２のチャネル状態情報は、前記第１のチャネル状態情報の一部である、送るステップと、
前記第１の通信リソースを使用することによって、前記ターゲットＳＴＡによって送られた前記第２のチャネル状態情報を受信するステップと、
第１のポーリングスケジューリングメッセージおよび第２のリソーススケジューリングメッセージを送るステップであって、前記第１のポーリングスケジューリングメッセージは、前記ターゲットＳＴＡに第３のチャネル状態情報を要求するのに使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ターゲットＳＴＡが前記第３のチャネル状態情報をフィードバックする時に前記ターゲットＳＴＡによって使用される第２の通信リソースを指示するのに使用される、送るステップと、
前記第２の通信リソースを使用することによって、前記ターゲットＳＴＡによって送られた前記第３のチャネル状態情報を受信するステップと
を備える、チャネル状態情報を送信する方法。
【請求項５４】
アクセスポイントＡＰによって送られたフィードバック指示メッセージ、高効率長トレーニングシーケンス、および第１のリソーススケジューリングメッセージを受信するように構成された第１の受信ユニットであって、前記フィードバック指示メッセージは、チャネル状態情報を前記ＡＰにフィードバックする必要がある少なくとも２つのターゲットステーションＳＴＡを指示するのに使用され、前記高効率長トレーニングシーケンスは、前記ＳＴＡの第１のチャネル状態情報を判定するのに使用され、前記第１のリソーススケジューリングメッセージは、前記ＳＴＡが前記フィードバック指示メッセージ、前記高効率長トレーニングシーケンス、および前記第１のリソーススケジューリングメッセージに応答してフィードバックを実行する時に前記ＳＴＡによって使用される第１の通信リソースを指示するのに使用される、第１の受信ユニットと、
前記第１の受信ユニットによって受信された前記フィードバック指示メッセージが解析され、前記ＳＴＡが前記ターゲットＳＴＡに属すると判定される時に、前記第１の通信リソースを使用することによって肯定応答メッセージをＡＰに送るように構成された第１の送出ユニットであって、前記肯定応答メッセージは、前記フィードバック指示メッセージ、前記高効率長トレーニングシーケンス、および前記第１のリソーススケジューリングメッセージが受信されたことを指示するのに使用される、第１の送出ユニットと
を備える、チャネル状態情報を送信するステーション。
【請求項５５】
前記第１の送出ユニットは、前記ＳＴＡが、前記第１のチャネル状態情報を即座にはフィードバックできない時に、前記フィードバック指示メッセージ、前記高効率長トレーニングシーケンス、および前記第１のリソーススケジューリングメッセージが受信されてからＸインターフレームスペースＸＩＦＳ後に、前記第１の通信リソースを使用することによって前記ＡＰに前記肯定応答メッセージを送るように具体的に構成される請求項５４に記載のステーション。
【請求項５６】
前記ステーションは、前記高効率長トレーニングシーケンスに従って前記第１のチャネル状態情報を判定するように構成された第１の判定ユニットをさらに備える請求項５５に記載のステーション。
【請求項５７】
前記ステーションは、
前記ＡＰによって送られた第２のリソーススケジューリングメッセージを受信するように構成された第２の受信ユニットであって、前記第２のリソーススケジューリングメッセージは、前記ＳＴＡが第２のチャネル状態情報をフィードバックする時に前記ＳＴＡによって使用される第２の通信リソースを指示するのに使用される、第２の受信ユニットと、
前記第２の通信リソースを使用することによって前記第２のチャネル状態情報を前記ＡＰに送るように構成された第２の送出ユニットであって、前記第２のチャネル状態情報は、前記第１のチャネル状態情報の一部またはすべてである、第２の送出ユニットと
をさらに備える請求項５５または５６に記載のステーション。
【請求項５８】
前記ステーションは、
前記ＡＰによって送られる第１のポーリングスケジューリングメッセージおよび第３のリソーススケジューリングメッセージを受信するように構成された第３の受信ユニットであって、前記第１のポーリングスケジューリングメッセージは、前記ＳＴＡに第３のチャネル状態情報を要求するために前記ＡＰによって使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第３のリソーススケジューリングメッセージは、前記ＳＴＡが前記第３のチャネル状態情報をフィードバックする時に前記ＳＴＡによって使用される第３の通信リソースを指示するのに使用される、第３の受信ユニットと、
前記第３の通信リソースを使用することによって前記第３のチャネル状態情報を前記ＡＰに送るように構成された第３の送出ユニットと
をさらに備える請求項５７に記載のステーション。
【請求項５９】
前記第１のポーリングスケジューリングメッセージおよび前記第３のリソーススケジューリングメッセージは、同一のデータパケット内で運ばれる請求項５８に記載のステーション。
【請求項６０】
前記第１のポーリングスケジューリングメッセージおよび前記第３のリソーススケジューリングメッセージは、同一のデータパケットのトリガフレーム内で運ばれ、
前記トリガフレームは、第１のビームフォーミングレポートポールタイプ指示フィールドおよび第１のフィードバックセグメント再送信ビットマップフィールドを備え、前記トリガフレームは、第１のリソース割振り情報フィールドまたは第１のリソース割振り再利用指示フィールドのうちの少なくとも１つをさらに備え、前記第３のリソーススケジューリングメッセージは、前記第１のリソース割振り情報フィールド内に配置され、前記第１のポーリングスケジューリングメッセージは、前記第１のフィードバックセグメント再送信ビットマップフィールド内に配置され、前記第１のリソース割振り再利用指示フィールドは、前記第３のリソーススケジューリングメッセージが前記第２のリソーススケジューリングメッセージと同一であるかどうかを指示するのに使用される
請求項５９に記載のステーション。
【請求項６１】
前記トリガフレームは、前記ＳＴＡの識別子フィールドをさらに備える請求項６０に記載のステーション。
【請求項６２】
前記第１のポーリングスケジューリングメッセージおよび前記第３のリソーススケジューリングメッセージは、同一のデータパケットのビームフォーミングレポートポールＢＦレポートポールフレーム内で運ばれ、前記ＢＦレポートポールフレームは、受信器アドレスフィールド、第２のフィードバックセグメント再送信ビットマップフィールド、および第３のフィードバックセグメント再送信ビットマップフィールドを備え得、前記ＢＦレポートポールフレームは、第２のリソース割振り情報フィールドまたは第２のリソース割振り再利用指示フィールドのうちの少なくとも１つをさらに備え得、前記第３のリソーススケジューリングメッセージは、前記第２のリソース割振り情報フィールド内に配置され、前記第１のポーリングスケジューリングメッセージは、前記第３のフィードバックセグメント再送信ビットマップフィールド内に配置され、前記第３のリソーススケジューリングメッセージの指示情報は、前記第２のリソース割振り再利用指示フィールド内に配置される請求項５９に記載のステーション。
【請求項６３】
前記ＢＦレポートポールフレームは、前記ＳＴＡの識別子フィールドをさらに備える請求項６２に記載のステーション。
【請求項６４】
前記ＢＦレポートポールフレームが、マルチユーザチャネル状態情報送信をトリガするのに使用されるポールフレームであることは、前記受信器アドレスフィールド、前記第２のフィードバックセグメント再送信ビットマップフィールド、または前記ＢＦレポートポールフレームの長さという形のうちの任意の１つ内で指示される請求項６２または６３に記載のステーション。
【請求項６５】
前記ステーションは、前記ＳＴＡが制限された能力を有する、前記ＳＴＡによって前記第１のチャネル状態情報をバッファリングすることに関する優先順位が第１のしきい値未満である、または前記第１の通信リソース内のリソースブロックのサイズがしきい値未満であるという条件のうちの少なくとも１つに従って、前記ＳＴＡが前記第１のチャネル状態情報を即座にはフィードバックできないと判定するように構成された第２の判定ユニットをさらに備える請求項５５乃至６４のいずれか一項に記載のステーション。
【請求項６６】
フィードバック指示メッセージ、高効率長トレーニングシーケンス、および第１のリソーススケジューリングメッセージをステーションＳＴＡに送るように構成された第１の送出ユニットであって、前記フィードバック指示メッセージは、チャネル状態情報をフィードバックする必要がある少なくとも２つのターゲットＳＴＡを指示するのに使用され、前記高効率長トレーニングシーケンスは、前記ターゲットＳＴＡの第１のチャネル状態情報を判定するのに使用され、前記第１のリソーススケジューリングメッセージは、前記ターゲットＳＴＡが前記フィードバック指示メッセージ、前記高効率長トレーニングシーケンス、および前記第１のリソーススケジューリングメッセージに従ってフィードバックを実行する時に、前記ターゲットＳＴＡによって使用される第１の通信リソースを指示するのに使用される、第１の送出ユニットと、
前記第１の送出ユニットによって送られた前記第１のリソーススケジューリングメッセージによって指示される前記第１の通信リソースを使用することによって、前記ターゲットＳＴＡによって送られた肯定応答メッセージを受信するように構成された第１の受信ユニットであって、前記肯定応答メッセージは、前記ターゲットＳＴＡが、前記フィードバック指示メッセージ、前記高効率長トレーニングシーケンス、および前記第１のリソーススケジューリングメッセージを受信したことを指示するのに使用される、第１の受信ユニットと
を備える、チャネル状態情報を送信するアクセスポイント。
【請求項６７】
前記第１の受信ユニットは、前記ターゲットＳＴＡが前記フィードバック指示メッセージ、前記高効率長トレーニングシーケンス、および前記第１のリソーススケジューリングメッセージを受信してからＸインターフレームスペースＸＩＦＳ後に、前記ターゲットＳＴＡによって、前記第１の通信リソースを使用することによって送られる前記肯定応答メッセージを受信するように具体的に構成され、前記ターゲットＳＴＡは、前記第１のチャネル状態情報を即座にはフィードバックできない請求項６６に記載のアクセスポイント。
【請求項６８】
前記アクセスポイントは、
第２のリソーススケジューリングメッセージを前記ターゲットＳＴＡに送るように構成された第２の送出ユニットであって、前記第２のリソーススケジューリングメッセージは、前記ターゲットＳＴＡが第２のチャネル状態情報をフィードバックする時に前記ターゲットＳＴＡによって使用される第２の通信リソースを指示するのに使用される、第２の送出ユニットと、
前記第２の通信リソースを使用することによって前記ターゲットＳＴＡによって送られた前記第２のチャネル状態情報を受信するように構成された第２の受信ユニットであって、前記第２のチャネル状態情報は、前記第１のチャネル状態情報の一部またはすべてである、第２の受信ユニットと
をさらに備える請求項６７に記載のアクセスポイント。
【請求項６９】
前記アクセスポイントは、
第１のポーリングスケジューリングメッセージおよび第３のリソーススケジューリングメッセージを前記ターゲットＳＴＡに送るように構成された第３の送出ユニットであって、前記第１のポーリングスケジューリングメッセージは、前記ターゲットＳＴＡに第３のチャネル状態情報を要求するのに使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第３のリソーススケジューリングメッセージは、前記ターゲットＳＴＡが前記第３のチャネル状態情報をフィードバックする時に前記ターゲットＳＴＡによって使用される第３の通信リソースを指示するのに使用される、第３の送出ユニットと、
前記第３の通信リソースを使用することによって前記ターゲットＳＴＡによって送られた前記第３のチャネル状態情報を受信するように構成された第３の受信ユニットと
をさらに備える請求項６８に記載のアクセスポイント。
【請求項７０】
前記第１のポーリングスケジューリングメッセージおよび前記第３のリソーススケジューリングメッセージは、同一のデータパケット内で運ばれる請求項６９に記載のアクセスポイント。
【請求項７１】
前記第１のポーリングスケジューリングメッセージおよび前記第３のリソーススケジューリングメッセージは、同一のデータパケットのトリガフレーム内で運ばれ、
前記トリガフレームは、第１のビームフォーミングレポートポールタイプ指示フィールドおよび第１のフィードバックセグメント再送信ビットマップフィールドを備え、前記トリガフレームは、第１のリソース割振り情報フィールドまたは第１のリソース割振り再利用指示フィールドのうちの少なくとも１つをさらに備え、前記第３のリソーススケジューリングメッセージは、前記第１のリソース割振り情報フィールド内に配置され、前記第１のポーリングスケジューリングメッセージは、前記第１のフィードバックセグメント再送信ビットマップフィールド内に配置され、前記第１のリソース割振り再利用指示フィールドは、前記第３のリソーススケジューリングメッセージが前記第２のリソーススケジューリングメッセージと同一であるかどうかを指示するのに使用される
請求項７０に記載のアクセスポイント。
【請求項７２】
前記トリガフレームは、前記ＳＴＡの識別子フィールドをさらに備える請求項７１に記載のアクセスポイント。
【請求項７３】
前記第１のポーリングスケジューリングメッセージおよび前記第３のリソーススケジューリングメッセージは、同一のデータパケットのビームフォーミングレポートポールＢＦレポートポールフレーム内で運ばれ、前記ＢＦレポートポールフレームは、受信器アドレスフィールド、第２のフィードバックセグメント再送信ビットマップフィールド、および第３のフィードバックセグメント再送信ビットマップフィールドを備え、前記ＢＦレポートポールフレームは、第２のリソース割振り情報フィールドまたは第２のリソース割振り再利用指示フィールドのうちの少なくとも１つをさらに備え、前記第３のリソーススケジューリングメッセージは、前記第２のリソース割振り情報フィールド内に配置され、前記第１のポーリングスケジューリングメッセージは、前記第３のフィードバックセグメント再送信ビットマップフィールド内に配置され、前記第３のリソーススケジューリングメッセージの指示情報は、前記第２のリソース割振り再利用指示フィールド内に配置される請求項７０に記載のアクセスポイント。
【請求項７４】
前記ＢＦレポートポールフレームは、前記ＳＴＡの識別子フィールドをさらに備える請求項７３に記載のアクセスポイント。
【請求項７５】
前記ＢＦレポートポールフレームが、マルチユーザチャネル状態情報送信をトリガするのに使用されるポールフレームであることは、前記受信器アドレスフィールド、前記第２のフィードバックセグメント再送信ビットマップフィールド、または前記ＢＦレポートポールフレームの長さという形のうちの任意の１つ内で指示される請求項７３または７４に記載のアクセスポイント。
【請求項７６】
前記第１のチャネル状態情報を即座にはフィードバックできない前記ターゲットＳＴＡは、前記ターゲットＳＴＡが制限された能力を有する、前記ターゲットＳＴＡによって前記第１のチャネル状態情報をバッファリングすることに関する優先順位が第１のしきい値未満である、または前記第１の通信リソース内のリソースブロックのサイズがしきい値未満であるという条件のうちの少なくとも１つを満足するという条件のうちの少なくとも１つを満足する請求項６６乃至７５のいずれか一項に記載のアクセスポイント。
【請求項７７】
第１の指示情報に従って、アクセスポイントＡＰによって送られた第１のリソーススケジューリングメッセージ、第１のフィードバック指示メッセージ、および第１の高効率長トレーニングシーケンスを受信するように構成された第１の受信ユニットであって、前記第１のフィードバック指示メッセージは、チャネル状態情報を前記ＡＰにフィードバックする必要がある少なくとも２つのターゲットステーションＳＴＡを指示するのに使用され、前記第１のリソーススケジューリングメッセージまたは前記第１のフィードバック指示メッセージは、前記第１の指示情報を備え、前記第１の指示情報は、チャネル状態情報を即座にフィードバックすべきかどうかを前記ＳＴＡに命令するのに使用され、前記第１の高効率長トレーニングシーケンスは、前記ＳＴＡの第１のチャネル状態情報を判定するのに使用され、前記第１のリソーススケジューリングメッセージは、前記ＳＴＡが第２のチャネル状態情報または肯定応答メッセージをフィードバックする時に前記ＳＴＡによって使用される第１の通信リソースを指示するのに使用され、前記第２のチャネル状態情報は、前記第１のチャネル状態情報の一部またはすべてであり、前記肯定応答メッセージは、前記第１のフィードバック指示メッセージ、前記第１の高効率長トレーニングシーケンス、および前記第１のリソーススケジューリングメッセージが受信されたことを指示するのに使用される、第１の受信ユニットと、
前記第１の受信ユニットによって受信された前記第１のフィードバック指示メッセージが解析され、前記ＳＴＡが前記ターゲットＳＴＡに属すると判定される時に、前記第１のチャネル状態情報を判定するために、前記第１の受信ユニットによって受信された前記第１の高効率長トレーニングシーケンスに従ってチャネル推定を実行し、前記第１の受信ユニットによって受信された前記第１のリソーススケジューリングメッセージによって指示される前記第１の通信リソースを使用することによって前記第２のチャネル状態情報または前記肯定応答メッセージを前記ＡＰに送るように構成された第１の送出ユニットと
を備える、チャネル状態情報を送信するステーション。
【請求項７８】
前記第１の受信ユニットは、前記第１の指示情報が、チャネル状態情報を即座にはフィードバックしないように前記ＳＴＡに命令する時に、前記ＡＰによって送られた前記第１のフィードバック指示メッセージおよび前記第１の高効率長トレーニングシーケンスを受信してからＸインターフレームスペースＸＩＦＳ後に前記第１のリソーススケジューリングメッセージを受信するように具体的に構成され、前記第１のフィードバック指示メッセージは、前記第１の指示情報を備え、
前記第１の送出ユニットは、前記第１のリソーススケジューリングメッセージが受信されてからＸインターフレームスペースＸＩＦＳ後に、前記第１の通信リソースを使用することによって、前記第１のリソーススケジューリングメッセージ、前記第１のフィードバック指示メッセージおよび前記第１の高効率長トレーニングシーケンスに従って前記第２のチャネル状態情報を前記ＡＰに送るように具体的に構成される
請求項７７に記載のステーション。
【請求項７９】
前記ステーションは、
前記ＡＰによって送られる第１のポーリングスケジューリングメッセージおよび第２のリソーススケジューリングメッセージを受信するように構成された第２の受信ユニットであって、前記第１のポーリングスケジューリングメッセージは、前記ＳＴＡに第３のチャネル状態情報を要求するために使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ＳＴＡが前記第３のチャネル状態情報をフィードバックする時に前記ＳＴＡによって使用される第２の通信リソースを指示するのに使用される、第２の受信ユニットと、
前記第２の通信リソースを使用することによって前記第３のチャネル状態情報を前記ＡＰに送るように構成された第２の送出ユニットと
をさらに備える請求項７８に記載のステーション。
【請求項８０】
前記第１の送出ユニットは、前記第１の指示情報が、チャネル状態情報を即座にはフィードバックしないように前記ＳＴＡに命令する時に、前記第１のリソーススケジューリングメッセージを受信してからＸインターフレームスペースＸＩＦＳ後に、前記第１の通信リソースを使用することによって前記肯定応答メッセージを前記ＡＰに送るように具体的に構成される請求項７７に記載のステーション。
【請求項８１】
前記ステーションは、
前記ＡＰによって送られた第３のリソーススケジューリングメッセージを受信するように構成された第３の受信ユニットであって、前記第３のリソーススケジューリングメッセージは、前記ＳＴＡが第４のチャネル状態情報をフィードバックする時に前記ＳＴＡによって使用される第３の通信リソースを指示するのに使用される、第３の受信ユニットと、
前記第３の通信リソースを使用することによって前記第４のチャネル状態情報を送るように構成された第３の送出ユニットであって、前記第４のチャネル状態情報は、前記第１のチャネル状態情報の一部またはすべてである、第３の送出ユニットと
をさらに備える請求項８０に記載のステーション。
【請求項８２】
前記ステーションは、
前記ＡＰによって送られる第２のポーリングスケジューリングメッセージおよび第４のリソーススケジューリングメッセージを受信するように構成された第４の受信ユニットであって、前記第２のポーリングスケジューリングメッセージは、前記ＳＴＡに第５のチャネル状態情報を要求するために使用され、前記第２のポーリングスケジューリングメッセージは、前記第１のチャネル状態情報内に前記第５のチャネル状態情報のセグメント情報を備え、前記第５のチャネル状態情報は、前記第４のチャネル状態情報がそれから除去される前記第１のチャネル状態情報の一部またはすべてであり、前記第４のリソーススケジューリングメッセージは、前記ＳＴＡが前記第５のチャネル状態情報をフィードバックする時に前記ＳＴＡによって使用される第４の通信リソースを指示するのに使用される、第４の受信ユニットと、
前記第４の通信リソースを使用することによって前記第５のチャネル状態情報を前記ＡＰに送るように構成された第４の送出ユニットと
をさらに備える請求項８１に記載のステーション。
【請求項８３】
前記第１の送出ユニットは、前記第１の指示情報が、チャネル状態情報を即座にフィードバックするように前記ＳＴＡに命令する時に、前記第１のリソーススケジューリングメッセージを送ってからＸインターフレームスペースＸＩＦＳ後に、前記第１の通信リソースを使用することによって前記第２のチャネル状態情報を前記ＡＰに送るように具体的に構成される請求項７７に記載のステーション。
【請求項８４】
前記ステーションは、
前記ＡＰによって送られる第３のポーリングスケジューリングメッセージおよび第５のリソーススケジューリングメッセージを受信するように構成された第５の受信ユニットであって、前記第３のポーリングスケジューリングメッセージは、前記ＳＴＡに第６のチャネル状態情報を要求するのに使用され、前記第３のポーリングスケジューリングメッセージは、前記第１のチャネル状態情報内に前記第６のチャネル状態情報のセグメント情報を備え、前記第６のチャネル状態情報は、前記第２のチャネル状態情報がそれから除去される前記第１のチャネル状態情報の一部またはすべてであり、前記第５のリソーススケジューリングメッセージは、前記ターゲットＳＴＡが前記第６のチャネル状態情報をフィードバックする時に前記ターゲットＳＴＡによって使用される第５の通信リソースを指示するのに使用される、第５の受信ユニットと、
前記第５の通信リソースを使用することによって前記第６のチャネル状態情報を前記ＡＰに送るように構成された第５の送出ユニットと
をさらに備える請求項８３に記載のステーション。
【請求項８５】
前記第１の指示情報は、前記ＳＴＡがチャネル状態情報をフィードバックする時刻を指示するのに使用されるフィールドを備える請求項７７乃至８４のいずれか一項に記載のステーション。
【請求項８６】
前記第１の指示情報は、チャネル状態情報を即座にフィードバックすべきかどうかをすべてのＳＴＡに命令しまたは各ＳＴＡに別々に命令するのに使用されるフィールドを備える請求項７７乃至８４のいずれか一項に記載のステーション。
【請求項８７】
前記第１の送出ユニットが、前記第１のフィードバック指示メッセージおよび前記第１の高効率長トレーニングシーケンスを送った後に前記第１のリソーススケジューリングメッセージを送るように具体的に構成される時に、前記第１の指示情報は、非即座のフィードバックを指示するのに使用される請求項７７乃至８４のいずれか一項に記載のステーション。
【請求項８８】
前記第１の通信リソース内のリソースブロックのサイズが、第１のしきい値未満であるか、前記第１の通信リソース内のリソースブロックによって使用される空間ストリームの量が、第２のしきい値未満である時に、前記第１の指示情報は、非即座のフィードバックを指示するのに使用され、または、
前記第１の通信リソース内のリソースブロックのサイズが、前記第１のしきい値以上であるか、前記第１の通信リソース内のリソースブロックによって使用される空間ストリームの量が、前記第２のしきい値以上である時に、前記第１の指示情報は、即座のフィードバックを指示するのに使用される
請求項７７乃至８４のいずれか一項に記載のステーション。
【請求項８９】
前記第１のフィードバック指示メッセージ、前記第１の高効率長トレーニングシーケンス、および前記第１のリソーススケジューリングメッセージは、異なるフレーム内に配置される
請求項８０乃至８２のいずれか一項に記載のステーション。
【請求項９０】
前記第１のポーリングスケジューリングメッセージおよび前記第２のリソーススケジューリングメッセージは、同一のデータパケット内に配置され、または、
前記第２のポーリングスケジューリングメッセージおよび前記第４のリソーススケジューリングメッセージは、同一のデータパケット内に配置され、または、
前記第３のポーリングスケジューリングメッセージおよび前記第５のリソーススケジューリングメッセージは、同一のデータパケット内に配置される
請求項７９、８２、および８４のいずれか一項に記載のステーション。
【請求項９１】
第１の指示情報を判定するように構成された判定ユニットであって、前記第１の指示情報は、チャネル状態情報を即座にフィードバックすべきかどうかを少なくとも２つのターゲットステーションＳＴＡに命令するのに使用され、前記少なくとも２つのターゲットステーションＳＴＡは、前記アクセスポイントＡＰにチャネル状態情報をフィードバックする必要がある、判定ユニットと、
前記第１の判定ユニットによって判定された前記第１の指示情報に従って、第１のリソーススケジューリングメッセージ、第１のフィードバック指示メッセージ、および第１の高効率長トレーニングシーケンスをターゲットＳＴＡに送るように構成された第１の送出ユニットであって、前記第１のリソーススケジューリングメッセージまたは前記第１のフィードバック指示メッセージは、前記第１の指示情報を備え、前記第１のフィードバック指示メッセージは、チャネル状態情報を前記ＡＰにフィードバックする必要がある前記少なくとも２つのターゲットステーションＳＴＡを指示するのに使用され、前記第１の高効率長トレーニングシーケンスは、前記ターゲットＳＴＡの第１のチャネル状態情報を判定するのに使用され、前記第１のリソーススケジューリングメッセージは、前記ターゲットＳＴＡが第２のチャネル状態情報または肯定応答メッセージをフィードバックする時に前記ターゲットＳＴＡによって使用される第１の通信リソースを指示するのに使用され、前記第２のチャネル状態情報は、前記第１のチャネル状態情報の一部またはすべてであり、前記肯定応答メッセージは、前記第１のフィードバック指示メッセージ、前記第１の高効率長トレーニングシーケンス、および前記第１のリソーススケジューリングメッセージが受信されたことを指示するのに使用される、第１の送出ユニットと、
前記第１の通信リソースを使用することによって、前記第１の送出ユニットによって送られた前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報または前記肯定応答メッセージを受信するように構成された第１の受信ユニットと
を備える、チャネル状態情報を送信するアクセスポイント。
【請求項９２】
前記第１の送出ユニットは、前記第１の指示情報が、チャネル状態情報を即座にはフィードバックしないように前記ターゲットＳＴＡに命令する時に、前記第１のフィードバック指示メッセージおよび前記第１の高効率長トレーニングシーケンスを送ってからＸインターフレームスペースＸＩＦＳ後に前記第１のリソーススケジューリングメッセージを送るように具体的に構成され、前記第１のフィードバック指示メッセージは、前記第１の指示情報を備え、
前記第１の受信ユニットは、前記第１のリソーススケジューリングメッセージが送られてからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ＳＴＡによって送られる前記第２のチャネル状態情報を受信するように具体的に構成される
請求項９１に記載のアクセスポイント。
【請求項９３】
前記アクセスポイントは、
第１のポーリングスケジューリングメッセージおよび第２のリソーススケジューリングメッセージを送るように構成された第２の送出ユニットであって、前記第１のポーリングスケジューリングメッセージは、前記ターゲットＳＴＡに第３のチャネル状態情報を要求するために使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ターゲットＳＴＡが前記第３のチャネル状態情報をフィードバックする時に前記ターゲットＳＴＡによって使用される第２の通信リソースを指示するのに使用される、第２の送出ユニットと、
前記第２の通信リソースを使用することによって、前記ターゲットＳＴＡによって送られた前記第３のチャネル状態情報を受信するように構成された第２の受信ユニットと
をさらに備える請求項９２に記載のアクセスポイント。
【請求項９４】
前記第１の受信ユニットは、前記第１の指示情報が、チャネル状態情報を即座にはフィードバックしないように前記ターゲットＳＴＡに命令する時に、前記第１のリソーススケジューリングメッセージが送られてからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記肯定応答メッセージを受信するように具体的に構成される請求項９１に記載のアクセスポイント。
【請求項９５】
前記アクセスポイントは、
第３のリソーススケジューリングメッセージを送るように構成された第３の送出ユニットであって、前記第３のリソーススケジューリングメッセージは、前記ターゲットＳＴＡが第４のチャネル状態情報をフィードバックする時に前記ターゲットＳＴＡによって使用される第３の通信リソースを指示するのに使用される、第３の送出ユニットと、
前記第３の通信リソースを使用することによって、前記ターゲットＳＴＡによって送られた前記第４のチャネル状態情報を受信するように構成された第３の受信ユニットであって、前記第４のチャネル状態情報は、前記第１のチャネル状態情報の一部またはすべてである、第３の受信ユニットと
をさらに備える請求項９４に記載のアクセスポイント。
【請求項９６】
前記アクセスポイントは、
第２のポーリングスケジューリングメッセージおよび第４のリソーススケジューリングメッセージを送るように構成された第４の送出ユニットであって、前記第２のポーリングスケジューリングメッセージは、前記ターゲットＳＴＡに第５のチャネル状態情報を要求するために使用され、前記第２のポーリングスケジューリングメッセージは、前記第１のチャネル状態情報内に前記第５のチャネル状態情報のセグメント情報を備え、前記第５のチャネル状態情報は、前記第４のチャネル状態情報がそれから除去される前記第１のチャネル状態情報の一部またはすべてであり、前記第４のリソーススケジューリングメッセージは、前記ターゲットＳＴＡが前記第５のチャネル状態情報をフィードバックする時に前記ターゲットＳＴＡによって使用される第４の通信リソースを指示するのに使用される、第４の送出ユニットと、
前記第４の通信リソースを使用することによって、前記ターゲットＳＴＡによって送られた前記第５のチャネル状態情報を受信するように構成された第４の受信ユニットと
をさらに備える請求項９５に記載のアクセスポイント。
【請求項９７】
前記第１の受信ユニットは、前記第１の指示情報が、チャネル状態情報を即座にフィードバックするように前記ターゲットＳＴＡに命令する時に、前記第１のリソーススケジューリングメッセージが送られてからＸインターフレームスペースＸＩＦＳ後に、前記第１の通信リソースを使用することによって、前記第１のリソーススケジューリングメッセージ、前記第１のフィードバック指示メッセージ、および前記第１の高効率長トレーニングシーケンスに従って、前記ターゲットＳＴＡによって送られる前記第２のチャネル状態情報を受信するように具体的に構成される請求項９１に記載のアクセスポイント。
【請求項９８】
前記アクセスポイントは、
第３のポーリングスケジューリングメッセージおよび第５のリソーススケジューリングメッセージを送るように構成された第５の送出ユニットであって、前記第３のポーリングスケジューリングメッセージは、前記ターゲットＳＴＡに第６のチャネル状態情報を要求するのに使用され、前記第３のポーリングスケジューリングメッセージは、前記第１のチャネル状態情報内に前記第６のチャネル状態情報のセグメント情報を備え、前記第６のチャネル状態情報は、前記第２のチャネル状態情報がそれから除去される前記第１のチャネル状態情報の一部またはすべてであり、前記第５のリソーススケジューリングメッセージは、前記ターゲットＳＴＡが前記第６のチャネル状態情報をフィードバックする時に前記ターゲットＳＴＡによって使用される第５の通信リソースを指示するのに使用される、第５の送出ユニットと、
前記第５の通信リソースを使用することによって、前記ターゲットＳＴＡによって送られた前記第６のチャネル状態情報を受信するように構成された第５の受信ユニットと
をさらに備える請求項９７に記載のアクセスポイント。
【請求項９９】
前記第１の指示情報は、前記ターゲットＳＴＡがチャネル状態情報をフィードバックする時刻を指示するのに使用されるフィールドを備える請求項９１乃至９８のいずれか一項に記載のアクセスポイント。
【請求項１００】
前記第１の指示情報は、前記チャネル状態情報を即座にフィードバックすべきかどうかをすべてのターゲットＳＴＡに命令しまたは各ターゲットＳＴＡに別々に命令するのに使用されるフィールドを備える請求項９１乃至９８のいずれか一項に記載のアクセスポイント。
【請求項１０１】
前記第１のリソーススケジューリングメッセージが、前記第１のフィードバック指示メッセージおよび前記第１の高効率長トレーニングシーケンスが送られた後に送られる時に、前記第１の指示情報は、非即座のフィードバックを指示するのに使用される請求項９１乃至９８のいずれか一項に記載のアクセスポイント。
【請求項１０２】
前記第１の通信リソース内のリソースブロックのサイズが、第１のしきい値未満であるか、前記第１の通信リソース内のリソースブロックによって使用される空間ストリームの量が、第２のしきい値未満である時に、前記第１の指示情報は、非即座のフィードバックを指示するのに使用され、または、
前記第１の通信リソース内のリソースブロックのサイズが、前記第１のしきい値以上であるか、前記第１の通信リソース内のリソースブロックによって使用される空間ストリームの量が、前記第２のしきい値以上である時に、前記第１の指示情報は、即座のフィードバックを指示するのに使用される
請求項９１乃至９８のいずれか一項に記載のアクセスポイント。
【請求項１０３】
前記第１のフィードバック指示メッセージ、前記第１の高効率長トレーニングシーケンス、および前記第１のリソーススケジューリングメッセージは、異なるフレーム内に配置される
請求項９４乃至９６のいずれか一項に記載のアクセスポイント。
【請求項１０４】
前記第１のポーリングスケジューリングメッセージおよび前記第２のリソーススケジューリングメッセージは、同一のデータパケット内に配置され、または、
前記第２のポーリングスケジューリングメッセージおよび前記第４のリソーススケジューリングメッセージは、同一のデータパケット内に配置され、または、
前記第３のポーリングスケジューリングメッセージおよび前記第５のリソーススケジューリングメッセージは、同一のデータパケット内に配置される
請求項９３、９６、および９８のいずれか一項に記載のアクセスポイント。
【請求項１０５】
アクセスポイントＡＰによって送られたフィードバック指示メッセージ、高効率長トレーニングシーケンス、および第１のリソーススケジューリングメッセージを受信するように構成された第１の受信ユニットであって、前記フィードバック指示メッセージは、チャネル状態情報を前記ＡＰにフィードバックする必要がある少なくとも２つのターゲットＳＴＡを指示するのに使用され、前記高効率長トレーニングシーケンスは、前記ＳＴＡの第１のチャネル状態情報を判定するのに使用され、前記第１のリソーススケジューリングメッセージは、前記ＳＴＡが第２のチャネル状態情報をフィードバックする時に前記ＳＴＡによって使用される第１の通信リソースを指示するのに使用され、前記第２のチャネル状態情報は、前記第１のチャネル状態情報の一部である、第１の受信ユニットと、
前記第１の受信ユニットによって受信された前記フィードバック指示メッセージが解析され、前記ＳＴＡが前記ターゲットＳＴＡに属すると判定される時に、前記第１のチャネル状態情報を入手するために、前記第１の受信ユニットによって受信された前記高効率長トレーニングシーケンスに従ってチャネル推定を実行し、前記第１の受信ユニットによって受信された前記第１のリソーススケジューリングメッセージによって指示される前記第１の通信リソースを使用することによって前記第２のチャネル状態情報を前記ＡＰに送るように構成された第１の送出ユニットと、
前記ＡＰによって送られる第１のポーリングスケジューリングメッセージおよび第２のリソーススケジューリングメッセージを受信するように構成された第２の受信ユニットであって、前記第１のポーリングスケジューリングメッセージは、前記ＳＴＡに第３のチャネル状態情報を要求するために前記ＡＰによって使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ＳＴＡが前記第３のチャネル状態情報をフィードバックする時に前記ＳＴＡによって使用される第２の通信リソースを指示するのに使用される、第２の受信ユニットと、
前記第２の受信ユニットによって受信された前記第２のリソーススケジューリングメッセージによって指示される前記第２の通信リソースを使用することによって前記第３のチャネル状態情報を前記ＡＰに送るように構成された第２の送出ユニットと
を備える、チャネル状態情報を送信するステーション。
【請求項１０６】
フィードバック指示メッセージ、高効率長トレーニングシーケンス、および第１のリソーススケジューリングメッセージを送るように構成された第１の送出ユニットであって、前記フィードバック指示メッセージは、チャネル状態情報を前記ＡＰにフィードバックする必要がある少なくとも２つのターゲットＳＴＡを指示するのに使用され、前記高効率長トレーニングシーケンスは、前記ターゲットＳＴＡの第１のチャネル状態情報を判定するのに使用され、前記第１のリソーススケジューリングメッセージは、前記ターゲットＳＴＡが第２のチャネル状態情報をフィードバックする時に前記ターゲットＳＴＡによって使用される第１の通信リソースを指示するのに使用され、前記第２のチャネル状態情報は、前記第１のチャネル状態情報の一部である、第１の送出ユニットと、
前記第１の送出ユニットによって送られた前記第１のリソーススケジューリングメッセージによって指示される前記第１の通信リソースを使用することによって、前記ターゲットＳＴＡによって送られた前記第２のチャネル状態情報を受信するように構成された第１の受信ユニットと、
第１のポーリングスケジューリングメッセージおよび第２のリソーススケジューリングメッセージを送るように構成された第２の送出ユニットであって、前記第１のポーリングスケジューリングメッセージは、前記ターゲットＳＴＡに第３のチャネル状態情報を要求するのに使用され、前記第１のポーリングスケジューリングメッセージは、前記第１のチャネル状態情報内に前記第３のチャネル状態情報のセグメント情報を備え、前記第３のチャネル状態情報は、前記第２のチャネル状態情報がそれから除去される前記第１のチャネル状態情報の一部またはすべてであり、前記第２のリソーススケジューリングメッセージは、前記ターゲットＳＴＡが前記第３のチャネル状態情報をフィードバックする時に前記ターゲットＳＴＡによって使用される第２の通信リソースを指示するのに使用される、第２の送出ユニットと、
前記第２の送出ユニットによって送られた前記第２のリソーススケジューリングメッセージによって指示される前記第２の通信リソースを使用することによって、前記ターゲットＳＴＡによって送られた前記第３のチャネル状態情報を受信するように構成された第２の受信ユニットと
を備える、チャネル状態情報を送信するアクセスポイント。
【発明の詳細な説明】
【技術分野】
【０００１】
本発明は、通信の分野に関し、より具体的には、チャネル状態情報を送信する方法、アクセスポイント、およびステーションに関する。
【背景技術】
【０００２】
現在、マルチユーザマルチプルインプットマルチプルアウトプット（ＭＵ−ＭＩＭＯ、Ｍｕｌｔｉｕｓｅｒ  Ｍｕｌｔｉｐｌｅ  Ｉｎｐｕｔ  Ｍｕｌｔｉｐｌｅ  Ｏｕｔｐｕｔ）技術が既知である。ＭＵ−ＭＩＭＯでは、マルチユーザ送信が、空間次元に関して複数の並列チャネルを使用することによって実施される。しかし、この形では、送信端または受信端が、チャネル状態情報のすべてまたは一部を有する必要がある。そうでなければ、受信端は、複数の有効な信号を正しく復調することができず、送信障害を引き起こす。
【０００３】
無線ローカルエリアネットワーク（ＷＬＡＮ）技術の開発に伴って、ＭＵ−ＭＩＭＯ技術がＷＬＡＮに適用され得ることが期待される。チャネル状態情報フィードバックに関して複数のユーザを同時にスケジューリングするために、ステーション（Ｓｔａｔｉｏｎ、ＳＴＡ）が制限された能力を有する時に、アクセスポイント（ＡＰ、Ａｃｃｅｓｓ  Ｐｏｉｎｔ）は、ヌルデータパケットアナウンスメント（ＮＤＰＡ、Ｎｕｌｌ  Ｄａｔａ  Ｐａｃｋｅｔ  Ａｎｎｏｕｎｃｅｍｅｎｔ）、ヌルデータパケット（ＮＤＰ、Ｎｕｌｌ  Ｄａｔａ  Ｐａｃｋｅｔ）、およびビームフォーミングレポートポール（Ｂｅａｍｆｏｒｍｉｎｇ  Ｒｅｐｏｒｔ  Ｐｏｌｌ、ＢＦレポートポール）フレームを送り得、その結果、ＳＴＡは、ＮＤＰＡ内で搬送される情報およびＮＤＰ内で搬送される高効率長トレーニングシーケンス（ＨＥ−ＬＴＦ、ｈｉｇｈ  ｅｆｆｉｃｉｅｎｔ  ｌｏｎｇ  ｔｒａｉｎｉｎｇ  ｆｉｌｅｄ）に従ってチャネル推定を実行し、ある時間期間内にＡＰにチャネル状態情報をフィードバックするようになる。
【０００４】
しかし、より多くのＳＴＡが８０２．１１ａｘ標準規格で導入され、一部のＳＴＡは、フィードバックを即座に実行することができない。たとえば、ＳＴＡは、制限された能力に起因してフィードバックを即座に実行することができず、または、ＡＰは、不十分なリソースを割り振る。前述の場合に、ＳＴＡは、チャネル状態情報を即座にフィードバックすることができず、リソースは、ＡＰがチャネル状態情報を受信するために長時間にわたって待つので浪費され得、その結果、チャネル状態情報送信効率が下げられる。
【発明の概要】
【０００５】
本発明の実施形態は、チャネル状態情報送信効率を改善するために、チャネル状態情報を送信する方法、アクセスポイント、およびステーションを提供する。
【０００６】
第１の態様によれば、チャネル状態情報を送信する方法が提供され、この方法は、ステーションＳＴＡによって、アクセスポイントＡＰによって送られたフィードバック指示メッセージ、高効率長トレーニングシーケンス、および第１のリソーススケジューリングメッセージを受信するステップであって、フィードバック指示メッセージは、チャネル状態情報をＡＰにフィードバックする必要がある少なくとも２つのターゲットＳＴＡを指示するのに使用され、高効率長トレーニングシーケンスは、ＳＴＡの第１のチャネル状態情報を判定するのに使用され、第１のリソーススケジューリングメッセージは、ＳＴＡがフィードバック指示メッセージ、高効率長トレーニングシーケンス、および第１のリソーススケジューリングメッセージに応答してフィードバックを実行する時にＳＴＡによって使用される第１の通信リソースを指示するのに使用される、受信するステップと、ＳＴＡが、フィードバック指示メッセージを解析し、ＳＴＡがターゲットＳＴＡに属すると判定する時に、ＳＴＡによって、第１の通信リソースを使用することによって肯定応答メッセージをＡＰに送るステップであって、肯定応答メッセージは、フィードバック指示メッセージ、高効率長トレーニングシーケンス、および第１のリソーススケジューリングメッセージが受信されたことを指示するのに使用される、送るステップとを含む。
【０００７】
第２の態様によれば、チャネル状態情報を送信する方法が提供され、この方法は、フィードバック指示メッセージ、高効率長トレーニングシーケンス、および第１のリソーススケジューリングメッセージを送るステップであって、フィードバック指示メッセージは、チャネル状態情報をフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡがフィードバック指示メッセージ、高効率長トレーニングシーケンス、および第１のリソーススケジューリングメッセージに従ってフィードバックを実行する時に、ターゲットＳＴＡによって使用される第１の通信リソースを指示するのに使用される、送るステップと、第１の通信リソースを使用することによって、ターゲットＳＴＡによって送られた肯定応答メッセージを受信するステップであって、肯定応答メッセージは、ターゲットＳＴＡが、フィードバック指示メッセージ、高効率長トレーニングシーケンス、および第１のリソーススケジューリングメッセージを受信したことを指示するのに使用される、受信するステップとを含む。
【０００８】
第３の態様によれば、チャネル状態情報を送信する方法が提供され、この方法は、ステーションＳＴＡによって、第１の指示情報に従って、アクセスポイントＡＰによって送られた第１のリソーススケジューリングメッセージ、第１のフィードバック指示メッセージ、および第１の高効率長トレーニングシーケンスを受信するステップであって、第１のフィードバック指示メッセージは、チャネル状態情報をＡＰにフィードバックする必要がある少なくとも２つのターゲットステーションＳＴＡを指示するのに使用され、第１のリソーススケジューリングメッセージまたは第１のフィードバック指示メッセージは、第１の指示情報を含み、第１の指示情報は、チャネル状態情報を即座にフィードバックすべきかどうかをＳＴＡに命令するのに使用され、第１の高効率長トレーニングシーケンスは、ＳＴＡの第１のチャネル状態情報を判定するのに使用され、第１のリソーススケジューリングメッセージは、ＳＴＡが第２のチャネル状態情報または肯定応答メッセージをフィードバックする時にＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される、受信するステップと、第１のフィードバック指示メッセージを解析し、ＳＴＡがターゲットＳＴＡに属すると判定する時に、第１のチャネル状態情報を判定するために第１の高効率長トレーニングシーケンスに従ってチャネル推定を実行し、第１の通信リソースを使用することによって第２のチャネル状態情報または肯定応答メッセージをＡＰに送るステップとを含む。
【０００９】
第４の態様によれば、チャネル状態情報を送信する方法が提供され、この方法は、第１の指示情報を判定するステップであって、第１の指示情報は、チャネル状態情報を即座にフィードバックすべきかどうかを少なくとも２つのターゲットステーションＳＴＡに命令するのに使用され、少なくとも２つのターゲットステーションＳＴＡは、アクセスポイントＡＰにチャネル状態情報をフィードバックする必要がある、判定するステップと、第１の指示情報に従って、第１のリソーススケジューリングメッセージ、第１のフィードバック指示メッセージ、および第１の高効率長トレーニングシーケンスを送るステップであって、第１のリソーススケジューリングメッセージまたは第１のフィードバック指示メッセージは、第１の指示情報を含み、第１のフィードバック指示メッセージは、チャネル状態情報をＡＰにフィードバックする必要がある少なくとも２つのターゲットＳＴＡを指示するのに使用され、第１の高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される、送るステップと第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するステップとを含む。
【００１０】
第５の態様によれば、チャネル状態情報を送信する方法が提供され、この方法は、ステーションＳＴＡによって、アクセスポイントＡＰによって送られたフィードバック指示メッセージ、高効率長トレーニングシーケンス、および第１のリソーススケジューリングメッセージを受信するステップであって、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報をフィードバックする時にターゲットＳＴＡによって使用される第１の通信リソースを指示するのに使用され、第２のチャネル状態情報は、第１のチャネル状態情報の一部である、受信するステップと、フィードバック指示メッセージを解析し、ＳＴＡがターゲットＳＴＡに属すると判定する時に、第１のチャネル状態情報を入手するために高効率長トレーニングシーケンスに従ってチャネル推定を実行し、第１の通信リソースを使用することによって第２のチャネル状態情報をＡＰに送るステップと、ＡＰによって送られる第１のポーリングスケジューリングメッセージおよび第２のリソーススケジューリングメッセージを受信するステップであって、第１のポーリングスケジューリングメッセージは、ＳＴＡに第３のチャネル状態情報を要求するためにＡＰによって使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ＳＴＡが第３のチャネル状態情報をフィードバックする時にＳＴＡによって使用される第２の通信リソースを指示するのに使用される、受信するステップと、第２の通信リソースを使用することによって第３のチャネル状態情報をＡＰに送るステップとを含む。
【００１１】
第６の態様によれば、チャネル状態情報を送信する方法が提供され、この方法は、フィードバック指示メッセージ、高効率長トレーニングシーケンス、および第１のリソーススケジューリングメッセージを送るステップであって、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報をフィードバックする時にターゲットＳＴＡによって使用される第１の通信リソースを指示するのに使用され、第２のチャネル状態情報は、第１のチャネル状態情報の一部である、送るステップと、第１の通信リソースを使用することによって、ターゲットＳＴＡによって送られた第２のチャネル状態情報を受信するステップと、第１のポーリングスケジューリングメッセージおよび第２のリソーススケジューリングメッセージを送るステップであって、第１のポーリングスケジューリングメッセージは、ターゲットＳＴＡに第３のチャネル状態情報を要求するのに使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用される、送るステップと、第２の通信リソースを使用することによって、ターゲットＳＴＡによって送られた第３のチャネル状態情報を受信するステップとを含む。
【００１２】
第７の態様によれば、チャネル状態情報を送信するステーションが提供され、このステーションは、アクセスポイントＡＰによって送られたフィードバック指示メッセージ、高効率長トレーニングシーケンス、および第１のリソーススケジューリングメッセージを受信するように構成された第１の受信ユニットであって、フィードバック指示メッセージは、チャネル状態情報をＡＰにフィードバックする必要がある少なくとも２つのターゲットステーションＳＴＡを指示するのに使用され、高効率長トレーニングシーケンスは、ＳＴＡの第１のチャネル状態情報を判定するのに使用され、第１のリソーススケジューリングメッセージは、ＳＴＡがフィードバック指示メッセージ、高効率長トレーニングシーケンス、および第１のリソーススケジューリングメッセージに応答してフィードバックを実行する時にＳＴＡによって使用される第１の通信リソースを指示するのに使用される、第１の受信ユニットと、受信ユニットによって受信されたフィードバック指示メッセージが解析され、ＳＴＡがターゲットＳＴＡに属すると判定される時に、第１の通信リソースを使用することによって肯定応答メッセージをＡＰに送るように構成された第１の送出ユニットであって、肯定応答メッセージは、フィードバック指示メッセージ、高効率長トレーニングシーケンス、および第１のリソーススケジューリングメッセージが受信されたことを指示するのに使用される、第１の送出ユニットとを含む。
【００１３】
第８の態様によれば、チャネル状態情報を送信するアクセスポイントが提供され、このステーションは、フィードバック指示メッセージ、高効率長トレーニングシーケンス、および第１のリソーススケジューリングメッセージをステーションＳＴＡに送るように構成された第１の送出ユニットであって、フィードバック指示メッセージは、チャネル状態情報をフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡがフィードバック指示メッセージ、高効率長トレーニングシーケンス、および第１のリソーススケジューリングメッセージに従ってフィードバックを実行する時に、ターゲットＳＴＡによって使用される第１の通信リソースを指示するのに使用される、第１の送出ユニットと、第１の送出ユニットによって送られた第１のリソーススケジューリングメッセージによって指示される第１の通信リソースを使用することによって、ターゲットＳＴＡによって送られた肯定応答メッセージを受信するように構成された第１の受信ユニットであって、肯定応答メッセージは、ターゲットＳＴＡが、フィードバック指示メッセージ、高効率長トレーニングシーケンス、および第１のリソーススケジューリングメッセージを受信したことを指示するのに使用される、第１の受信ユニットとを含む。
【００１４】
第９の態様によれば、チャネル状態情報を送信するステーションが提供され、このステーションは、第１の指示情報に従って、アクセスポイントＡＰによって送られた第１のリソーススケジューリングメッセージ、第１のフィードバック指示メッセージ、および第１の高効率長トレーニングシーケンスを受信するように構成された第１の受信ユニットであって、第１のフィードバック指示メッセージは、チャネル状態情報をＡＰにフィードバックする必要がある少なくとも２つのターゲットステーションＳＴＡを指示するのに使用され、第１のリソーススケジューリングメッセージまたは第１のフィードバック指示メッセージは、第１の指示情報を含み、第１の指示情報は、チャネル状態情報を即座にフィードバックすべきかどうかをＳＴＡに命令するのに使用され、第１の高効率長トレーニングシーケンスは、ＳＴＡの第１のチャネル状態情報を判定するのに使用され、第１のリソーススケジューリングメッセージは、ＳＴＡが第２のチャネル状態情報または肯定応答メッセージをフィードバックする時にＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される、第１の受信ユニットと、第１の受信ユニットによって受信された第１のフィードバック指示メッセージが解析され、ＳＴＡがターゲットＳＴＡに属すると判定される時に、第１のチャネル状態情報を判定するために、第１の受信ユニットによって受信された第１の高効率長トレーニングシーケンスに従ってチャネル推定を実行し、第１の受信ユニットによって受信された第１のリソーススケジューリングメッセージによって指示された第１の通信リソースを使用することによって第２のチャネル状態情報または肯定応答メッセージをＡＰに送るように構成された第１の送出ユニットとを含む。
【００１５】
第１０の態様によれば、チャネル状態情報を送信するアクセスポイントが提供され、このアクセスポイントは、第１の指示情報を判定するように構成された判定ユニットであって、第１の指示情報は、チャネル状態情報を即座にフィードバックすべきかどうかを少なくとも２つのターゲットステーションＳＴＡに命令するのに使用され、少なくとも２つのターゲットステーションＳＴＡは、アクセスポイントＡＰにチャネル状態情報をフィードバックする必要がある、判定ユニットと、判定ユニットによって判定された第１の指示情報に従って、第１のリソーススケジューリングメッセージ、第１のフィードバック指示メッセージ、および第１の高効率長トレーニングシーケンスをターゲットＳＴＡに送るように構成された第１の送出ユニットであって、第１のリソーススケジューリングメッセージまたは第１のフィードバック指示メッセージは、第１の指示情報を含み、第１のフィードバック指示メッセージは、チャネル状態情報をＡＰにフィードバックする必要がある少なくとも２つのターゲットステーションＳＴＡを指示するのに使用され、第１の高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される、第１の送出ユニットと第１の通信リソースを使用することによって、第１の送出ユニットによって送られた第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するように構成された第１の受信ユニットとを含む。
【００１６】
第１１の態様によれば、チャネル状態情報を送信するステーションが提供され、このステーションは、アクセスポイントＡＰによって送られたフィードバック指示メッセージ、高効率長トレーニングシーケンス、および第１のリソーススケジューリングメッセージを受信するように構成された第１の受信ユニットであって、フィードバック指示メッセージは、チャネル状態情報をＡＰにフィードバックする必要がある少なくとも２つのターゲットＳＴＡを指示するのに使用され、高効率長トレーニングシーケンスは、ＳＴＡの第１のチャネル状態情報を判定するのに使用され、第１のリソーススケジューリングメッセージは、ＳＴＡが第２のチャネル状態情報をフィードバックする時にＳＴＡによって使用される第１の通信リソースを指示するのに使用され、第２のチャネル状態情報は、第１のチャネル状態情報の一部である、第１の受信ユニットと、第１の受信ユニットによって受信されたフィードバック指示メッセージが解析され、ＳＴＡがターゲットＳＴＡに属すると判定される時に、第１のチャネル状態情報を入手するために、第１の受信ユニットによって受信された高効率長トレーニングシーケンスに従ってチャネル推定を実行し、第１の受信ユニットによって受信された第１のリソーススケジューリングメッセージによって指示される第１の通信リソースを使用することによって第２のチャネル状態情報をＡＰに送るように構成された第１の送出ユニットと、ＡＰによって送られる第１のポーリングスケジューリングメッセージおよび第２のリソーススケジューリングメッセージを受信するように構成された第２の受信ユニットであって、第１のポーリングスケジューリングメッセージは、ＳＴＡに第３のチャネル状態情報を要求するためにＡＰによって使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ＳＴＡが第３のチャネル状態情報をフィードバックする時にＳＴＡによって使用される第２の通信リソースを指示するのに使用される、第２の受信ユニットと、第２の受信ユニットによって受信された第２のリソーススケジューリングメッセージによって指示される第２の通信リソースを使用することによって第３のチャネル状態情報をＡＰに送るように構成された第２の送出ユニットとを含む。
【００１７】
第１２の態様によれば、チャネル状態情報を送信するアクセスポイントが提供され、このアクセスポイントは、フィードバック指示メッセージ、高効率長トレーニングシーケンス、および第１のリソーススケジューリングメッセージを送るように構成された第１の送出ユニットであって、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報をフィードバックする時にターゲットＳＴＡによって使用される第１の通信リソースを指示するのに使用され、第２のチャネル状態情報は、第１のチャネル状態情報の一部である、第１の送出ユニットと、第１の送出ユニットによって送られた第１のリソーススケジューリングメッセージによって指示される第１の通信リソースを使用することによって、ターゲットＳＴＡによって送られた第２のチャネル状態情報を受信するように構成された第１の受信ユニットと、第１のポーリングスケジューリングメッセージおよび第２のリソーススケジューリングメッセージを送るように構成された第２の送出ユニットであって、第１のポーリングスケジューリングメッセージは、ターゲットＳＴＡに第３のチャネル状態情報を要求するのに使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用される、第２の送出ユニットと、第２の送出ユニットによって送られた第２のリソーススケジューリングメッセージによって指示される第２の通信リソースを使用することによって、ターゲットＳＴＡによって送られた第３のチャネル状態情報を受信するように構成された第２の受信ユニットとを含む。
【００１８】
本発明の実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【図面の簡単な説明】
【００１９】
本発明の実施形態での技術的解決策をより明瞭に説明するために、以下は、本発明の実施形態を説明するために必要とされる添付図面を短く説明する。明らかに、以下の説明の添付図面は、単に、本発明のいくつかの実施形態を示し、当業者は、それでも、創作的労力を伴わずにこれらの添付図面から他の図面を導出し得る。
【００２０】
【図１Ａ】本発明の実施形態が適用され得る通信システムのシナリオを示す概略図である。
【図１Ｂ】本発明の実施形態によるチャネル状態情報を送信する方法を示す概略流れ図である。
【図２】本発明の別の実施形態によるチャネル状態情報を送信する方法を示す概略流れ図である。
【図３】本発明のさらに別の実施形態によるチャネル状態情報を送信する方法を示す概略流れ図である。
【図４】本発明のさらに別の実施形態によるチャネル状態情報を送信する方法を示す概略流れ図である。
【図５】本発明のさらに別の実施形態によるチャネル状態情報を送信する方法を示す概略流れ図である。
【図６】本発明のさらに別の実施形態によるチャネル状態情報を送信する方法を示す概略流れ図である。
【図７Ａ】アクセスポイントが本発明の実施形態に従ってチャネル状態情報を送信するように複数のステーションをスケジューリングする相互作用図である。
【図７Ｂ】アクセスポイントが本発明の実施形態に従ってチャネル状態情報を送信するように複数のステーションをスケジューリングする相互作用図である。
【図８Ａ】アクセスポイントが本発明の別の実施形態に従ってチャネル状態情報を送信するように複数のステーションをスケジューリングする相互作用図である。
【図８Ｂ】アクセスポイントが本発明の別の実施形態に従ってチャネル状態情報を送信するように複数のステーションをスケジューリングする相互作用図である。
【図９Ａ】アクセスポイントが本発明のさらに別の実施形態に従ってチャネル状態情報を送信するように複数のステーションをスケジューリングする相互作用図である。
【図９Ｂ】アクセスポイントが本発明のさらに別の実施形態に従ってチャネル状態情報を送信するように複数のステーションをスケジューリングする相互作用図である。
【図１０Ａ】アクセスポイントが本発明のさらに別の実施形態に従ってチャネル状態情報を送信するように複数のステーションをスケジューリングする相互作用図である。
【図１０Ｂ】アクセスポイントが本発明のさらに別の実施形態に従ってチャネル状態情報を送信するように複数のステーションをスケジューリングする相互作用図である。
【図１０Ｃ】アクセスポイントが本発明のさらに別の実施形態に従ってチャネル状態情報を送信するように複数のステーションをスケジューリングする相互作用図である。
【図１１】本発明の実施形態による、ビームフォーミングレポートポールフレームおよびトリガフレームを組み合わせる、トリガフレームに基づいて設計されるフレームを示す構造図である。
【図１２】本発明の別の実施形態による、ビームフォーミングレポートポールフレームおよびトリガフレームを組み合わせる、ビームフォーミングレポートポールフレームに基づいて設計されるフレームを示す構造図である。
【図１３】本発明の実施形態に従ってチャネル状態情報を送信するステーションを示す概略図である。
【図１４】本発明の別の実施形態に従ってチャネル状態情報を送信するアクセスポイントを示す概略図である。
【図１５】本発明のさらに別の実施形態に従ってチャネル状態情報を送信するステーションを示す概略図である。
【図１６】本発明のさらに別の実施形態に従ってチャネル状態情報を送信するアクセスポイントを示す概略図である。
【図１７】本発明のさらに別の実施形態に従ってチャネル状態情報を送信するステーションを示す概略図である。
【図１８】本発明のさらに別の実施形態に従ってチャネル状態情報を送信するアクセスポイントを示す概略図である。
【図１９】本発明の実施形態に従ってチャネル状態情報を送信する装置を示す概略図である。
【発明を実施するための形態】
【００２１】
以下は、本発明の実施形態において添付図面を参照して本発明の実施形態における技術的解決策を明瞭に説明する。明らかに、説明される実施形態は、本発明の実施形態のすべてではなく一部である。創作的労力を伴わずに本発明の実施形態に基づいて当業者によって入手されるすべての他の実施形態は、本発明の保護範囲内に含まれなければならない。
【００２２】
本発明の技術的解決策は、ＭＵ−ＭＩＭＯ技術、たとえばワイヤレスフィデリティ（Ｗｉ−Ｆｉ、Ｗｉｒｅｌｅｓｓ  Ｆｉｄｅｌｉｔｙ）が適用されるデータ送信を実行するためにチャネル状態情報がフィードバックされる必要がある様々な通信システム、たとえば無線ローカルエリアネットワーク（ＷＬＡＮ、Ｗｉｒｅｌｅｓｓ  Ｌｏｃａｌ  Ａｒｅａ  Ｎｅｔｗｏｒｋ）に適用され得る。
【００２３】
ＷＬＡＮ内では、ステーション（ＳＴＡ、Ｓｔａｔｉｏｎ）は、システム、加入者ユニット、アクセス端末、移動局、リモートステーション、リモート端末、モバイルデバイス、ユーザ端末、端末、無線通信デバイス、ユーザエージェント、ユーザ装置、またはＵＥ（Ｕｓｅｒ  Ｅｑｕｉｐｍｅｎｔ、ユーザ機器）と呼ばれてもよい。ＳＴＡは、セルラ電話機、コードレス電話機、ＳＩＰ（Ｓｅｓｓｉｏｎ  Ｉｎｉｔｉａｔｉｏｎ  Ｐｒｏｔｏｃｏｌ、セッションイニシエーションプロトコル）電話機、ＷＬＬ（Ｗｉｒｅｌｅｓｓ  Ｌｏｃａｌ  Ｌｏｏｐ、無線ローカルループ）ステーション、ＰＤＡ（Ｐｅｒｓｏｎａｌ  Ｄｉｇｉｔａｌ  Ａｓｓｉｓｔａｎｔ、携帯情報端末）、無線ローカルエリアネットワーク（たとえば、Ｗｉ−Ｆｉ）通信機能を有するハンドヘルドデバイス、計算デバイス、または無線モデムに接続された別の処理デバイスとされ得る。
【００２４】
さらに、ＷＬＡＮ内では、アクセスポイント（ＡＰ、Ａｃｃｅｓｓ  Ｐｏｉｎｔ）が、無線ローカルエリアネットワークを使用することによってアクセス端末と通信し、アクセス端末のデータをネットワーク側に送信し、またはネットワーク側からアクセス端末にデータを送信するのに使用され得る。
【００２５】
理解および説明の簡単さのために、限定ではなく例として、以下は、Ｗｉ−Ｆｉシステム内での本発明のチャネル状態情報を送信する方法を実行する処理およびアクションと装置とを説明する。
【００２６】
図１Ａは、本発明の実施形態が適用され得る通信システムのシナリオの概略図である。
【００２７】
図１Ａの通信システムは、１つのＡＰおよび３つのＳＴＡ（たとえば、図１Ａ内のＳＴＡ  １、ＳＴＡ  ２、およびＳＴＡ  ３）を含む。ＡＰは、ＳＴＡ  １、ＳＴＡ  ２、およびＳＴＡ  ３と通信し得る。このシステムでは、ＡＰは、チャネル状態情報をフィードバックし、送信するように複数のＳＴＡをスケジューリングし得る。２つ以上のＳＴＡがあり得ることに留意されたい。
【００２８】
方法実施形態１
図１Ｂは、本発明の実施形態によるチャネル状態情報を送信する方法の概略流れ図である。図１Ｂの方法は、ステーションによって実行され得る。
【００２９】
１０１．  ステーションＳＴＡが、アクセスポイントＡＰによって送られたフィードバック指示メッセージ、高効率長トレーニングシーケンス、および第１のリソーススケジューリングメッセージを受信し、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡがフィードバック指示メッセージ、高効率長トレーニングシーケンス、および第１のリソーススケジューリングメッセージに従ってフィードバックを実行する時にターゲットＳＴＡによって使用される第１の通信リソースを指示するのに使用される。
【００３０】
１０２．  ＳＴＡが、フィードバック指示メッセージを解析し、ＳＴＡがターゲットＳＴＡに属すると判定する時に、ＳＴＡが、第１の通信リソースを使用することによって肯定応答メッセージをＡＰに送り、肯定応答メッセージは、フィードバック指示メッセージ、高効率長トレーニングシーケンス、および第１のリソーススケジューリングメッセージが受信されたことを指示するのに使用される。
【００３１】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【００３２】
本発明の実施形態では、アクセスポイントは、ステーションのチャネル状態情報をアクセスポイントにフィードバックするようにステーションをトリガするために、フィードバック指示メッセージ、高効率長トレーニングシーケンス、およびリソーススケジューリングメッセージ（第１のリソーススケジューリングメッセージなど）をステーションに送り得る。ステーションは、アクセスポイントによって送られるフィードバック指示メッセージ、高効率長トレーニングシーケンス、およびリソーススケジューリングメッセージを受信し得、ステーションがターゲットステーションに属すると判定する時に、ステーションは、フィードバック指示メッセージ、高効率長トレーニングシーケンス、およびリソーススケジューリングメッセージが受信されたことを指示するためにアクセスポイントに肯定応答メッセージをフィードバックする。一般に、ステーションが、チャネル状態情報を即座にはフィードバックできない時に、ステーションは、アクセスポイントに肯定応答メッセージをフィードバックし得る。ステーションが、チャネル状態情報を即座にフィードバックできる時に、ステーションは、アクセスポイントにチャネル状態情報を直接に返し得、または、まず肯定応答メッセージを返し得る。チャネル状態情報は、担体としてビームフォーミングレポート（ＢＦレポート）フレームを使用することによってフィードバックされ得る。
【００３３】
本発明の実施形態では、肯定応答メッセージは、チャネル状態情報を搬送せず、フィードバック指示メッセージ、高効率長トレーニングシーケンス、およびリソーススケジューリングメッセージが受信されたことを指示するのに使用されるのみである。言い換えると、肯定応答メッセージは、フィードバック指示メッセージ、高効率長トレーニングシーケンス、およびリソーススケジューリングメッセージが受信されたことを明示的に指示するのに使用され、その後、アクセスポイントは、ステーションがチャネル状態情報をフィードバックできるようにするために、さらに、ステーションをトリガする必要がある。肯定応答メッセージは、肯定応答（Ａｃｋｎｏｗｌｅｄｇｅｍｅｎｔ、ＡＣＫ）フレームとされ得、または、ブロック肯定応答（Ｂｌｏｃｋ  Ａｃｋｎｏｗｌｅｄｇｅｍｅｎｔ、ＢＡ）フレームとされ得る。
【００３４】
本発明の実施形態では、複数のステーションがチャネル状態情報をアクセスポイントにフィードバックする時に、ステーションの間の通信干渉を回避するために、複数のステーションによって使用される通信リソースは、時間領域リソース、周波数領域リソース、または空間領域リソースのうちの少なくとも１つに関してお互いとは異なる。たとえば、複数のステーションによって使用される通信リソースは、時間領域リソースに関して同一とされ得るが、周波数領域リソースに関してお互いに干渉せず（たとえば、直交する）、または、時間領域リソースに関して同一とされ得るが、空間領域リソースに関してお互いに干渉しない（たとえば、直交する）。
【００３５】
具体的には、フィードバック指示メッセージは、チャネル状態情報をアクセスポイントにフィードバックする必要がある少なくとも２つのターゲットＳＴＡを指示するのに使用され得る。フィードバック指示メッセージは、フィードバックを実行する必要があるターゲットステーションの識別子情報、フィードバックタイプ（シングルユーザフィードバックまたはマルチユーザフィードバックなど）、フィードバックされる必要がある列量、および類似物を含み得る。フィードバック指示メッセージの内容および形式は、従来技術でブロードキャストの形でＡＰによって送られるＮＤＰＡフレーム内で運ばれる情報のそれらに類似するものとされ得る。繰返しを回避するために、その詳細な説明は、本明細書では省略される。ステーションは、ターゲットＳＴＡのチャネル状態情報を判定するために、高効率長トレーニングシーケンスに従ってチャネル推定を実行し得る。高効率長トレーニングシーケンスのシンボル量は、通常、ステーションがチャネルを完全に測定し得るようにするために、アクセスポイントのアンテナ量と等しい。高効率長トレーニングシーケンスの機能、生成方法、および使用方法は、チャネル推定に使用される、従来技術のＮＤＰ内の長トレーニングシーケンスのそれらに類似する。繰返しを回避するために、その詳細な説明は、本明細書では省略される。リソーススケジューリングメッセージは、ターゲットＳＴＡがアップリンクマルチユーザフィードバックを実行する時に各ターゲットＳＴＡによって使用される通信リソース（第１の通信リソースなど）を指示するのに使用される。たとえば、通信リソースは、リソースブロック位置情報、リソースパラメータ情報、およびステーションがアップリンクデータ送信を実行する時に使用される類似物を含み得る。通信リソースは、チャネル状態情報が直交周波数分割多元接続（ＯＦＤＭＡ、Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）などの形でＡＰと複数のターゲットＳＴＡとの間で送信され得るようにするために、同一の時間期間に対応しているが周波数領域でお互いに干渉しない（たとえば、直交する）周波数領域リソースとされ得る。
【００３６】
本発明のこの実施形態では、アクセスポイントは、ＮＤＰＡ、ＮＤＰ、およびトリガフレームを組み合わせるフレームを送ることによって、ブロードキャストの形で、フィードバック指示メッセージ、高効率長トレーニングシーケンス、およびリソーススケジューリングメッセージを複数のステーションに送り得る。しかし、ＮＤＰＡ、ＮＤＰ、およびトリガフレームを組み合わせる特定の形は、限定されない。たとえば、アクセスポイントは、まずＮＤＰＡを送り、その後、ＮＤＰおよびトリガフレーム（ｔｒｉｇｇｅｒ  ｆｒａｍｅ）を組み合わせたフレームを送り得る。ＮＤＰＡは、フィードバック指示メッセージを含み得、ＮＤＰおよびトリガフレームを組み合わせたフレームは、チャネル状態情報をフィードバックするために複数のステーションによって使用されるリソーススケジューリングメッセージおよび高効率長トレーニングシーケンスを含み得る。リソーススケジューリングメッセージは、高効率信号Ｂフィールド（ＨＥ−ＳＩＧ−Ｂ、Ｈｉｇｈ  Ｅｆｆｉｃｉｅｎｔｌｙ  Ｓｉｇｎａｌ  Ｂ  Ｆｉｅｌｄ）内で運ばれ得、高効率長トレーニングシーケンスは、同一のフレーム（または同一のデータパケット）内の高効率長トレーニングシーケンス（ＨＥ−ＬＴＦ、ｈｉｇｈ  ｅｆｆｉｃｉｅｎｔ  ｌｏｎｇ  ｔｒａｉｎｉｎｇ  ｆｉｌｅｄ）フィールド内で運ばれ得る。
【００３７】
別の例を挙げると、アクセスポイントは、まずＮＤＰＡフレームおよびトリガフレームを組み合わせたフレームを送り、その後にＮＤＰを送り得る。ＮＤＰＡフレームおよびトリガフレームを組み合わせたフレームは、ステーションごとにフィードバック指示メッセージおよびリソーススケジューリングメッセージを含み得る。ＮＤＰＡフレームおよびトリガフレームを組み合わせたフレームに関して、各ステーションの情報フィールドは、各ステーションに対応するフィードバック指示メッセージを指示するために、ＮＤＰＡに導入され得る。フィードバック指示メッセージは、各ＳＴＡによってチャネル状態情報を推定しまたはフィードバックするためのパラメータを含み得る。リソーススケジューリングメッセージは、リソースブロック位置情報、リソースパラメータ情報、および各ステーションがアップリンク送信を実行する時に使用される類似物、たとえば時空ストリーム量を含み得る。ＮＤＰは、アクセスポイントのアンテナ量と同一の量の高効率長トレーニングシーケンスを含み得る。
【００３８】
別の例を挙げると、アクセスポイントは、ＮＤＰＡ、ＮＤＰ、およびトリガフレームを組み合わせたフレームをステーションに直接に送り得る。ＮＤＰＡ内に含まれるフィードバック指示メッセージおよびトリガフレーム内に含まれるリソーススケジューリングメッセージは、組合せフレームのＨＥ−ＳＩＧ−Ｂフィールド内で運ばれ得、高効率長トレーニングシーケンスは、同一のフレーム（または同一のデータパケット）のＨＥ−ＬＴＦフィールド内で運ばれ得る。さらに、リソーススケジューリングメッセージは、具体的にはＮＤＰのＨＥ−ＳＩＧ−Ｂフィールド内で運ばれ得、高効率長トレーニングシーケンスは、具体的には同一のＮＤＰフレームのＨＥ−ＬＴＦフィールド内で運ばれ得、フィードバック指示メッセージは、同一のＮＤＰフレームのＨＥ−ＬＴＦフィールドの後に配置されるフィールド内で運ばれ得る。
【００３９】
本発明のこの実施形態で言及される２つまたは３つのフレームを組み合わせたフレームは、既存のフレーム構造を拡張するか再利用することによって入手され得、または組合せフレームが本発明のこの実施形態で要求される機能を実施するようにするために新しいフレーム構造を設計することによって入手され得る。組合せフレームは、特殊な機能が組合せフレームに割り当てられたことを指示するのに使用されるフィールドを含み得、特定のフィールドが、組合せフレームのタイプを指示するのに使用され得る。言い換えると、組合せフレームは、同一のデータパケットの異なるフィールド内に配置され得、または、組合せフレームは、同一のＭＡＣフレーム内で運ばれ得、または、前述の２つのケースの組合せが存在する。３つのフレームを組み合わせたフレームは、３つのフレームのうちのいずれか２つまたはすべてを含む組合せフレームとされ得る。
【００４０】
本発明のこの実施形態では、ＮＤＰＡ、ＮＤＰ、およびトリガフレームを組み合わせたフレームを受信した後に、ステーションは、ステーションの能力に従って、フィードバックを即座に実行すべきかどうかを判定し得る。ステーションがフィードバックを即座に実行できる時に、ステーションは、Ｘインターフレームスペース（Ｘ  Ｉｎｔｅｒｆｒａｍｅ  Ｓｐａｃｅ、ＸＩＦＳ）後にアクセスポイントにチャネル状態情報をフィードバックし得る。ステーションがチャネル状態情報を即座にはフィードバックできない時に、ステーションは、前述の組合せフレームが受信されたことを指示するために、まずアクセスポイントに肯定応答メッセージをフィードバックし、チャネル状態情報を推定し得る。
【００４１】
本発明のこの実施形態では、ステーションがフィードバックを即座には実行できない特定の理由は、限定されない。たとえば、ステーションが限られた能力を有するか、ステーションによるチャネル状態情報のバッファリングに関する優先順位が第１のしきい値未満であるか、アクセスポイントによってステーションに割り振られた通信リソース内のリソースブロックのサイズがしきい値未満である時には、ステーションがフィードバックを即座には実行できないと考えられ得る。
【００４２】
任意選択で、ステーションは、高効率長トレーニングシーケンスに従って第１のチャネル状態情報を判定し得る。
【００４３】
ビームフォーミングレポートは、一般に、大量のバイトを搬送するフレームであるが、肯定応答メッセージは、一般に、数バイトまたは数ダースのバイトだけを有する短いフレームである。アクセスポイントが、リソーススケジューリングメッセージおよびステーションによってバッファリングされるデータに従って、相対的に大きいリソースブロックをステーションに割り振る時に、ステーションは、肯定応答メッセージをアクセスポイントにフィードバックする時に別のフレームを送信し得る。たとえば、ＡＣＫフレームおよびデータフレームが、アグリゲーションによって一緒に送られ得る。別の例を挙げると、肯定応答メッセージをフィードバックする時に、ステーションは、アクセスポイントが、ステーションがアップリンクデータを送信する必要があることを学習し、ステーションによって必要とされるリソースを学習するようにするために、ステーションのアップリンクデータバッファリング情報をアクセスポイントにレポートするために、リソース割振り要求メッセージを一緒に送り得る。別の例を挙げると、肯定応答メッセージをフィードバックする時に、ステーションは、ステーションがチャネル状態情報をフィードバックする前にどれほど時間がかかる必要があるのかをアクセスポイントに一緒にレポートし得る。この形で、肯定応答メッセージをアクセスポイントにフィードバックする時に、ステーションは、リソース送信効率をさらに改善し、リソース浪費を回避するために、他の情報を一緒にフィードバックする。
【００４４】
任意選択で、フィードバック指示メッセージ、高効率長トレーニングシーケンス、およびリソーススケジューリングメッセージを受信した後に、ターゲットステーションは、チャネル状態情報（第１のチャネル状態情報など）を即座にフィードバックすべきかどうかを判定し得る。ターゲットＳＴＡが、チャネル状態情報を即座にはフィードバックできない時に、フィードバック指示メッセージ、高効率長トレーニングシーケンス、および第１のリソーススケジューリングメッセージを受信してからＸインターフレームスペースＸＩＦＳ後に、ターゲットＳＴＡは、第１の通信リソースを使用することによってＡＰに肯定応答メッセージを送り得る。
【００４５】
任意選択で、ステーションは、ＡＰによって送られた第２のリソーススケジューリングメッセージを受信し得、第２のリソーススケジューリングメッセージは、ターゲットＳＴＡが第２のチャネル状態情報をフィードバックする時にターゲットＳＴＡによって使用される第２の通信リソースを指示するのに使用され、ステーションは、第２の通信リソースを使用することによって第２のチャネル状態情報をＡＰに送り得、第２のチャネル状態情報は、第１のチャネル状態情報の一部またはすべてである。
【００４６】
具体的には、肯定応答メッセージを受信してからある時間期間後に、アクセスポイントは、リソーススケジューリングメッセージ（第２のリソーススケジューリングメッセージなど）をターゲットステーションにもう一度送り得る。第２のリソーススケジューリングメッセージは、ターゲットＳＴＡがチャネル状態情報（第２のチャネル状態情報など）をフィードバックする時にターゲットのＳＴＡによって使用される通信リソース（第２の通信リソースなど）を指示するのに使用される。第２のリソーススケジューリングメッセージを受信した後に、ステーションは、第２の通信リソースを使用することによって、成功裡にはフィードバックされていないチャネル状態情報の一部またはすべてをアクセスポイントに送り得る。
【００４７】
ステーションが、第２のリソーススケジューリングメッセージを受信した後に、ステーションが、第２の通信リソースを使用することによって、成功裡にはフィードバックされないチャネル状態情報の一部をアクセスポイントに送る時に、アクセスポイントは、チャネル状態情報が完全にフィードバックされるまで、ステーションがアクセスポイントにチャネル状態情報をフィードバックし続けることができるようにするために、ポーリングスケジューリングメッセージおよびリソーススケジューリングメッセージをステーションに送り続け得る。ポーリングスケジューリングメッセージは、ビームフォーミングレポートポールフレーム内で運ばれ得、ビームフォーミングレポートポールフレームは、内容が送信され続ける必要があることを指示するのに使用される指示フィールドを含み得る。ステーションが、ビームフォーミングレポートをアクセスポイントに一時に完全にはフィードバックできない時に、ステーションは、ビームフォーミングレポートを複数のセグメント（ｓｅｇｍｅｎｔ）に分割し、各フィードバック中に、フィードバックされないセグメントの量をアクセスポイントにレポートし得る。アクセスポイントは、ステーションが次の送信中にどのセグメントをフィードバックする必要があるのかを指示するために、ステーションのフィードバックおよびアクセスポイントの受信状況（たとえば、アクセスポイントによって割り振られた通信リソースのリソースブロックサイズまたはアクセスポイントが要求される肯定応答メッセージもしくはチャネル状態情報を成功裡に受信するかどうか）に従って、ビームフォーミングレポートポールフレームをステーションに送り得る。
【００４８】
たとえば、ステーションは、ＡＰによって送られる第１のポーリングスケジューリングメッセージおよび第３のリソーススケジューリングメッセージを受信し得る。第１のポーリングスケジューリングメッセージは、ターゲットＳＴＡに第３のチャネル状態情報を要求するためにＡＰによって使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第３のリソーススケジューリングメッセージは、ターゲットＳＴＡが第３のチャネル状態情報をフィードバックする時にターゲットＳＴＡによって使用される第３の通信リソースを指示するのに使用される。ステーションは、第３の通信リソースを使用することによって第３のチャネル状態情報をＡＰに送り得る。
【００４９】
第１のチャネル状態情報内の第３のチャネル状態情報のセグメント情報は、第３のチャネル状態情報がフィードバックされる時にどのセグメントがフィードバックされる必要があるのかを指示する指示情報とされ得、または、どのセグメントがフィードバックされる必要があるのかを指示し得る。
【００５０】
本発明のこの実施形態では、ポーリングスケジューリングメッセージ（第１のポーリングスケジューリングメッセージなど）およびリソーススケジューリングメッセージ（第３のリソーススケジューリングメッセージなど）を組み合わせる特定の形は、具体的には限定されない。ポーリングスケジューリングメッセージおよびリソーススケジューリングメッセージを組み合わせたフレームの構造は、既存のフレーム構造を再利用することによって、たとえば、既存のトリガフレームまたはビームフォーミングレポートポールフレームを拡張し、再利用することによって入手され得、または機能を満足する新しいフレーム構造を設計することによって入手され得る。
【００５１】
任意選択で、第１のポーリングスケジューリングメッセージおよび第３のリソーススケジューリングメッセージは、同一のデータパケット内または同一のデータパケットの同一のフレーム内で運ばれ得る。
【００５２】
ポーリングスケジューリングメッセージおよびリソーススケジューリングメッセージは、トリガフレームに基づいて設計された同一のフレーム内で運ばれ得る。フレームは、フレーム制御（Ｆｒａｍｅ  Ｃｏｎｔｒｏｌ）フィールド、ビームフォーミングレポートポールタイプ指示（ＢＦ  Ｒｅｐｏｒｔ  Ｐｏｌｌ  ｔｙｐｅ  ｉｎｄｉｃａｔｉｏｎ）フィールド、リソース割振り再利用指示（Ｒｅｓｏｕｒｃｅ  ａｌｌｏｃａｔｉｏｎ  ｒｅｕｓｅ  ｉｎｄｉｃａｔｉｏｎ）フィールド、ステーション識別子（Ｓｔａｔｉｏｎ  Ｉｄｅｎｔｉｆｉｅｒ）フィールド、リソース割振り情報（Ｒｅｓｏｕｒｃｅ  ａｌｌｏｃａｔｉｏｎ  ｉｎｆｏｒｍａｔｉｏｎ）フィールド、およびフィードバックセグメント再送信ビットマップ（Ｆｅｅｄｂａｃｋ  ｓｅｇｍｅｎｔ  Ｒｅｔｒａｎｓｍｉｓｓｉｏｎ  Ｂｉｔｍａｐ）フィールドを含み得る。フレーム制御フィールドは、フレームがリソーススケジューリングに使用され得ることを指示するのに使用され得る。ビームフォーミングレポートポールタイプ指示フィールドは、フレームのタイプを指示するのに使用され得る。具体的には、フィードバックセグメント再送信ビットマップフィールドは、どのセグメントが送信されるべきであるのかを指示するのに使用され得る。リソース割振り情報フィールドは、リソーススケジューリングメッセージを含み得る。リソース割振り再利用指示フィールドは、フレームによって指示される通信リソースが、以前の送信で使用された通信リソースと同一であるかどうかを指示するのに使用され得る。フレームによって指示される通信リソースが、以前の送信で使用された通信リソースと同一である時に、リソース割振り情報フィールドは、要求されないものとされ得る。その代わりに、以前の送信で使用された通信リソースが、送信に直接に使用される。フレームによって指示される通信リソースが、以前の送信で使用された通信リソースとは異なる時に、フレーム内のリソース割振り情報フィールド内に含まれるリソーススケジューリングメッセージによって指示される通信リソースが、送信に使用され得る。ステーション識別子フィールドは、チャネル状態情報をアクセスポイントにフィードバックする必要があるステーションを指示するのに使用される。
【００５３】
たとえば、第１のポーリングスケジューリングメッセージおよび第３のリソーススケジューリングメッセージは、同一のデータパケットのトリガフレーム内で運ばれ得る。トリガフレームは、第１のビームフォーミングレポートポールタイプ指示フィールドおよび第１のフィードバックセグメント再送信ビットマップフィールドを含み得る。トリガフレームは、第１のリソース割振り情報フィールドまたは第１のリソース割振り再利用指示フィールドのうちの少なくとも１つをさらに含み得る。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。第３のリソーススケジューリングメッセージが、第２のリソーススケジューリングメッセージと同一である時に、第３のチャネル状態情報は、第２の通信リソースを使用することによってＡＰに送られる。
【００５４】
任意選択で、トリガフレームは、ＳＴＡの識別子フィールドをさらに含み得る。
【００５５】
別の例を挙げると、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含み得る。ＢＦレポートポールフレームは、第２のリソース割振り情報フィールドまたは第２のリソース割振り再利用指示フィールドのうちの少なくとも１つをさらに含み得る。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【００５６】
フレーム制御フィールドは、フレームがビームフォーミングレポートに対してポーリングを実行するのに使用され得ることを指示するのに使用され得る。関連付けアドレスフィールドは、ポーリングされるステーションの識別子を指示するのに使用され得る。元のビームフォーミングレポートポールフレームフィールド内のフィードバックセグメント再送信ビットマップフィールドは、あるタイプのフレームが、ビームフォーミングレポートポールフレームおよびトリガフレームを組み合わせたフレームであることを指示するのに使用され得る。リソース割振り情報フィールドは、リソーススケジューリングメッセージを含み得る。リソース割振り再利用指示フィールドは、フレームによって指示される通信リソースが、以前の送信で使用された通信リソースと同一であるかどうかを指示するのに使用され得る。フレームによって指示される通信リソースが、以前の送信で使用された通信リソースと同一である時に、リソース割振り情報フィールドは、必要とされないものとされ得る。その代わりに、以前の送信で使用された通信リソースが、送信に直接に使用される。フレームによって指示される通信リソースが、以前の送信で使用された通信リソースとは異なる時に、フレーム内のリソース割振り情報フィールド内に含まれるリソーススケジューリングメッセージによって指示される通信リソースが、送信に使用され得る。第３のフィードバックセグメント再送信ビットマップフィールドは、各ステーションとの１対１対応になっているフィードバックセグメント再送信ビットマップフィールドである。
【００５７】
任意選択で、ＢＦレポートポールフレームは、ＳＴＡの識別子フィールドをさらに含み得る。
【００５８】
再利用されるフレームまたは設計された新しいフレームが、マルチユーザチャネル状態情報送信をトリガするのに使用されるフレームであることを指示する特定の形は、本発明のこの実施形態で限定されない。
【００５９】
本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示され得る。
【００６０】
たとえば、受信器アドレスフィールドは、フレームが、ＢＦレポートポールフレームおよびトリガフレームを組み合わせ、マルチユーザチャネル状態情報送信をトリガするのに使用されるフレームであることを指示するために、元のフレームの媒体アクセス制御（Ｍｅｄｉａ  Ａｃｃｅｓｓ  Ｃｏｎｔｒｏｌ、略してＭＡＣ）アドレスからブロードキャストＭＡＣアドレスまたは指定されたアドレスに変更され得る。
【００６１】
本発明の実施形態では、第２のフィードバックセグメント再送信ビットマップフィールドは、ＢＦレポートポールフレームがマルチユーザチャネル状態情報送信をトリガするのに使用されることを指示するのに使用され得る。たとえば、第２のフィードバックセグメント再送信ビットマップフィールドは、フレームが、ＢＦレポートポールフレームおよびトリガフレームを組み合わせ、マルチユーザチャネル状態情報送信をトリガするのに使用されるフレームであることを指示するために、０にセットされ得る。
【００６２】
本発明の実施形態では、フレームの長さは、フレームのタイプを指示するのに使用され得る。一般に、８０２．１１ａｃ標準規格では、ＢＦレポートポールフレームの長さは固定される。したがって、フレームの長さは、そのフレームが、ＢＦレポートポールフレームおよびトリガフレームを組み合わせ、マルチユーザチャネル状態情報送信をトリガするのに使用されるフレームであることを指示するのに使用され得る。
【００６３】
さらに、新しいタイプのＭＡＣフレームが、フレームがＢＦレポートポールフレームおよびトリガフレームを組み合わせたフレームであることを明瞭に指示するために定義され得る。
【００６４】
本発明のこの実施形態では、あるステーションが、例示のための例として使用され、各ステーションは、そのステーションの能力に従って、肯定応答メッセージまたはチャネル状態情報をフィードバックすると判定し得る。
【００６５】
前述の図１Ｂでは、本発明の実施形態に従ってチャネル状態情報を送信する方法が、ステーションの展望から詳細に説明される。以下は、アクセスポイントの展望から、本発明の実施形態に従ってチャネル状態情報を送信する方法を説明する。
【００６６】
方法実施形態２
図２は、本発明の別の実施形態によるチャネル状態情報を送信する方法の概略流れ図である。図２の方法は、アクセスポイントによって実行され得る。
【００６７】
２０１．  フィードバック指示メッセージ、高効率長トレーニングシーケンス、および第１のリソーススケジューリングメッセージをステーションＳＴＡに送り、フィードバック指示メッセージは、チャネル状態情報をフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡがフィードバック指示メッセージ、高効率長トレーニングシーケンス、および第１のリソーススケジューリングメッセージに従ってフィードバックを実行する時に、ターゲットＳＴＡによって使用される第１の通信リソースを指示するのに使用される。
【００６８】
２０２．  第１の通信リソースを使用することによって、ターゲットＳＴＡによって送られた肯定応答メッセージを受信し、肯定応答メッセージは、ターゲットＳＴＡが、フィードバック指示メッセージ、高効率長トレーニングシーケンス、および第１のリソーススケジューリングメッセージを受信したことを指示するのに使用される。
【００６９】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【００７０】
任意選択で、本発明の実施形態では、第１の通信リソースを使用することによって、ターゲットＳＴＡによって送られた肯定応答メッセージを受信するステップは、ターゲットＳＴＡがフィードバック指示メッセージ、高効率長トレーニングシーケンス、および第１のリソーススケジューリングメッセージを受信してからＸインターフレームスペースＸＩＦＳ後に、ターゲットＳＴＡによって、第１の通信リソースを使用することによって送られる肯定応答メッセージを受信するステップであって、ターゲットＳＴＡは、第１のチャネル状態情報を即座にはフィードバックできない、受信するステップを含む。
【００７１】
任意選択で、本発明の実施形態では、方法は、第２のリソーススケジューリングメッセージを送るステップであって、第２のリソーススケジューリングメッセージは、ターゲットＳＴＡが第２のチャネル状態情報をフィードバックする時にターゲットＳＴＡによって使用される第２の通信リソースを指示するのに使用される、送るステップと、第２の通信リソースを使用することによってターゲットＳＴＡによって送られた第２のチャネル状態情報を受信するステップであって、第２のチャネル状態情報は、第１のチャネル状態情報の一部またはすべてである、受信するステップとをさらに含む。
【００７２】
任意選択で、本発明の実施形態では、方法は、第１のポーリングスケジューリングメッセージおよび第３のリソーススケジューリングメッセージを送るステップであって、第１のポーリングスケジューリングメッセージは、ターゲットＳＴＡに第３のチャネル状態情報を要求するのに使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第３のリソーススケジューリングメッセージは、ターゲットＳＴＡが第３のチャネル状態情報をフィードバックする時にターゲットＳＴＡによって使用される第３の通信リソースを指示するのに使用される、送るステップと、第３の通信リソースを使用することによってターゲットＳＴＡによって送られた第３のチャネル状態情報を受信するステップとをさらに含む、
【００７３】
任意選択で、本発明の実施形態では、第１のポーリングスケジューリングメッセージおよび第３のリソーススケジューリングメッセージは、同一のデータパケット内で運ばれる。
【００７４】
任意選択で、本発明の実施形態では、第１のポーリングスケジューリングメッセージおよび第３のリソーススケジューリングメッセージは、同一のデータパケットのトリガフレーム内で運ばれる。トリガフレームは、第１のビームフォーミングレポートポールタイプ指示フィールドおよび第１のフィードバックセグメント再送信ビットマップフィールドを含む。トリガフレームは、第１のリソース割振り情報フィールドまたは第１のリソース割振り再利用指示フィールドのうちの少なくとも１つをさらに含む。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。
【００７５】
任意選択で、本発明の実施形態では、トリガフレームは、ＳＴＡの識別子フィールドをさらに含む。
【００７６】
任意選択で、本発明の実施形態では、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含み得る。ＢＦレポートポールフレームは、第２のリソース割振り情報フィールドまたは第２のリソース割振り再利用指示フィールドのうちの少なくとも１つをさらに含み得る。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【００７７】
任意選択で、本発明の実施形態では、ＢＦレポートポールフレームは、ＳＴＡの識別子フィールドをさらに含む。
【００７８】
任意選択で、本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示される。
【００７９】
任意選択で、本発明の実施形態では、第１のチャネル状態情報を即座にはフィードバックできないターゲットＳＴＡは、ターゲットＳＴＡが制限された能力を有する、ターゲットＳＴＡによって第１のチャネル状態情報をバッファリングすることに関する優先順位が第１のしきい値未満である、または第１の通信リソース内のリソースブロックのサイズがしきい値未満であるという条件のうちの少なくとも１つを満足する。
【００８０】
本発明のこの実施形態によるチャネル状態情報を送信する方法は、アクセスポイントによって実行され得、アクセスポイントは、アクセスポイントによって実行される、図１Ｂの実施形態に従う対応する手順を実行し得る。簡潔さのために、詳細が本明細書でもう一度説明されることはない。
【００８１】
図１Ｂおよび図２を参照すると、前述は、ステーションがフィードバック指示メッセージ、高効率長トレーニングシーケンス、およびリソーススケジューリングメッセージを受信した後に、ステーションがフィードバック内容を判定することを詳細に説明する。図３および図４を参照すると、以下は、アクセスポイントがフィードバック指示メッセージ、高効率長トレーニングシーケンス、およびリソーススケジューリングメッセージを送る時に、アクセスポイントが、ステーションによってレポートされた能力情報に従ってフィードバック内容を判定することを詳細に説明する。
【００８２】
方法実施形態３
図３は、本発明のさらに別の実施形態によるチャネル状態情報を送信する方法の概略流れ図である。図３の方法は、ステーションによって実行され得る。
【００８３】
３０１．  第１の指示情報に従って、アクセスポイントＡＰによって送られた第１のリソーススケジューリングメッセージ、第１のフィードバック指示メッセージ、および第１の高効率長トレーニングシーケンスを受信し、第１のフィードバック指示メッセージは、チャネル状態情報をＡＰにフィードバックする必要がある少なくとも２つのターゲットステーションＳＴＡを指示するのに使用され、第１のリソーススケジューリングメッセージまたは第１のフィードバック指示メッセージは、第１の指示情報を含み、第１の指示情報は、チャネル状態情報を即座にフィードバックすべきかどうかをターゲットＳＴＡに命令するのに使用され、第１の高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される。
【００８４】
３０２．  第１のフィードバック指示メッセージが解析され、ＳＴＡがターゲットＳＴＡに属すると判定される時に、第１のチャネル状態情報を判定するために第１の高効率長トレーニングシーケンスに従ってチャネル推定を実行し、第１の通信リソースを使用することによって第２のチャネル状態情報または肯定応答メッセージをＡＰに送る。
【００８５】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【００８６】
本発明の実施形態では、アクセスポイントは、ステーションによってレポートされる、ステーションがフィードバックを即座に実行できるかどうかに関する能力情報を受信し得る。能力情報を受信した後に、アクセスポイントは、能力情報およびアクセスポイントの状況に従って、フィードバックを即座に実行すべきかどうかをステーションに命令するのに使用される指示情報を判定する。指示情報を判定した後に、アクセスポイントは、フィードバック指示メッセージまたはリソーススケジューリングメッセージに指示情報を追加し得、アクセスポイントは、ステーションのチャネル状態情報をアクセスポイントにフィードバックするようにステーションをトリガするために、フィードバック指示メッセージ、高効率長トレーニングシーケンス、およびリソーススケジューリングメッセージをステーションに送り得る。フィードバック指示メッセージ、高効率長トレーニングシーケンス、およびリソーススケジューリングメッセージを受信した後に、ステーションは、指示情報に従って、チャネル状態情報または肯定応答メッセージをアクセスポイントにフィードバックし得る。
【００８７】
任意選択で、第１の指示情報が、チャネル状態情報を即座にはフィードバックしないようにターゲットＳＴＡに命令する時に、ＳＴＡは、ＡＰによって送られた第１のフィードバック指示メッセージおよび第１の高効率長トレーニングシーケンスを受信してからＸインターフレームスペースＸＩＦＳ後に第１のリソーススケジューリングメッセージを受信する。第１のフィードバック指示メッセージは、第１の指示情報を含む。第１のリソーススケジューリングメッセージを受信してからＸインターフレームスペースＸＩＦＳ後に、ステーションは、第１の通信リソースを使用することによって第１のリソーススケジューリングメッセージ、第１のフィードバック指示メッセージ、および第１の高効率長トレーニングシーケンスに従って第２のチャネル状態情報をＡＰに送る。
【００８８】
アクセスポイントによって送られた指示情報（第１の指示情報など）が、フィードバックを即座には実行しないようにステーションに命令する時に、アクセスポイントは、まず、ＮＤＰＡおよびＮＤＰをステーションに送り得、ＮＤＰＡは、現在のフィードバックが非即座のフィードバックであることを指示するのに使用され得る。ＮＤＰＡおよびＮＤＰを受信した後に、ステーションは、フィードバックを即座に実行する必要がない。さらに、アクセスポイントは、ＸＩＦＳ後にステーションにリソーススケジューリングメッセージ（第１のリソーススケジューリングメッセージなど）を送る。アクセスポイントによって送られたリソーススケジューリングメッセージを受信した後に、ステーションは、チャネル状態情報（第２のチャネル状態情報など）をアクセスポイントにフィードバックし得る。
【００８９】
ステーションは、チャネル状態情報の一部またはすべてをアクセスポイントにフィードバックし得る。すなわち、ステーションは、アクセスポイントにチャネル状態情報を一時にフィードバックし得、または、フィードバックを２回または複数回実行し得る。たとえば、第１のチャネル状態情報が、チャネル推定によってステーションによって入手されたすべてのチャネル状態情報である場合に、第２のチャネル状態情報は、第１のチャネル状態情報一部またはすべてとされ得る。
【００９０】
アクセスポイントが第２のチャネル状態情報を受信した後に、第２のチャネル状態情報が、第１のチャネル状態情報の一部である場合に、アクセスポイントは、第１のチャネル状態情報が完全にフィードバックされるまで、ステーションがチャネル状態情報をフィードバックし続けるようにするために、成功裡にはフィードバックされていないチャネル状態情報をステーションに要求し続け得る。
【００９１】
たとえば、ステーションは、ＡＰによって送られる第１のポーリングスケジューリングメッセージおよび第２のリソーススケジューリングメッセージを受信し得、第１のポーリングスケジューリングメッセージは、ターゲットＳＴＡに第３のチャネル状態情報を要求するために使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用され、ステーションは、第２の通信リソースを使用することによって第３のチャネル状態情報をＡＰに送り得る。
【００９２】
任意選択で、第１の指示情報が、チャネル状態情報を即座にはフィードバックしないようにターゲットＳＴＡに命令する時に、第１のリソーススケジューリングメッセージが送られてからＸインターフレームスペースＸＩＦＳ後に、肯定応答メッセージが、第１の通信リソースを使用することによって、第１のリソーススケジューリングメッセージ、第１のフィードバック指示メッセージ、および第１の高効率長トレーニングシーケンスに従ってＡＰに送られる。
【００９３】
ステーションによって送られた肯定応答メッセージを受信した後に、アクセスポイントは、チャネル状態情報をアクセスポイントにフィードバックするようにステーションをスケジューリングするために、リソーススケジューリングメッセージをステーションに送り得る。リソーススケジューリングメッセージは、チャネル状態情報をアクセスポイントにフィードバックするようにステーションをトリガするために、トリガフレーム内で運ばれ得る。
【００９４】
たとえば、ステーションは、ＡＰによって送られた第３のリソーススケジューリングメッセージを受信し得、第３のリソーススケジューリングメッセージは、ターゲットＳＴＡが第４のチャネル状態情報をフィードバックする時にターゲットＳＴＡによって使用される第３の通信リソースを指示するのに使用される。ステーションは、第３の通信リソースを使用することによって第４のチャネル状態情報を送り得、第４のチャネル状態情報は、第１のチャネル状態情報の一部またはすべてである。
【００９５】
本明細書では、ＡＰが、指示情報を使用することによって異なるＳＴＡに異なる命令を与え、たとえば、ＡＰが、即座にフィードバックを実行するように一部のステーションに命令し、即座にはフィードバックを実行しないように一部のステーションに命令する時に、次のステップで、ＡＰが、チャネル状態情報をフィードバックするようにＳＴＡをスケジューリングし続ける時に、一部のステーションがチャネル状態情報をフィードバックし終えたので、ＡＰは、チャネル状態情報をフィードバックするようにステーションを同時にスケジューリングするために、次のステップでリソーススケジューリングメッセージおよびポーリングスケジューリングメッセージを送り得る。ＡＰが、指示情報を使用することによって、即座にはフィードバックを実行しないようにすべての異なるＳＴＡに命令する場合に、ＡＰは、チャネル状態情報をフィードバックするようにステーションをトリガするために、次のステップでリソーススケジューリングメッセージだけを送り得る。
【００９６】
第４のチャネル状態情報が第１のチャネル状態情報の一部である時に、アクセスポイントは、ステーションが成功裡にフィードバックされていないチャネル状態情報をアクセスポイントにフィードバックし続けるようにするために、リソーススケジューリングメッセージおよびポーリングスケジューリングメッセージをステーションに送り続け得る。
【００９７】
リソーススケジューリングメッセージおよびポーリングスケジューリングメッセージは、異なるフレーム内で運ばれ得、または、同一のデータパケットの同一のフレーム内で運ばれ得る。本発明のこの実施形態では、ポーリングスケジューリングメッセージおよびリソーススケジューリングメッセージを組み合わせる特定の形は、具体的には限定されない。ポーリングスケジューリングメッセージおよびリソーススケジューリングメッセージを組み合わせたフレームの構造は、既存のフレーム構造を再利用することによって、たとえば、既存のトリガフレームまたはビームフォーミングレポートポールフレームを拡張し、再利用することによって入手され得、または機能を満足する新しいフレーム構造を設計することによって入手され得る。リソーススケジューリングメッセージおよびポーリングスケジューリングメッセージは、同一のデータパケットのトリガフレームまたはＢＦレポートポールフレーム内で運ばれ得る。既存のトリガフレームまたはＢＦレポートポールフレームが再利用されるケースが、図１Ｂの説明内で説明された。繰返しを回避するために、詳細が本明細書でもう一度説明されることはない。
【００９８】
たとえば、ステーションは、ＡＰによって送られる第２のポーリングスケジューリングメッセージおよび第４のリソーススケジューリングメッセージを受信し得る。第２のポーリングスケジューリングメッセージは、ターゲットＳＴＡに第５のチャネル状態情報を要求するために使用される。第２のポーリングスケジューリングメッセージは、第１のチャネル状態情報内に第５のチャネル状態情報のセグメント情報を含む。第５のチャネル状態情報は、第４のチャネル状態情報がそれから除去される第１のチャネル状態情報の一部またはすべてである。第４のリソーススケジューリングメッセージは、ターゲットＳＴＡが第５のチャネル状態情報をフィードバックする時にターゲットＳＴＡによって使用される第４の通信リソースを指示するのに使用される。ステーションは、第４の通信リソースを使用することによって第５のチャネル状態情報をＡＰに送り得る。
【００９９】
任意選択で、第１の指示情報が、チャネル状態情報を即座にフィードバックするようにターゲットＳＴＡに命令する時に、第１のリソーススケジューリングメッセージが送られてからＸインターフレームスペースＸＩＦＳ後に、第２のチャネル状態情報が、第１の通信リソースを使用することによって、第１のリソーススケジューリングメッセージ、第１のフィードバック指示メッセージ、および第１の高効率長トレーニングシーケンスに従ってＡＰに送られる。
【０１００】
第２のチャネル状態情報が第１のチャネル状態情報の一部である時に、アクセスポイントは、第１のチャネル状態情報が完全にフィードバックされるまで、成功裡にはフィードバックされていないチャネル状態情報をステーションに要求し続け得る。
【０１０１】
たとえば、ステーションは、ＡＰによって送られる第３のポーリングスケジューリングメッセージおよび第５のリソーススケジューリングメッセージを受信し得る。第３のポーリングスケジューリングメッセージは、ターゲットＳＴＡに第６のチャネル状態情報を要求するのに使用される。第３のポーリングスケジューリングメッセージは、第１のチャネル状態情報内に第６のチャネル状態情報のセグメント情報を含む。第６のチャネル状態情報は、第２のチャネル状態情報がそれから除去される第１のチャネル状態情報の一部またはすべてである。第５のリソーススケジューリングメッセージは、ターゲットＳＴＡが第６のチャネル状態情報をフィードバックする時にターゲットＳＴＡによって使用される第５の通信リソースを指示するのに使用される。ステーションは、第５の通信リソースを使用することによって第６のチャネル状態情報をＡＰに送り得る。
【０１０２】
本発明のこの実施形態では、フィードバックを即座に実行すべきかどうかをどのように命令すべきかは、限定されない。たとえば、第１の指示情報内の特定のフィールドが、命令に使用され得、またはフィードバック指示メッセージ、高効率長トレーニングシーケンス、およびリソーススケジューリングメッセージを送る時間シーケンスが、命令に使用され得、または通信リソース内のリソースブロックのサイズもしくはリソースブロックによって使用される空間ストリームの量が、命令に使用され得る。
【０１０３】
任意選択で、第１の指示情報は、ターゲットＳＴＡがチャネル状態情報をフィードバックする時刻を指示するのに使用されるフィールドを含み得る。
【０１０４】
任意選択で、第１の指示情報は、チャネル状態情報を即座にフィードバックすべきかどうかをすべてのターゲットＳＴＡに命令しまたは各ターゲットＳＴＡに別々に命令するのに使用されるフィールドを含み得る。
【０１０５】
任意選択で、第１のリソーススケジューリングメッセージが、第１のフィードバック指示メッセージおよび第１の高効率長トレーニングシーケンスが送られた後に送られる時に、第１の指示情報は、非即座のフィードバックを指示するのに使用される。
【０１０６】
任意選択で、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、
第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０１０７】
本発明のこの実施形態では、第１のフィードバック指示メッセージ、第１の高効率長トレーニングシーケンス、および第１のリソーススケジューリングメッセージがその中に配置されるフレームは、限定されない。たとえば、アクセスポイントが、チャネル状態情報を即座にフィードバックするようにステーションに命令しないと判定する時に、アクセスポイントは、ＮＤＰＡ、ＮＤＰ、およびトリガフレームをステーションに別々に送り得る。その結果、第１のフィードバック指示メッセージ、第１の高効率長トレーニングシーケンス、および第１のリソーススケジューリングメッセージは、異なるフレーム内に配置される。
【０１０８】
任意選択で、第１のフィードバック指示メッセージ、第１の高効率長トレーニングシーケンス、および第１のリソーススケジューリングメッセージは、異なるフレーム内に配置される。
【０１０９】
本発明のこの実施形態では、リソーススケジューリングメッセージおよびリソーススケジューリングメッセージに対応するポーリングスケジューリングメッセージが配置されるデータパケットまたはフレームは、限定されない。リソーススケジューリングメッセージおよびポーリングスケジューリングメッセージは、同一のデータパケット内に配置され得、または同一のデータパケットの同一のフレーム内に配置され得、または異なるデータパケット内に配置され得、または同一のデータパケットの異なるフレーム内に配置され得る。
【０１１０】
任意選択で、第１のポーリングスケジューリングメッセージおよび第２のリソーススケジューリングメッセージは、同一のデータパケット内に配置され得、または、第２のポーリングスケジューリングメッセージおよび第４のリソーススケジューリングメッセージは、同一のデータパケット内に配置され得、または、第３のポーリングスケジューリングメッセージおよび第５のリソーススケジューリングメッセージは、同一のデータパケット内に配置され得る。
【０１１１】
本発明のこの実施形態では、あるステーションが、例示のための例として使用される。アクセスポイントは、フィードバックを即座に実行するようにすべてのステーションに命令し得、またはフィードバックを即座には実行しないようにすべてのステーションに命令し得、またはフィードバックを即座に実行しもしくはフィードバックを即座には実行しないように各ステーションに別々に命令し得る。アクセスポイントが、フィードバックを即座に実行しまたはフィードバックを即座には実行しないように各ステーションに別々に命令し、ステーションが、第１のフィードバック中にチャネル状態情報の一部だけをフィードバックする時に、次のスケジューリングで、アクセスポイントは、リソーススケジューリングメッセージおよびポーリングスケジューリングメッセージをステーションに送り得る。
【０１１２】
方法実施形態４
図４は、本発明のさらに別の実施形態によるチャネル状態情報を送信する方法の概略流れ図である。図４の方法は、アクセスポイントによって実行され得る。
【０１１３】
４０１．  第１の指示情報を判定し、第１の指示情報は、チャネル状態情報を即座にフィードバックすべきかどうかを少なくとも２つのターゲットＳＴＡに命令するのに使用され、少なくとも２つのターゲットＳＴＡは、ＡＰにチャネル状態情報をフィードバックする必要がある。
【０１１４】
４０２．  第１の指示情報に従って、第１のリソーススケジューリングメッセージ、第１のフィードバック指示メッセージ、および第１の高効率長トレーニングシーケンスをターゲットＳＴＡに送り、第１のリソーススケジューリングメッセージまたは第１のフィードバック指示メッセージは、第１の指示情報を含み、第１のフィードバック指示メッセージは、チャネル状態情報をＡＰにフィードバックする必要がある少なくとも２つのターゲットステーションＳＴＡを指示するのに使用され、第１の高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用され、第２のチャネル状態情報は、第１のチャネル状態情報の一部またはすべてであり、肯定応答メッセージは、第１のフィードバック指示メッセージ、第１の高効率長トレーニングシーケンス、および第１のリソーススケジューリングメッセージが受信されたことを指示するのに使用される。
【０１１５】
４０３．  第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信する。
【０１１６】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【０１１７】
任意選択で、本発明の実施形態では、第１の指示情報に従って、第１のリソーススケジューリングメッセージ、第１のフィードバック指示メッセージ、および第１の高効率長トレーニングシーケンスを送るステップは、第１の指示情報が、チャネル状態情報を即座にはフィードバックしないようにターゲットＳＴＡに命令する時に、第１のフィードバック指示メッセージおよび第１の高効率長トレーニングシーケンスを送ってからＸインターフレームスペースＸＩＦＳ後に第１のリソーススケジューリングメッセージを送るステップを含む。第１のフィードバック指示メッセージは、第１の指示情報を含む。第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するステップは、第１のリソーススケジューリングメッセージを送ってからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報を受信するステップを含む。
【０１１８】
任意選択で、本発明の実施形態では、方法は、第１のポーリングスケジューリングメッセージおよび第２のリソーススケジューリングメッセージを送るステップであって、第１のポーリングスケジューリングメッセージは、ターゲットＳＴＡに第３のチャネル状態情報を要求するために使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用される、送るステップと、第２の通信リソースを使用することによって、ターゲットＳＴＡによって送られた第３のチャネル状態情報を受信するステップとをさらに含む。
【０１１９】
任意選択で、本発明の実施形態では、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するステップは、第１の指示情報が、チャネル状態情報を即座にはフィードバックしないようにターゲットＳＴＡに命令する時に、第１のリソーススケジューリングメッセージを送ってからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる肯定応答メッセージを受信するステップを含む。
【０１２０】
任意選択で、本発明の実施形態では、方法は、第３のリソーススケジューリングメッセージを送るステップであって、第３のリソーススケジューリングメッセージは、ターゲットＳＴＡが第４のチャネル状態情報をフィードバックする時にターゲットＳＴＡによって使用される第３の通信リソースを指示するのに使用される、送るステップと、第３の通信リソースを使用することによって、ターゲットＳＴＡによって送られた第４のチャネル状態情報を受信するステップであって、第４のチャネル状態情報は、第１のチャネル状態情報の一部またはすべてである、受信するステップとをさらに含む。
【０１２１】
任意選択で、本発明の実施形態では、方法は、第２のポーリングスケジューリングメッセージおよび第４のリソーススケジューリングメッセージを送るステップであって、第２のポーリングスケジューリングメッセージは、ターゲットＳＴＡに第５のチャネル状態情報を要求するために使用され、第２のポーリングスケジューリングメッセージは、第１のチャネル状態情報内に第５のチャネル状態情報のセグメント情報を含み、第５のチャネル状態情報は、第４のチャネル状態情報がそれから除去される第１のチャネル状態情報の一部またはすべてであり、第４のリソーススケジューリングメッセージは、ターゲットＳＴＡが第５のチャネル状態情報をフィードバックする時にターゲットＳＴＡによって使用される第４の通信リソースを指示するのに使用される、送るステップと、第４の通信リソースを使用することによって、ターゲットＳＴＡによって送られた第５のチャネル状態情報を受信するステップとをさらに含む。
【０１２２】
任意選択で、本発明の実施形態では、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するステップは、第１の指示情報が、チャネル状態情報を即座にフィードバックするようにターゲットＳＴＡに命令する時に、第１のリソーススケジューリングメッセージを送ってからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報を受信するステップを含む。
【０１２３】
任意選択で、本発明の実施形態では、方法は、第３のポーリングスケジューリングメッセージおよび第５のリソーススケジューリングメッセージを送るステップであって、第３のポーリングスケジューリングメッセージは、ターゲットＳＴＡに第６のチャネル状態情報を要求するのに使用され、第３のポーリングスケジューリングメッセージは、第１のチャネル状態情報内に第６のチャネル状態情報のセグメント情報を含み、第６のチャネル状態情報は、第２のチャネル状態情報がそれから除去される第１のチャネル状態情報の一部またはすべてであり、第５のリソーススケジューリングメッセージは、ターゲットＳＴＡが第６のチャネル状態情報をフィードバックする時にターゲットＳＴＡによって使用される第５の通信リソースを指示するのに使用される、送るステップと、第５の通信リソースを使用することによって、ターゲットＳＴＡによって送られた第６のチャネル状態情報を受信するステップとをさらに含む。
【０１２４】
任意選択で、本発明の実施形態では、第１の指示情報は、ターゲットＳＴＡがチャネル状態情報をフィードバックする時刻を指示するのに使用されるフィールドを含む。
【０１２５】
任意選択で、本発明の実施形態では、第１の指示情報は、チャネル状態情報を即座にフィードバックすべきかどうかをすべてのターゲットＳＴＡに命令しまたは各ターゲットＳＴＡに別々に命令するのに使用されるフィールドを含む。
【０１２６】
任意選択で、本発明の実施形態では、第１のリソーススケジューリングメッセージが、第１のフィードバック指示メッセージおよび第１の高効率長トレーニングシーケンスがターゲットＳＴＡに送られた後に送られる時に、第１の指示情報は、非即座のフィードバックを指示するのに使用される。
【０１２７】
任意選択で、本発明の実施形態では、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０１２８】
任意選択で、本発明の実施形態では、第１のフィードバック指示メッセージ、第１の高効率長トレーニングシーケンス、および第１のリソーススケジューリングメッセージは、異なるフレーム内に配置される。
【０１２９】
任意選択で、本発明の実施形態では、第１のポーリングスケジューリングメッセージおよび第２のリソーススケジューリングメッセージは、同一のデータパケット内に配置され、または、第２のポーリングスケジューリングメッセージおよび第４のリソーススケジューリングメッセージは、同一のデータパケット内に配置され、または、第３のポーリングスケジューリングメッセージおよび第５のリソーススケジューリングメッセージは、同一のデータパケット内に配置される。
【０１３０】
リソーススケジューリングメッセージおよびポーリングスケジューリングメッセージは、異なるフレーム内で運ばれ得、または、同一のデータパケットの同一のフレーム内で運ばれ得る。本発明のこの実施形態では、ポーリングスケジューリングメッセージおよびリソーススケジューリングメッセージを組み合わせる特定の形は、具体的には限定されない。ポーリングスケジューリングメッセージおよびリソーススケジューリングメッセージを組み合わせたフレームの構造は、既存のフレーム構造を再利用することによって、たとえば、既存のトリガフレームまたはビームフォーミングレポートポールフレームを拡張し、再利用することによって入手され得、または機能を満足する新しいフレーム構造を設計することによって入手され得る。リソーススケジューリングメッセージおよびポーリングスケジューリングメッセージは、同一のデータパケットのトリガフレームまたはＢＦレポートポールフレーム内で運ばれ得る。既存のトリガフレームまたはＢＦレポートポールフレームが再利用されるケースが、図１Ｂの説明内で説明された。繰返しを回避するために、詳細が本明細書でもう一度説明されることはない。
【０１３１】
図４のこの実施形態によるチャネル状態情報を送信する方法は、アクセスポイントによって実行され得、アクセスポイントは、アクセスポイントによって実行される、図３の実施形態に従う対応する手順を実行し得る。簡潔さのために、詳細が本明細書でもう一度説明されることはない。
【０１３２】
図５および図６を参照すると、以下は、ステーションが、フィードバック指示メッセージ、高効率長トレーニングシーケンス、およびリソーススケジューリングメッセージを受信した後にチャネル状態情報をフィードバックする後続の手順を詳細に説明する。
【０１３３】
方法実施形態５
図５は、本発明のさらに別の実施形態によるチャネル状態情報を送信する方法の概略流れ図である。図５の方法は、ステーションによって実行され得る。
【０１３４】
５０１．  ステーションＳＴＡが、アクセスポイントＡＰによって送られたフィードバック指示メッセージ、高効率長トレーニングシーケンス、および第１のリソーススケジューリングメッセージを受信し、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報をフィードバックする時にターゲットＳＴＡによって使用される第１の通信リソースを指示するのに使用され、第２のチャネル状態情報は、第１のチャネル状態情報の一部である。
【０１３５】
５０２．  フィードバック指示メッセージが解析され、ＳＴＡがターゲットＳＴＡに属すると判定される時に、第１のチャネル状態情報を入手するために高効率長トレーニングシーケンスに従ってチャネル推定を実行し、第１の通信リソースを使用することによって第２のチャネル状態情報をＡＰに送る。
【０１３６】
５０３．  ＡＰによって送られる第１のポーリングスケジューリングメッセージおよび第２のリソーススケジューリングメッセージを受信し、第１のポーリングスケジューリングメッセージは、ターゲットＳＴＡに第３のチャネル状態情報を要求するためにＡＰによって使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用される。
【０１３７】
５０４．  第２の通信リソースを使用することによって第３のチャネル状態情報をＡＰに送る。
【０１３８】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０１３９】
本発明の実施形態では、アクセスポイントは、ステーションのチャネル状態情報をアクセスポイントにフィードバックするようにステーションをトリガするために、フィードバック指示メッセージ、高効率長トレーニングシーケンス、およびリソーススケジューリングメッセージ（第１のリソーススケジューリングメッセージなど）をステーションに送り得る。ステーションは、アクセスポイントによって送られたフィードバック指示メッセージ、高効率長トレーニングシーケンス、およびリソーススケジューリングメッセージを受信し得る。ステーションがターゲットステーションに属すると判定する時に、ステーションは、チャネル状態情報をアクセスポイントにフィードバックする。初めてフィードバックされるチャネル状態情報が、すべてのチャネル状態情報ではない時に、アクセスポイントは、成功裡にはフィードバックされていないチャネル状態情報をフィードバックし続けるようにステーションをトリガするために、ポーリングスケジューリングメッセージ（第１のポーリングスケジューリングメッセージなど）およびリソーススケジューリングメッセージ（第２のリソーススケジューリングメッセージなど）をステーションに送り得る。ステーションは、一時にフィードバックを完了し得、または、複数回のフィードバックを実行し得る。
【０１４０】
リソーススケジューリングメッセージおよびポーリングスケジューリングメッセージは、異なるフレーム内で運ばれ得、または、同一のデータパケットの同一のフレーム内で運ばれ得る。本発明のこの実施形態では、ポーリングスケジューリングメッセージおよびリソーススケジューリングメッセージを組み合わせる特定の形は、具体的には限定されない。ポーリングスケジューリングメッセージおよびリソーススケジューリングメッセージを組み合わせたフレームの構造は、既存のフレーム構造を再利用することによって、たとえば、既存のトリガフレームまたはビームフォーミングレポートポールフレームを拡張し、再利用することによって入手され得、または機能を満足する新しいフレーム構造を設計することによって入手され得る。リソーススケジューリングメッセージおよびポーリングスケジューリングメッセージは、同一のデータパケットのトリガフレームまたはＢＦレポートポールフレーム内で運ばれ得る。既存のトリガフレームまたはＢＦレポートポールフレームが再利用されるケースが、図１Ｂの説明内で説明された。繰返しを回避するために、詳細が本明細書でもう一度説明されることはない。
【０１４１】
方法実施形態６
図６は、本発明のさらに別の実施形態によるチャネル状態情報を送信する方法の概略流れ図である。図６の方法は、アクセスポイントによって実行され得る。
【０１４２】
６０１．  フィードバック指示メッセージ、高効率長トレーニングシーケンス、および第１のリソーススケジューリングメッセージをステーションＳＴＡに送り、フィードバック指示メッセージは、チャネル状態情報をＡＰにフィードバックする必要がある少なくとも２つのターゲットＳＴＡを指示するのに使用され、高効率長トレーニングシーケンスは、ターゲットＳＴＡの第１のチャネル状態情報を判定するのに使用され、第１のリソーススケジューリングメッセージは、ターゲットＳＴＡが第２のチャネル状態情報をフィードバックする時にターゲットＳＴＡによって使用される第１の通信リソースを指示するのに使用され、第２のチャネル状態情報は、第１のチャネル状態情報の一部である。
【０１４３】
６０２．  第１の通信リソースを使用することによって、ターゲットＳＴＡによって送られた第２のチャネル状態情報を受信する。
【０１４４】
６０３．  第１のポーリングスケジューリングメッセージおよび第２のリソーススケジューリングメッセージをターゲットＳＴＡに送り、第１のポーリングスケジューリングメッセージは、ターゲットＳＴＡに第３のチャネル状態情報を要求するのに使用され、第１のポーリングスケジューリングメッセージは、第１のチャネル状態情報内に第３のチャネル状態情報のセグメント情報を含み、第３のチャネル状態情報は、第２のチャネル状態情報がそれから除去される第１のチャネル状態情報の一部またはすべてであり、第２のリソーススケジューリングメッセージは、ターゲットＳＴＡが第３のチャネル状態情報をフィードバックする時にターゲットＳＴＡによって使用される第２の通信リソースを指示するのに使用される。
【０１４５】
６０４．  第２の通信リソースを使用することによって、ターゲットＳＴＡによって送られた第３のチャネル状態情報を受信する。
【０１４６】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０１４７】
本発明のこの実施形態によるチャネル状態情報を送信する方法は、アクセスポイントによって実行され得、アクセスポイントは、アクセスポイントによって実行される、図５の実施形態に従う対応する手順を実行し得る。簡潔さのために、詳細が本明細書でもう一度説明されることはない。
【０１４８】
リソーススケジューリングメッセージおよびポーリングスケジューリングメッセージは、異なるフレーム内で運ばれ得、または、同一のデータパケットの同一のフレーム内で運ばれ得る。本発明のこの実施形態では、ポーリングスケジューリングメッセージおよびリソーススケジューリングメッセージを組み合わせる特定の形は、具体的には限定されない。ポーリングスケジューリングメッセージおよびリソーススケジューリングメッセージを組み合わせたフレームの構造は、既存のフレーム構造を再利用することによって、たとえば、既存のトリガフレームまたはビームフォーミングレポートポールフレームを拡張し、再利用することによって入手され得、または機能を満足する新しいフレーム構造を設計することによって入手され得る。リソーススケジューリングメッセージおよびポーリングスケジューリングメッセージは、同一のデータパケットのトリガフレームまたはＢＦレポートポールフレーム内で運ばれ得る。既存のトリガフレームまたはＢＦレポートポールフレームが再利用されるケースが、図１Ｂの説明内で説明された。繰返しを回避するために、詳細が本明細書でもう一度説明されることはない。
【０１４９】
図７から図１０の特定の例を参照して、以下は、アクセスポイントがチャネル状態情報をフィードバックし、送信するために複数のステーションをどのようにスケジューリングするのかを詳細に説明する。以下は、例示のためにアクセスポイントが２つのステーションまたは３つのステーションだけを同時にスケジューリングする例を使用する。しかし、本発明はこれに限定されず、２つ以上のステーションがあることがある。
【０１５０】
方法実施形態７
図７Ａおよび図７Ｂは、アクセスポイントが本発明の実施形態に従ってチャネル状態情報を送信するように複数のステーションをスケジューリングする相互作用図である。図７Ａおよび図７Ｂは、２つの異なる展望からの本発明のこの実施形態を別々に反映する。図７Ａは、アクセスポイントとステーションとの間の情報交換またはメッセージ交換を反映する。図７Ｂは、アクセスポイントとステーションとの間のフレーム交換を反映する。情報またはメッセージがフレーム内で搬送されるので、図７Ｂの本質は、図７Ａのそれと同一である。
【０１５１】
７０１．  ＡＰが、第１のリソーススケジューリングメッセージ、フィードバック指示メッセージ、および高効率長トレーニングシーケンスをＳＴＡに送る。
【０１５２】
本明細書のＳＴＡは、図７のＳＴＡ１、ＳＴＡ２、およびＳＴＡ３とされ得、本明細書で図示されていない別のＳＴＡをさらに含み得る。アクセスポイントは、ＮＤＰＡ、ＮＤＰ、およびトリガフレームを組み合わせたフレームをブロードキャストの形で複数のステーションに送り、フィードバックを実行するように複数のステーションをスケジューリングするために、組合せフレーム内のフィールドに第１のリソーススケジューリングメッセージ、フィードバック指示メッセージ、および高効率長トレーニングシーケンスを追加し得る。本発明のこの実施形態では、ＮＤＰＡ、ＮＤＰ、およびトリガフレームを組み合わせる形は、限定されない。ＮＤＰＡ、ＮＤＰ、およびトリガフレームのうちのいずれか２つは、対で組み合わされ得、その後、この２つは、第３の１つと組み合わされ、または、ＮＤＰＡ、ＮＤＰ、およびトリガフレームは、一緒に組み合わされ得る。特定の組合せの形に関しては、図１Ｂの説明を参照されたく、詳細が本明細書でもう一度説明されることはない。
【０１５３】
本発明のこの実施形態には、３つのシーケンス番号７０１がある。これは、アクセスポイントが、ＮＤＰＡ、ＮＤＰ、およびトリガフレームを組み合わせたフレームをブロードキャストの形で複数のステーションに同時に送り得ることを指示する。
【０１５４】
７０２．  ＳＴＡが、ＡＰに肯定応答メッセージまたはチャネル状態情報をフィードバックする。
【０１５５】
ステーションは、アクセスポイントによって送られる第１のリソーススケジューリングメッセージ、フィードバック指示メッセージ、および高効率長トレーニングシーケンスを受信し得、チャネル状態情報を推定し得、第１のリソーススケジューリングメッセージ、フィードバック指示メッセージ、および高効率長トレーニングシーケンスが受信されたことを指示するために肯定応答メッセージをアクセスポイントにフィードバックすると判定し得る。ステーションは、チャネル状態情報をフィードバックするとさらに判定し得る。一般に、ステーションが、フィードバックを即座には実行できない時に、ステーション（ステーション１およびステーション２など）は、肯定応答メッセージをアクセスポイントにまずフィードバックし得る。ステーションが、フィードバックを即座に実行できる時に、ステーションは、チャネル状態情報をアクセスポイントにフィードバックし得る。
【０１５６】
本発明のこの実施形態には、３つのシーケンス番号７０２がある。同一のシーケンス番号は、本明細書で、複数のステーションがアクセスポイントへのフィードバックを同時に実行できることを指示するのに使用される。
【０１５７】
本発明のこの実施形態の複数のステーションが、異なるメッセージをアクセスポイントに同時にフィードバックし得ることを理解されたい。これは、本発明のこの実施形態で限定されない。たとえば、ステーション３は、チャネル状態情報をアクセスポイントにフィードバックし得、ステーション１およびステーション２は、肯定応答メッセージをアクセスポイントにフィードバックし得る。ステーション３がチャネル状態情報をフィードバックした後に、アクセスポイントがチャネル状態情報の一部を受信する場合に、アクセスポイントは、成功裡にはフィードバックされていないチャネル状態情報をフィードバックし続けるようにステーションをスケジューリングするために、リソーススケジューリングメッセージおよびポーリングスケジューリングメッセージをステーションにさらに送り続け得る。本発明のこの実施形態では、ステーション３がすべてのチャネル状態情報を一時にフィードバックする例が、単に例示のために使用される。
【０１５８】
７０３．  ＡＰが、第２のリソーススケジューリングメッセージをＳＴＡに送る。
【０１５９】
肯定応答メッセージを受信した後に、アクセスポイントは、チャネル状態情報をアクセスポイントにフィードバックするようにステーションをトリガするために、第２のリソーススケジューリングメッセージをステーションに送り続け得る。
【０１６０】
７０４．  ＳＴＡが、チャネル状態情報をＡＰに返す。
【０１６１】
アクセスポイントによって送られた第２のリソーススケジューリングメッセージを受信した後に、ステーションは、第２のリソーススケジューリングメッセージによって指示される通信リソースを使用することによって、チャネル状態情報の一部またはすべてをアクセスポイントにフィードバックし得る。
【０１６２】
ステーション１またはステーション２は、すべてのチャネル状態情報をアクセスポイントに返し得、その結果、この手順は終了する。異なるステーションが、異なるフィードバック手順を有することがある。たとえば、ステップ７０４で、ステーション１は、すべてのチャネル状態情報をアクセスポイントにフィードバックし得、その結果、この手順は終了する。ステーション２は、チャネル状態情報の一部をフィードバックし得る。本発明のこの実施形態では、ステーション１とステーション２との両方がチャネル状態情報の一部をフィードバックする例が、例示のために使用される。
【０１６３】
７０５．  ＡＰが、第３のリソーススケジューリングメッセージおよびポーリングスケジューリングメッセージをＳＴＡに送る。
【０１６４】
アクセスポイントが、ステップ７０４でステーションによってフィードバックされるチャネル状態情報の一部を受信する時に、アクセスポイントは、ステーション（ステーション１およびステーション２など）が成功裡にはフィードバックされていないチャネル状態情報をフィードバックし続けるようにするために、第３のリソーススケジューリングメッセージおよびポーリングスケジューリングメッセージをステーションに送り続け得る。
【０１６５】
７０６．  ＳＴＡが、成功裡にフィードバックされていないチャネル状態情報をＡＰに返す。
【０１６６】
アクセスポイントによって送られる第３のリソーススケジューリングメッセージおよびポーリングスケジューリングメッセージを受信した後に、ステーションは、成功裡にフィードバックされていないチャネル状態情報をアクセスポイントにフィードバックし続け得る。
【０１６７】
本発明のこの実施形態では、成功裡にはフィードバックされていないチャネル状態情報は、ステーションによってアクセスポイントにフィードバック済みではないチャネル状態情報とされ得、または、ステーションによってアクセスポイントにフィードバック済みであるが、アクセスポイントによって正しく受信されていないチャネル状態情報とされ得る。アクセスポイントが、ＢＦレポートポールフレームおよびトリガフレームを組み合わせたフレームを送る時に、ステーションは、フィードバックセグメント再送信ビットマップフィールドに従ってチャネル状態情報をフィードバックし得る。アクセスポイントが、トリガフレームだけを送る時に、それは、アクセスポイントがステーションによってフィードバックされたどの情報をも以前に受信しないことを指示し、ステーションは、チャネル状態情報の第１のセグメントから開始してチャネル状態情報をアクセスポイントに送信し得る。
【０１６８】
本発明のこの実施形態では、ＳＴＡ１、ＳＴＡ２、およびＳＴＡ３は、それぞれ、任意のステーションとされ得る。ＳＴＡ２によって実行される手順が、ＳＴＡ１によって実行されることがあり、同様に、ＳＴＡ１によって実行される手順が、ＳＴＡ２によって実行されてもよい。単に説明の簡単さのために、ＳＴＡ１、ＳＴＡ２、およびＳＴＡ３は、本発明のステーションを区別するのに使用され、本発明の保護範囲を限定するよう意図されてはいない。
【０１６９】
図７Ｂの流れ図に表示されたステップは、図７Ａの流れ図に表示されたステップとの１対１対応にある。図７Ｂのフレーム構造は、前述のフィードバック指示メッセージ、高効率長トレーニングシーケンス、リソーススケジューリングメッセージ、およびポーリングスケジューリングメッセージを搬送するのに使用され得る。アクセスポイントが、フレーム送出シーケンスを使用することによって、フィードバックを即座には実行しないように命令する時に、ステーションは、組合せフレームを受信した後に、ビームフォーミングレポートまたは肯定応答フレームをフィードバックすると判定し得る。ステーション３が、ビームフォーミングレポートフィードバックを一時に完了する時に、ステーション３のフィードバック手順は終了し、または、ステーション３が、ビームフォーミングレポートフィードバックを一時には完了しない時に、アクセスポイントは、成功裡にはフィードバックされていないチャネル状態情報をフィードバックするようにステーションをトリガし続けるために、ビームフォーミングレポートポールフレームおよびトリガフレームを組み合わせたフレームをさらに送り得る。このケースはこの実施形態では描かれない。フィードバックを即座には実行しないと判定する時に、ステーション１およびステーション２は、肯定応答フレームをまずフィードバックし得る。チャネル状態情報は、アクセスポイントによって送られたトリガフレームが受信された後にフィードバックされる。その後、成功裡にはフィードバックされていないチャネル状態情報がまだある場合に、アクセスポイントは、チャネル状態情報が完全にフィードバックされるまで、チャネル状態情報をフィードバックし続けるようにステーションをトリガするために、ビームフォーミングレポートポールフレームおよびトリガフレームを組み合わせたフレームを送り続け得る。
【０１７０】
図７は、ＡＰがリソーススケジューリングメッセージ、フィードバック指示メッセージ、および高効率長トレーニングシーケンスをＳＴＡに送った後に、ＳＴＡがチャネル状態情報または肯定応答メッセージをフィードバックすると判定し得るケースを主に説明する。ステーションが、チャネル状態情報を即座にはフィードバックできない時に、ステーションは、肯定応答メッセージをまずフィードバックし、アクセスポイントがチャネル状態情報をフィードバックするようにＳＴＡをさらにスケジューリングした後にチャネル状態情報をフィードバックし得る。したがって、チャネル状態情報は、後続の手順で効率的かつ柔軟に送信され得る。
【０１７１】
方法実施形態８
図８Ａおよび図８Ｂは、アクセスポイントが本発明の別の実施形態に従ってチャネル状態情報を送信するように複数のステーションをスケジューリングする相互作用図である。図８Ａおよび図８Ｂは、２つの異なる展望からの本発明のこの実施形態を別々に反映する。図８Ａは、アクセスポイントとステーションとの間の情報交換またはメッセージ交換を反映する。図８Ｂは、アクセスポイントとステーションとの間のフレーム交換を反映する。情報またはメッセージがフレーム内で搬送されるので、図８Ｂの本質は、図８Ａのそれと同一である。
【０１７２】
８０１．  ＡＰが、フィードバック指示メッセージおよび高効率長トレーニングシーケンスをＳＴＡに送る。
【０１７３】
本明細書のＳＴＡは、図８のＳＴＡ１およびＳＴＡ２とされ得、本明細書で図示されていない別のＳＴＡをさらに含み得る。アクセスポイントは、ステーションがチャネル推定を実行するようにするために、フィードバック指示メッセージおよび高効率長トレーニングシーケンスをステーションに送り得る。フィードバック指示メッセージは、フィードバックを即座に実行すべきかどうかを命令するために、指示メッセージを搬送し得る。たとえば、指示情報が、非即座のフィードバックを指示する時に、ステーションは、フィードバックを即座には実行できないステーションがある時間期間後にチャネル状態情報をフィードバックできることを保証するために、チャネル状態情報を即座にはフィードバックしないことがある。
【０１７４】
８０２．  ＡＰが、第１のリソーススケジューリングメッセージをＳＴＡに送る。
【０１７５】
アクセスポイントは、第１のリソーススケジューリングメッセージをステーションに送り得、第１のリソーススケジューリングメッセージは、フィードバック指示メッセージおよび高効率長トレーニングシーケンスが送られた後に送られる、すなわち、ステップ８０２はステップ８０１の後にあり、その結果、ステーションが、フィードバック指示メッセージおよび高効率長トレーニングシーケンスを受信し、チャネル状態情報をフィードバックできない時に、ステーションは、第１のリソーススケジューリングメッセージを受信した後に、チャネル状態情報をアクセスポイントにフィードバックすることができる。
【０１７６】
８０３．  ＳＴＡが、チャネル状態情報をＡＰに返す。
【０１７７】
フィードバック指示メッセージおよび高効率長トレーニングシーケンスを受信した後に、ステーションが、フィードバックを即座には実行しないことがある。その代わりに、第１のリソーススケジューリングメッセージを受信した後に、ステーションは、チャネル状態情報の一部またはすべてをアクセスポイントにフィードバックする。たとえば、ステーション１およびステーション２は、ステップ８０３で、チャネル状態情報の一部またはすべてをアクセスポイントにフィードバックし得る。本発明のこの実施形態では、ステーション１とステーション２との両方がチャネル状態情報の一部だけをフィードバックする例が、例示のために使用される。
【０１７８】
８０４．  ＡＰが、第２のリソーススケジューリングメッセージおよびポーリングスケジューリングメッセージをＳＴＡに送る。
【０１７９】
ステーションが、ステップ８０３でチャネル状態情報の一部をアクセスポイントにフィードバックする時に、アクセスポイントは、成功裡にはフィードバックされていないチャネル状態情報をフィードバックするようにステーション（ステーション１およびステーション２など）をスケジューリングし続け得る。確かに、アクセスポイントは、チャネル状態情報が完全にフィードバックされるまで、本明細書で１回または複数回ステーションをスケジューリングし続け得る。
【０１８０】
８０５．  ＳＴＡは、成功裡にはフィードバックされていないチャネル状態情報をＡＰに返す。
【０１８１】
アクセスポイントによって送られた第２のリソーススケジューリングメッセージおよびポーリングスケジューリングメッセージを受信した後に、ステーションは、成功裡にはフィードバックされていないチャネル状態情報をアクセスポイントにフィードバックし得る。
【０１８２】
本発明のこの実施形態では、成功裡にはフィードバックされていないチャネル状態情報は、ステーションによってアクセスポイントにフィードバック済みではないチャネル状態情報とされ得、または、ステーションによってアクセスポイントにフィードバック済みであるが、アクセスポイントによって正しく受信されていないチャネル状態情報とされ得る。アクセスポイントが、ＢＦレポートポールフレームおよびトリガフレームを組み合わせたフレームを送る時に、ステーションは、フィードバックセグメント再送信ビットマップフィールドに従ってチャネル状態情報をフィードバックし得る。アクセスポイントが、トリガフレームだけを送る時に、それは、アクセスポイントがステーションによってフィードバックされたどの情報をも以前に受信しないことを指示し、ステーションは、チャネル状態情報の第１のセグメントから開始してチャネル状態情報をアクセスポイントに送信し得る。
【０１８３】
本発明のこの実施形態では、ＳＴＡ１およびＳＴＡ２は、それぞれ、任意のステーションとされ得る。ＳＴＡ２によって実行される手順が、ＳＴＡ１によって実行されることがあり、同様に、ＳＴＡ１によって実行される手順が、ＳＴＡ２によって実行されてもよい。単に説明の簡単さのために、ＳＴＡ１およびＳＴＡ２は、本発明のステーションを区別するのに使用され、本発明の保護範囲を限定するよう意図されてはいない。
【０１８４】
図８Ｂの流れ図に表示されたステップは、図８Ａの流れ図に表示されたステップとの１対１対応にある。図８Ｂのフレーム構造は、前述のフィードバック指示メッセージ、高効率長トレーニングシーケンス、リソーススケジューリングメッセージ、およびポーリングスケジューリングメッセージを搬送するのに使用され得る。アクセスポイントが、フレーム送出シーケンスを使用することによって、フィードバックを即座には実行しないように命令する時に、ステーション１およびステーション２は、トリガフレームを受信した後に限って、ビームフォーミングレポートをフィードバックする。その後、アクセスポイントは、成功裡にはフィードバックされていないチャネル状態情報をフィードバックするようにステーションをスケジューリングし続けるために、ビームフォーミングレポートポールフレームおよびトリガフレームを組み合わせたフレームをさらに送り続け得る。
【０１８５】
図８は、チャネル状態情報を即座にフィードバックするようにＳＴＡに要求すると判定する時に、ＡＰが、フィードバック指示メッセージおよび高効率長トレーニングシーケンスをＳＴＡに送った後にリソーススケジューリングメッセージを送るケースと、ステーションが、フィードバック指示メッセージ、高効率長トレーニングシーケンス、およびリソーススケジューリングメッセージを受信した後にチャネル状態情報をフィードバックする後続手順とを主に説明する。ＡＰは、ＳＴＡによってレポートされる、ＳＴＡがフィードバックを即座に実行できるかどうかに関する情報に従って、フィードバック指示メッセージ、高効率長トレーニングシーケンス、およびリソーススケジューリングメッセージを送るシーケンスを判定する。すなわち、ＡＰは、チャネル状態情報を即座にフィードバックするようにＳＴＡに要求すべきかどうかを判定する。したがって、いくつかのステーションが、フィードバック処理全体でチャネル状態情報を即座にはフィードバックできない時に、ステーションは、それでも、後続処理で全体的な意味でチャネル状態情報を効率的かつ柔軟に送信し得る。
【０１８６】
方法実施形態９
図９Ａおよび図９Ｂは、アクセスポイントが本発明のさらに別の実施形態に従ってチャネル状態情報を送信するように複数のステーションをスケジューリングする相互作用図である。図９Ａおよび図９Ｂは、２つの異なる展望からの本発明のこの実施形態を別々に反映する。図９Ａは、アクセスポイントとステーションとの間の情報交換またはメッセージ交換を反映する。図９Ｂは、アクセスポイントとステーションとの間のフレーム交換を反映する。情報またはメッセージがフレーム内で搬送されるので、図９Ｂの本質は、図９Ａのそれと同一である。
【０１８７】
９０１．  ＡＰが、第１のリソーススケジューリングメッセージ、フィードバック指示メッセージ、および高効率長トレーニングシーケンスをＳＴＡに送る。
【０１８８】
ＡＰは、第１のリソーススケジューリングメッセージ、フィードバック指示メッセージ、および高効率長トレーニングシーケンスをＳＴＡに送る。リソーススケジューリングメッセージまたはフィードバック指示メッセージは、指示メッセージを搬送し得る。本明細書のＳＴＡは、図９のＳＴＡ１およびＳＴＡ２とされ得、本明細書で図示されていない別のＳＴＡをさらに含み得る。指示情報が、非即座のフィードバックを指示する時に、ステーションは、フィードバックを即座には実行できないステーションがある時間期間後にチャネル状態情報をフィードバックできることを保証するために、チャネル状態情報を即座にはフィードバックしないことがある。
【０１８９】
９０２．  ＳＴＡが、肯定応答メッセージをＡＰに返す。
【０１９０】
指示情報を受信した後に、ステーションは、フィードバックを即座に実行する必要がないと判定し、第１のリソーススケジューリングメッセージ、フィードバック指示メッセージ、および高効率長トレーニングシーケンスが受信されたことを指示するために、肯定応答メッセージをアクセスポイントにまずフィードバックし得る。
【０１９１】
９０３．  ＡＰが、第２のリソーススケジューリングメッセージをＳＴＡに送る。
【０１９２】
アクセスポイントは、チャネル状態情報をフィードバックするようにステーションをスケジューリングするために、ある時間期間後に第２のリソーススケジューリングメッセージをステーションに送り得る。
【０１９３】
９０４．  ＳＴＡが、チャネル状態情報をＡＰに返す。
【０１９４】
アクセスポイントによって送られた第２のリソーススケジューリングメッセージを受信した後に、ステーションは、第２のリソーススケジューリングメッセージによって指示される通信リソースを使用することによって、チャネル状態情報の一部またはすべてをアクセスポイントにフィードバックし得る。本発明のこの実施形態では、ステーション１およびステーション２がチャネル状態情報の一部だけをアクセスポイントにフィードバックする例が、例示のために使用される。
【０１９５】
９０５．  ＡＰが、第３のリソーススケジューリングメッセージおよびポーリングスケジューリングメッセージをＳＴＡに送る。
【０１９６】
ステーションが、ステップ９０４でチャネル状態情報の一部をアクセスポイントにフィードバックする時に、アクセスポイントは、成功裡にはフィードバックされていないチャネル状態情報をフィードバックするようにステーション１およびステーション２をスケジューリングし続け得る。確かに、アクセスポイントは、チャネル状態情報が完全にフィードバックされるまで、本明細書で１回または複数回ステーション１およびステーション２をスケジューリングし続け得る。
【０１９７】
９０６．  ＳＴＡが、成功裡にはフィードバックされていないチャネル状態情報をＡＰに返す。
【０１９８】
ステーション１およびステーション２は、成功裡にはフィードバックされていないチャネル状態情報をアクセスポイントにフィードバックし続け得る。
【０１９９】
本発明のこの実施形態では、ＳＴＡ１およびＳＴＡ２は、それぞれ、任意のステーションとされ得る。ＳＴＡ２によって実行される手順が、ＳＴＡ１によって実行されることがあり、同様に、ＳＴＡ１によって実行される手順が、ＳＴＡ２によって実行されてもよい。単に説明の簡単さのために、ＳＴＡ１およびＳＴＡ２は、本発明のステーションを区別するのに使用され、本発明の保護範囲を限定するよう意図されてはいない。
【０２００】
図９Ｂの流れ図に表示されたステップは、図９Ａの流れ図に表示されたステップとの１対１対応にある。図９Ｂのフレーム構造は、前述のフィードバック指示メッセージ、高効率長トレーニングシーケンス、リソーススケジューリングメッセージ、およびポーリングスケジューリングメッセージを搬送するのに使用され得る。アクセスポイントが、ステーション１とステーション２との両方にフィードバックを即座には実行しないように命令する時に、ステーション１およびステーション２は、肯定応答フレームをフィードバックする。その後、アクセスポイントは、ステーションのビームフォーミングレポートをスケジューリングするために、トリガフレームを送り続け得る。ビームフォーミングレポートは、チャネル状態情報の担体である。その後、アクセスポイントは、成功裡にはフィードバックされていないチャネル状態情報をフィードバックするようにステーションをスケジューリングし続けるために、ビームフォーミングレポートポールフレームおよびトリガフレームを組み合わせたフレームをさらに送り続け得る。
【０２０１】
本発明のこの実施形態では、成功裡にはフィードバックされていないチャネル状態情報は、ステーションによってアクセスポイントにフィードバック済みではないチャネル状態情報とされ得、または、ステーションによってアクセスポイントにフィードバック済みであるが、アクセスポイントによって正しく受信されていないチャネル状態情報とされ得る。アクセスポイントが、ＢＦレポートポールフレームおよびトリガフレームを組み合わせたフレームを送る時に、ステーションは、フィードバックセグメント再送信ビットマップフィールドに従ってチャネル状態情報をフィードバックし得る。アクセスポイントが、トリガフレームだけを送る時に、それは、アクセスポイントがステーションによってフィードバックされたどの情報をも以前に受信しないことを指示し、ステーションは、チャネル状態情報の第１のセグメントから開始してチャネル状態情報をアクセスポイントに送信し得る。
【０２０２】
図９は、チャネル状態情報を即座にフィードバックすることをＳＴＡに要求しないと判定する時に、ＡＰが、フィードバック指示メッセージ、高効率長トレーニングシーケンス、およびリソーススケジューリングメッセージをＳＴＡに送り、ＳＴＡがフィードバック指示メッセージ、高効率長トレーニングシーケンス、およびリソーススケジューリングメッセージを受信した後に、ＳＴＡが、ＡＰがフィードバックを即座に実行しないように命令するので肯定応答メッセージをＡＰにフィードバックし、その後、ＡＰが、チャネル状態情報をフィードバックするようにＳＴＡをトリガし、その結果、いくつかのステーションがフィードバック処理全体でチャネル状態情報を即座にはフィードバックできない時に、ステーションが、それでも、後続処理で全体的な意味でチャネル状態情報を効率的かつ柔軟に送信し得るようになるケースを主に説明する。
【０２０３】
方法実施形態１０
図１０Ａ、図１０Ｂ、および図１０Ｃは、アクセスポイントが本発明のさらに別の実施形態に従ってチャネル状態情報を送信するように複数のステーションをスケジューリングする相互作用図である。図１０Ａと図１０Ｂおよび図１０Ｃとは、２つの異なる展望からの本発明のこの実施形態を別々に反映する。図１０Ａは、アクセスポイントとステーションとの間の情報交換またはメッセージ交換を反映する。図１０Ｂおよび図１０Ｃは、アクセスポイントとステーションとの間のフレーム交換を反映する。情報またはメッセージがフレーム内で搬送されるので、図１０Ｂおよび図１０Ｃの本質は、図１０Ａのそれと同一である。
【０２０４】
１００１．  ＡＰが、第１のリソーススケジューリングメッセージ、フィードバック指示メッセージ、および高効率長トレーニングシーケンスをＳＴＡに送る。
【０２０５】
本明細書のＳＴＡは、図１０のＳＴＡ１およびＳＴＡ２とされ得、本明細書で図示されていない別のＳＴＡをさらに含み得る。アクセスポイントは、ＮＤＰＡ、ＮＤＰ、およびトリガフレームを組み合わせたフレームをブロードキャストの形で複数のステーションに送り、フィードバックを実行するように複数のステーションをスケジューリングするために、組合せフレーム内のフィールドに第１のリソーススケジューリングメッセージ、フィードバック指示メッセージ、および高効率長トレーニングシーケンスを追加し得る。組合せフレームは、フィードバックを即座に実行すべきかどうかを命令するのに使用される指示情報を含み、たとえば、指示情報は、ＮＤＰＡまたはトリガフレーム内で搬送され得る。
【０２０６】
１００２．  ＳＴＡが、チャネル状態情報または肯定応答メッセージをＡＰに返す。
【０２０７】
ステーションは、アクセスポイントによって送られる第１のリソーススケジューリングメッセージ、フィードバック指示メッセージ、および高効率長トレーニングシーケンスを受信し得、チャネル状態情報を推定し得、チャネル状態情報または肯定応答メッセージをアクセスポイントにフィードバックし得る。一般に、アクセスポイントが、フィードバックを即座に実行するようにステーションに命令する時に、ステーションは、チャネル状態情報をアクセスポイントにフィードバックし得る。アクセスポイントが、フィードバックを即座には実行しないようにステーションに命令する時に、ステーションは、第１のリソーススケジューリングメッセージ、フィードバック指示メッセージ、および高効率長トレーニングシーケンスが受信されたことを指示するために、肯定応答メッセージをまずフィードバックし得る。
【０２０８】
アクセスポイントの指示情報は、フィードバックを即座に実行しもしくはフィードバックを即座には実行しないようにすべてのステーションに命令し得、または各ステーションに別々に命令し、すなわち、フィードバックを即座に実行するようにいくつかのステーションに命令し、フィードバックを即座には実行しないようにいくつかのステーションに命令し得る。ステーションは、指示に従ってチャネル状態情報または肯定応答メッセージをアクセスポイントにフィードバックし得る。
【０２０９】
１００３．  ＡＰが、第２のリソーススケジューリングメッセージおよびポーリングスケジューリングメッセージをＳＴＡに送る。
【０２１０】
ステーションによって送られるチャネル状態情報または肯定応答メッセージを受信した後に、アクセスポイントは、チャネル状態情報が成功裡に完全にフィードバックされるまで、チャネル状態情報をフィードバックし続けるようにステーションをスケジューリングするために、第２のリソーススケジューリングメッセージおよびポーリングスケジューリングメッセージをステーションに送り続け得る。
【０２１１】
１００４．  ＳＴＡが、成功裡にはフィードバックされていないチャネル状態情報をＡＰに返す。
【０２１２】
アクセスポイントによって送られる第２のリソーススケジューリングメッセージおよびポーリングスケジューリングメッセージを受信した後に、ステーションは、成功裡にはフィードバックされていないチャネル状態情報をアクセスポイントにフィードバックし続ける。
【０２１３】
本発明のこの実施形態では、ＳＴＡ１およびＳＴＡ２は、それぞれ、任意のステーションとされ得る。ＳＴＡ２によって実行される手順が、ＳＴＡ１によって実行されることがあり、同様に、ＳＴＡ１によって実行される手順が、ＳＴＡ２によって実行されてもよい。単に説明の簡単さのために、ＳＴＡ１およびＳＴＡ２は、本発明のステーションを区別するのに使用され、本発明の保護範囲を限定するよう意図されてはいない。
【０２１４】
図１０Ｂの流れ図に表示されたステップは、図１０Ａの流れ図に表示されたステップとの１対１対応にある。図１０Ｂは、アクセスポイントが、フィードバックを即座に実行するようにすべてのステーションに命令するケースを示す。アクセスポイントが、フィードバックを即座に実行するようにステーション１とステーション２との両方に命令する時に、ステーション１およびステーション２は、ビームフォーミングレポートを即座にフィードバックする。ビームフォーミングレポートは、チャネル状態情報の担体である。アクセスポイントは、成功裡にはフィードバックされていないチャネル状態情報をフィードバックするようにステーションをスケジューリングし続けるために、ビームフォーミングレポートポールフレームおよびトリガフレームを組み合わせたフレームをさらに送り続け得る。
【０２１５】
図１０Ｃの流れ図に表示されたステップは、図１０Ａの流れ図に表示されたステップとの１対１対応にある。図１０Ｃは、アクセスポイントが、フィードバックを即座には実行しないようにいくつかのステーションに命令し、フィードバックを即座に実行するようにいくつかのステーションに命令するケースを示す。アクセスポイントが、フィードバックを即座には実行しないようにステーション１に命令する時に、ステーション１は、肯定応答メッセージをフィードバックし得る。アクセスポイントが、フィードバックを即座に実行するようにステーション２に命令する時に、ステーション２は、ビームフォーミングレポートをフィードバックし得る。ビームフォーミングレポートは、チャネル状態情報の担体である。アクセスポイントは、成功裡にはフィードバックされていないチャネル状態情報をフィードバックするようにステーションをスケジューリングし続けるために、ビームフォーミングレポートポールフレームおよびトリガフレームを組み合わせたフレームをさらに送り続け得る。
【０２１６】
図１０は、ＡＰが、フィードバック指示メッセージ、高効率長トレーニングシーケンス、およびリソーススケジューリングメッセージをＳＴＡに送り、フィードバック指示メッセージ、高効率長トレーニングシーケンス、およびリソーススケジューリングメッセージを受信した後に、ステーションが、ＡＰの命令に従ってチャネル状態情報または肯定応答メッセージをフィードバックし得、その後、ＡＰが、成功裡にはフィードバックされていないチャネル状態情報をフィードバックし続けるようにＳＴＡをトリガし、その結果、ＳＴＡが、フィードバック処理全体でチャネル状態情報をフィードバックするのに不十分なリソースを有する時に、ＳＴＡが、まずチャネル状態情報の一部をフィードバックし得、ＡＰによって送られる、チャネル状態情報の別の部分をフィードバックし続けることに関するリソーススケジューリングメッセージを受信した後に、ＡＰがＳＴＡのチャネル状態情報を完全に受信するまで、ＳＴＡが、成功裡にはフィードバックされていないチャネル状態情報をフィードバックし続け得るケースを主に説明する。
【０２１７】
本発明のこの実施形態では、アクセスポイントは、フィードバックを即座に実行しまたはフィードバックを即座には実行しないように異なるステーションに別々に命令し得、ステーションの手順は、アクセスポイントの指示に従って別々に実行され、本明細書で１つずつ説明されることはない。
【０２１８】
図１１および図１２を参照して、以下は、ビームフォーミングレポートポールフレームおよびトリガフレームを組み合わせる、本発明の実施形態で使用されるフレームの特定の構造を説明する。
【０２１９】
実施形態１１
図１１は、本発明の実施形態による、ビームフォーミングレポートポールフレームおよびトリガフレームを組み合わせる、トリガフレームに基づいて設計されるフレームの構造図である。
【０２２０】
図１１の組合せフレームは、トリガフレームに基づいて設計され、元のトリガフレームを再利用し得る。図１１の組合せフレームは、フレーム制御フィールド、ビームフォーミングレポートポールタイプ指示フィールド、リソース割振り再利用指示フィールド、ステーション識別子フィールド、リソース割振り情報フィールド、およびフィードバックセグメント再送信ビットマップフィールドを含む。
【０２２１】
フレーム制御フィールドは、フレームがリソーススケジューリングに使用され得ることを指示するのに使用され得る。ビームフォーミングレポートポールタイプ指示フィールドは、フレームのタイプを指示するのに使用され得、フレームのタイプは、ビームフォーミングレポートに対してポーリングを実行するのに使用され得る。具体的には、フィードバックセグメント再送信ビットマップフィールドは、どのセグメントが送信されるべきであるのかを指示するのに使用され得る。リソース割振り情報フィールドは、リソーススケジューリングメッセージを含み得る。リソース割振り再利用指示フィールドは、フレームによって指示される通信リソースが、以前の送信で使用された通信リソースと同一であるかどうかを指示するのに使用され得る。フレームによって指示される通信リソースが、以前の送信で使用された通信リソースと同一である時に、リソース割振り情報フィールドは、要求されないものとされ得る。その代わりに、以前の送信で使用された通信リソースが、送信に直接に使用される。フレームによって指示される通信リソースが、以前の送信で使用された通信リソースとは異なる時に、フレーム内のリソース割振り情報フィールド内に含まれるリソーススケジューリングメッセージによって指示される通信リソースが、送信に使用され得る。ステーション識別子フィールドは、チャネル状態情報をアクセスポイントにフィードバックする必要があるステーションを指示するのに使用される。
【０２２２】
実施形態１２
図１２は、本発明の別の実施形態による、ビームフォーミングレポートポールフレームおよびトリガフレームを組み合わせる、ビームフォーミングレポートポールフレームに基づいて設計されるフレームの構造図である。
【０２２３】
図１２の組合せフレームは、ビームフォーミングレポートポールフレームに基づいて設計され、元のビームフォーミングレポートポールフレームを再利用し得る。図１２の組合せフレームは、フレーム制御フィールド、持続時間フィールド、受信器アドレスフィールド、送信器アドレスフィールド、フィードバックセグメント再送信ビットマップフィールド、関連付けアドレスフィールド、ならびに各ステーションのフィードバックセグメント再送信ビットマップフィールドおよびチェックシーケンスフィールドを含む。
【０２２４】
フレーム制御フィールドは、フレームがビームフォーミングレポートに対してポーリングを実行するのに使用され得ることを指示するのに使用され得る。関連付けアドレスフィールドは、ポーリングされるステーションの識別子を指示するのに使用され得る。元のビームフォーミングレポートポールフレームフィールド内のフィードバックセグメント再送信ビットマップフィールドは、あるタイプのフレームが、ビームフォーミングレポートポールフレームおよびトリガフレームを組み合わせたフレームであることを指示するのに使用され得る。リソース割振り情報フィールドは、リソーススケジューリングメッセージを含み得る。リソース割振り再利用指示フィールドは、フレームによって指示される通信リソースが、以前の送信で使用された通信リソースと同一であるかどうかを指示するのに使用され得る。フレームによって指示される通信リソースが、以前の送信で使用された通信リソースと同一である時に、リソース割振り情報フィールドは、要求されないものとされ得る。その代わりに、以前の送信で使用された通信リソースが、送信に直接に使用される。フレームによって指示される通信リソースが、以前の送信で使用された通信リソースとは異なる時に、フレーム内のリソース割振り情報フィールド内に含まれるリソーススケジューリングメッセージによって指示される通信リソースが、送信に使用され得る。
【０２２５】
図１Ｂから図１２を参照すると、前述は、本発明の実施形態に従ってチャネル状態情報を送信する方法を、ステーションおよびアクセスポイントの展望から別々に詳細に説明する。図１３から図１９を参照して、以下は、本発明の実施形態に従ってチャネル状態情報を送信するアクセスポイントおよびステーションを詳細に説明する。
【０２２６】
装置実施形態１
図１３は、本発明の実施形態に従ってチャネル状態情報を送信するステーションの概略図である。図１３のステーションは、第１の受信ユニット１１および第１の送出ユニット１２を含む。
【０２２７】
第１の受信ユニット１１は、アクセスポイントＡＰによって送られたフィードバック指示メッセージ、高効率長トレーニングシーケンス、および第１のリソーススケジューリングメッセージを受信するように構成される。フィードバック指示メッセージは、チャネル状態情報をＡＰにフィードバックする必要がある少なくとも２つのターゲットステーションＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡがフィードバック指示メッセージ、高効率長トレーニングシーケンス、および第１のリソーススケジューリングメッセージに従ってフィードバックを実行する時にターゲットＳＴＡによって使用される第１の通信リソースを指示するのに使用される。
【０２２８】
第１の送出ユニット１２は、受信ユニットによって受信されたフィードバック指示メッセージが解析され、ＳＴＡがターゲットＳＴＡに属すると判定される時に、第１の通信リソースを使用することによって肯定応答メッセージをＡＰに送るように構成される。肯定応答メッセージは、フィードバック指示メッセージ、高効率長トレーニングシーケンス、および第１のリソーススケジューリングメッセージが受信されたことを指示するのに使用される。
【０２２９】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【０２３０】
任意選択で、本発明の実施形態では、送出ユニットは、ターゲットＳＴＡが、第１のチャネル状態情報を即座にはフィードバックできない時に、フィードバック指示メッセージ、高効率長トレーニングシーケンス、および第１のリソーススケジューリングメッセージが受信されてからＸインターフレームスペースＸＩＦＳ後に、第１の通信リソースを使用することによってＡＰに肯定応答メッセージを送るように具体的に構成される。
【０２３１】
任意選択で、本発明の実施形態では、ステーションは、第１の判定ユニットをさらに含む。第１の判定ユニットは、高効率長トレーニングシーケンスに従って第１のチャネル状態情報を判定するように構成される。
【０２３２】
任意選択で、本発明の実施形態では、ステーションは、第２の受信ユニットと第２の送出ユニットとをさらに含む。第２の受信ユニットは、ＡＰによって送られた第２のリソーススケジューリングメッセージを受信するように構成される。第２のリソーススケジューリングメッセージは、ＳＴＡが第２のチャネル状態情報をフィードバックする時にＳＴＡによって使用される第２の通信リソースを指示するのに使用される。第２の送出ユニットは、第２の通信リソースを使用することによって第２のチャネル状態情報をＡＰに送るように構成される。第２のチャネル状態情報は、第１のチャネル状態情報の一部またはすべてである。
【０２３３】
任意選択で、本発明の実施形態では、ステーションは、第３の受信ユニットと第３の送出ユニットとをさらに含む。第３の受信ユニットは、ＡＰによって送られる第１のポーリングスケジューリングメッセージおよび第３のリソーススケジューリングメッセージを受信するように構成される。第１のポーリングスケジューリングメッセージは、ＳＴＡに第３のチャネル状態情報を要求するためにＡＰによって使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第３のリソーススケジューリングメッセージは、ＳＴＡが第３のチャネル状態情報をフィードバックする時にＳＴＡによって使用される第３の通信リソースを指示するのに使用される。第３の送出ユニットは、第３の通信リソースを使用することによって第３のチャネル状態情報をＡＰに送るように構成される。
【０２３４】
任意選択で、本発明の実施形態では、第１のポーリングスケジューリングメッセージおよび第３のリソーススケジューリングメッセージは、同一のデータパケット内で運ばれる。
【０２３５】
任意選択で、本発明の実施形態では、第１のポーリングスケジューリングメッセージおよび第３のリソーススケジューリングメッセージは、同一のデータパケットのトリガフレーム内で運ばれる。トリガフレームは、第１のビームフォーミングレポートポールタイプ指示フィールドおよび第１のフィードバックセグメント再送信ビットマップフィールドを含む。トリガフレームは、第１のリソース割振り情報フィールドまたは第１のリソース割振り再利用指示フィールドのうちの少なくとも１つをさらに含む。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。
【０２３６】
任意選択で、本発明の実施形態では、トリガフレームは、ＳＴＡの識別子フィールドをさらに含む。
【０２３７】
任意選択で、本発明の実施形態では、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含み得る。ＢＦレポートポールフレームは、第２のリソース割振り情報フィールドまたは第２のリソース割振り再利用指示フィールドのうちの少なくとも１つをさらに含み得る。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【０２３８】
任意選択で、本発明の実施形態では、ＢＦレポートポールフレームは、ＳＴＡの識別子フィールドをさらに含む。
【０２３９】
任意選択で、本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示される。
【０２４０】
任意選択で、本発明の実施形態では、ステーションは第２の判定ユニットをさらに含み、第２の判定ユニットは、ＳＴＡが制限された能力を有する、ＳＴＡによって第１のチャネル状態情報をバッファリングすることに関する優先順位が第１のしきい値未満である、または第１の通信リソース内のリソースブロックのサイズがしきい値未満であるという条件のうちの少なくとも１つに従って、ＳＴＡが第１のチャネル状態情報を即座にはフィードバックできないと判定するように構成される。
【０２４１】
本発明のこの実施形態に従ってチャネル状態情報を送信するステーションは、本発明の実施形態におけるチャネル状態情報を送信する方法のステーションに対応しているものとされ得る。さらに、ステーションのユニット／モジュールの前述のおよび他の動作および／または機能は、図１Ｂに示された方法の対応する手順を実施するのに別々に使用され得る。簡潔さのために、詳細が本明細書でもう一度説明されることはない。
【０２４２】
装置実施形態２
図１４は、本発明の別の実施形態に従ってチャネル状態情報を送信するアクセスポイントの概略図である。
【０２４３】
図１４のアクセスポイントは、第１の送出ユニット２１および第１の受信ユニット２２を含む。
【０２４４】
第１の送出ユニット２１は、フィードバック指示メッセージ、高効率長トレーニングシーケンス、および第１のリソーススケジューリングメッセージをステーションＳＴＡに送るように構成される。フィードバック指示メッセージは、チャネル状態情報をフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡがフィードバック指示メッセージ、高効率長トレーニングシーケンス、および第１のリソーススケジューリングメッセージに従ってフィードバックを実行する時に、ターゲットＳＴＡによって使用される第１の通信リソースを指示するのに使用される。
【０２４５】
第１の受信ユニット２２は、第１の送出ユニットによって送られた第１のリソーススケジューリングメッセージによって指示される第１の通信リソースを使用することによって、ターゲットＳＴＡによって送られた肯定応答メッセージを受信するように構成される。肯定応答メッセージは、ターゲットＳＴＡが、フィードバック指示メッセージ、高効率長トレーニングシーケンス、および第１のリソーススケジューリングメッセージを受信したことを指示するのに使用される。
【０２４６】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【０２４７】
任意選択で、本発明の実施形態では、第１の受信ユニットは、ターゲットＳＴＡがフィードバック指示メッセージ、高効率長トレーニングシーケンス、および第１のリソーススケジューリングメッセージを受信してからＸインターフレームスペースＸＩＦＳ後に、ターゲットＳＴＡによって、第１の通信リソースを使用することによって送られる肯定応答メッセージを受信するように具体的に構成され、ターゲットＳＴＡは、チャネル状態情報を即座にはフィードバックできない。
【０２４８】
任意選択で、本発明の実施形態では、アクセスポイントは、第２の送出ユニットと第２の受信ユニットとをさらに含む。第２の送出ユニットは、第２のリソーススケジューリングメッセージをターゲットＳＴＡに送るように構成される。第２のリソーススケジューリングメッセージは、ターゲットＳＴＡが第２のチャネル状態情報をフィードバックする時にターゲットＳＴＡによって使用される第２の通信リソースを指示するのに使用される。第２の受信ユニットは、第２の通信リソースを使用することによってターゲットＳＴＡによって送られた第２のチャネル状態情報を受信するように構成される。第２のチャネル状態情報は、第１のチャネル状態情報の一部またはすべてである。
【０２４９】
任意選択で、本発明の実施形態では、アクセスポイントは、第３の送出ユニットおよび第３の受信ユニットをさらに含む。第３の送出ユニットは、第１のポーリングスケジューリングメッセージおよび第３のリソーススケジューリングメッセージをターゲットＳＴＡに送るように構成される。第１のポーリングスケジューリングメッセージは、ターゲットＳＴＡに第３のチャネル状態情報を要求するのに使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第３のリソーススケジューリングメッセージは、ターゲットＳＴＡが第３のチャネル状態情報をフィードバックする時にターゲットＳＴＡによって使用される第３の通信リソースを指示するのに使用される。第３の受信ユニットは、第３の通信リソースを使用することによってターゲットＳＴＡによって送られた第３のチャネル状態情報を受信するように構成される。
【０２５０】
任意選択で、本発明の実施形態では、第１のポーリングスケジューリングメッセージおよび第３のリソーススケジューリングメッセージは、同一のデータパケット内で運ばれる。
【０２５１】
任意選択で、本発明の実施形態では、第１のポーリングスケジューリングメッセージおよび第３のリソーススケジューリングメッセージは、同一のデータパケットのトリガフレーム内で運ばれる。トリガフレームは、第１のビームフォーミングレポートポールタイプ指示フィールドおよび第１のフィードバックセグメント再送信ビットマップフィールドを含む。トリガフレームは、第１のリソース割振り情報フィールドまたは第１のリソース割振り再利用指示フィールドのうちの少なくとも１つをさらに含む。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。
【０２５２】
任意選択で、本発明の実施形態では、トリガフレームは、ＳＴＡの識別子フィールドをさらに含む。
【０２５３】
任意選択で、本発明の実施形態では、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含む。ＢＦレポートポールフレームは、第２のリソース割振り情報フィールドまたは第２のリソース割振り再利用指示フィールドのうちの少なくとも１つをさらに含む。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【０２５４】
任意選択で、本発明の実施形態では、ＢＦレポートポールフレームは、ＳＴＡの識別子フィールドをさらに含む。
【０２５５】
任意選択で、本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示される。
【０２５６】
任意選択で、本発明の実施形態では、第１のチャネル状態情報を即座にはフィードバックできないターゲットＳＴＡは、ターゲットＳＴＡが制限された能力を有する、ターゲットＳＴＡによって第１のチャネル状態情報をバッファリングすることに関する優先順位が第１のしきい値未満である、または第１の通信リソース内のリソースブロックのサイズがしきい値未満であるという条件のうちの少なくとも１つを満足する。
【０２５７】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図２に示された方法の対応する手順を実施するのに別々に使用され得る。簡潔さのために、詳細が本明細書でもう一度説明されることはない。
【０２５８】
方法実施形態３
図１５は、本発明のさらに別の実施形態に従ってチャネル状態情報を送信するステーションの概略図である。
【０２５９】
図１５のステーションは、第１の受信ユニット３１および第１の送出ユニット３２を含む。
【０２６０】
第１の受信ユニット３１は、第１の指示情報に従って、アクセスポイントＡＰによって送られる第１のリソーススケジューリングメッセージ、第１のフィードバック指示メッセージ、および第１の高効率長トレーニングシーケンスを受信するように構成される。第１のフィードバック指示メッセージは、チャネル状態情報をＡＰにフィードバックする必要がある少なくとも２つのターゲットステーションＳＴＡを指示するのに使用される。第１のリソーススケジューリングメッセージまたは第１のフィードバック指示メッセージは、第１の指示情報を含む。第１の指示情報は、チャネル状態情報を即座にフィードバックすべきかどうかをターゲットＳＴＡに命令するのに使用される。第１の高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用される。第２のチャネル状態情報は、第１のチャネル状態情報の一部またはすべてである。肯定応答メッセージは、第１のフィードバック指示メッセージ、第１の高効率長トレーニングシーケンス、および第１のリソーススケジューリングメッセージが受信されたことを指示するのに使用される。
【０２６１】
第１の送出ユニット３２は、第１の受信ユニットによって受信された第１のフィードバック指示メッセージが解析され、ＳＴＡがターゲットＳＴＡに属すると判定される時に、第１のチャネル状態情報を判定するために、第１の受信ユニットによって受信された第１の高効率長トレーニングシーケンスに従ってチャネル推定を実行し、第１の受信ユニットによって受信された第１のリソーススケジューリングメッセージによって指示される第１の通信リソースを使用することによって第２のチャネル状態情報または肯定応答メッセージをＡＰに送るように構成される。
【０２６２】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【０２６３】
任意選択で、本発明の実施形態では、第１の受信ユニットは、第１の指示情報が、チャネル状態情報を即座にはフィードバックしないようにＳＴＡに命令する時に、ＡＰによって送られた第１のフィードバック指示メッセージおよび第１の高効率長トレーニングシーケンスを受信してからＸインターフレームスペースＸＩＦＳ後に第１のリソーススケジューリングメッセージを受信するように具体的に構成される。第１のフィードバック指示メッセージは、第１の指示情報を含む。第１の送出ユニットは、第１のリソーススケジューリングメッセージが受信されてからＸインターフレームスペースＸＩＦＳ後に、第１の通信リソースを使用することによって第１のリソーススケジューリングメッセージ、第１のフィードバック指示メッセージおよび第１の高効率長トレーニングシーケンスに従って第２のチャネル状態情報をＡＰに送るように具体的に構成される。
【０２６４】
任意選択で、本発明の実施形態では、ステーションは、第２の受信ユニットおよび第２の送出ユニットをさらに含む。第２の受信ユニットは、ＡＰによって送られる第１のポーリングスケジューリングメッセージおよび第２のリソーススケジューリングメッセージを受信するように構成される。第１のポーリングスケジューリングメッセージは、ＳＴＡに第３のチャネル状態情報を要求するために使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ＳＴＡが第３のチャネル状態情報をフィードバックする時にＳＴＡによって使用される第２の通信リソースを指示するのに使用される。第２の送出ユニットは、第２の通信リソースを使用することによって第３のチャネル状態情報をＡＰに送るように構成される。
【０２６５】
任意選択で、本発明の実施形態では、第１の送出ユニットは、第１の指示情報が、チャネル状態情報を即座にはフィードバックしないようにＳＴＡに命令する時に、第１のリソーススケジューリングメッセージを受信してからＸインターフレームスペースＸＩＦＳ後に、第１の通信リソースを使用することによって肯定応答メッセージをＡＰに送るように具体的に構成される。
【０２６６】
任意選択で、本発明の実施形態では、ステーションは、第３の受信ユニットおよび第３の送出ユニットをさらに含む。第３の受信ユニットは、ＡＰによって送られた第３のリソーススケジューリングメッセージを受信するように構成される。第３のリソーススケジューリングメッセージは、ＳＴＡが第４のチャネル状態情報をフィードバックする時にＳＴＡによって使用される第３の通信リソースを指示するのに使用される。第３の送出ユニットは、第３の通信リソースを使用することによって第４のチャネル状態情報を送るように構成され、第４のチャネル状態情報は、第１のチャネル状態情報の一部またはすべてである。
【０２６７】
任意選択で、本発明の実施形態では、ステーションは、第４の受信ユニットおよび第４の送出ユニットをさらに含む。第４の受信ユニットは、ＡＰによって送られる第２のポーリングスケジューリングメッセージおよび第４のリソーススケジューリングメッセージを受信するように構成される。第２のポーリングスケジューリングメッセージは、ＳＴＡに第５のチャネル状態情報を要求するために使用される。第２のポーリングスケジューリングメッセージは、第１のチャネル状態情報内に第５のチャネル状態情報のセグメント情報を含む。第５のチャネル状態情報は、第４のチャネル状態情報がそれから除去される第１のチャネル状態情報の一部またはすべてである。第４のリソーススケジューリングメッセージは、ターゲットＳＴＡが第５のチャネル状態情報をフィードバックする時にターゲットＳＴＡによって使用される第４の通信リソースを指示するのに使用される。第４の送出ユニットは、第４の通信リソースを使用することによって第５のチャネル状態情報をＡＰに送るように構成される。
【０２６８】
任意選択で、本発明の実施形態では、第１の送出ユニットは、第１の指示情報が、チャネル状態情報を即座にフィードバックするようにＳＴＡに命令する時に、第１のリソーススケジューリングメッセージを送ってからＸインターフレームスペースＸＩＦＳ後に、第１の通信リソースを使用することによって第２のチャネル状態情報をＡＰに送るように具体的に構成される。
【０２６９】
任意選択で、本発明の実施形態では、ステーションは、第５の受信ユニットおよび第５の送出ユニットをさらに含む。第５の受信ユニットは、ＡＰによって送られる第３のポーリングスケジューリングメッセージおよび第５のリソーススケジューリングメッセージを受信するように構成される。第３のポーリングスケジューリングメッセージは、ＳＴＡに第６のチャネル状態情報を要求するのに使用される。第３のポーリングスケジューリングメッセージは、第１のチャネル状態情報内に第６のチャネル状態情報のセグメント情報を含む。第６のチャネル状態情報は、第２のチャネル状態情報がそれから除去される第１のチャネル状態情報の一部またはすべてである。第５のリソーススケジューリングメッセージは、ターゲットＳＴＡが第６のチャネル状態情報をフィードバックする時にターゲットＳＴＡによって使用される第５の通信リソースを指示するのに使用される。第５の送出ユニットは、第５の通信リソースを使用することによって第６のチャネル状態情報をＡＰに送るように構成される。
【０２７０】
任意選択で、本発明の実施形態では、第１の指示情報は、ＳＴＡがチャネル状態情報をフィードバックする時刻を指示するのに使用されるフィールドを含む。
【０２７１】
任意選択で、本発明の実施形態では、第１の指示情報は、チャネル状態情報を即座にフィードバックすべきかどうかをすべてのＳＴＡに命令しまたは各ＳＴＡに別々に命令するのに使用されるフィールドを含む。
【０２７２】
任意選択で、本発明の実施形態では、第１の送出ユニットが、第１のフィードバック指示メッセージおよび第１の高効率長トレーニングシーケンスを送った後に第１のリソーススケジューリングメッセージを送るように具体的に構成される時に、第１の指示情報は、非即座のフィードバックを指示するのに使用される。
【０２７３】
任意選択で、本発明の実施形態では、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０２７４】
任意選択で、本発明の実施形態では、第１のフィードバック指示メッセージ、第１の高効率長トレーニングシーケンス、および第１のリソーススケジューリングメッセージは、異なるフレーム内に配置される。
【０２７５】
任意選択で、本発明の実施形態では、第１のポーリングスケジューリングメッセージおよび第２のリソーススケジューリングメッセージは、同一のデータパケット内に配置され、または、第２のポーリングスケジューリングメッセージおよび第４のリソーススケジューリングメッセージは、同一のデータパケット内に配置され、または、第３のポーリングスケジューリングメッセージおよび第５のリソーススケジューリングメッセージは、同一のデータパケット内に配置される。
【０２７６】
本発明のこの実施形態に従ってチャネル状態情報を送信するステーションは、本発明の実施形態に従ってチャネル状態情報を送信する方法に対応しているものとされ得る。さらに、ステーションのユニット／モジュールの前述のおよび他の動作および／または機能は、図３に示された方法の対応する手順を実施するのに別々に使用され得る。簡潔さのために、詳細が本明細書でもう一度説明されることはない。
【０２７７】
装置実施形態４
図１６は、本発明のさらに別の実施形態に従ってチャネル状態情報を送信するアクセスポイントの概略図である。
【０２７８】
図１６のアクセスポイントは、判定ユニット４１、第１の送出ユニット４２、および第１の受信ユニット４３を含む。
【０２７９】
判定ユニット４１は、第１の指示情報を判定するように構成され、第１の指示情報は、チャネル状態情報を即座にフィードバックすべきかどうかを少なくとも２つのターゲットステーションＳＴＡに命令するのに使用され、少なくとも２つのターゲットステーションＳＴＡは、アクセスポイントＡＰにチャネル状態情報をフィードバックする必要がある。
【０２８０】
第１の送出ユニット４２は、判定ユニットによって判定された第１の指示情報に従って、第１のリソーススケジューリングメッセージ、第１のフィードバック指示メッセージ、および第１の高効率長トレーニングシーケンスをターゲットＳＴＡに送るように構成される。第１のリソーススケジューリングメッセージまたは第１のフィードバック指示メッセージは、第１の指示情報を含む。第１のフィードバック指示メッセージは、チャネル状態情報をＡＰにフィードバックする必要がある少なくとも２つのターゲットステーションＳＴＡを指示するのに使用される。第１の高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用される。第２のチャネル状態情報は、第１のチャネル状態情報の一部またはすべてである。肯定応答メッセージは、第１のフィードバック指示メッセージ、第１の高効率長トレーニングシーケンス、および第１のリソーススケジューリングメッセージが受信されたことを指示するのに使用される。
【０２８１】
第１の受信ユニット４３は、第１の通信リソースを使用することによって、第１の送出ユニットによって送られた第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するように構成される。
【０２８２】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【０２８３】
任意選択で、本発明の実施形態では、第１の送出ユニットは、第１の指示情報が、チャネル状態情報を即座にはフィードバックしないようにターゲットＳＴＡに命令する時に、第１のフィードバック指示メッセージおよび第１の高効率長トレーニングシーケンスを送ってからＸインターフレームスペースＸＩＦＳ後に第１のリソーススケジューリングメッセージを送るように具体的に構成される。第１のフィードバック指示メッセージは、第１の指示情報を含む。第１の受信ユニットは、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ＳＴＡによって送られる第２のチャネル状態情報を受信するように具体的に構成される。
【０２８４】
任意選択で、本発明の実施形態では、アクセスポイントは、第２の送出ユニットおよび第２の受信ユニットをさらに含む。第２の送出ユニットは、第１のポーリングスケジューリングメッセージおよび第２のリソーススケジューリングメッセージを送るように構成される。第１のポーリングスケジューリングメッセージは、ターゲットＳＴＡに第３のチャネル状態情報を要求するために使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。第２の受信ユニットは、第２の通信リソースを使用することによって、ターゲットＳＴＡによって送られた第３のチャネル状態情報を受信するように構成される。
【０２８５】
任意選択で、本発明の実施形態では、第１の受信ユニットは、第１の指示情報が、チャネル状態情報を即座にはフィードバックしないようにターゲットＳＴＡに命令する時に、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる肯定応答メッセージを受信するように具体的に構成される。
【０２８６】
任意選択で、本発明の実施形態では、アクセスポイントは、第３の送出ユニットおよび第３の受信ユニットをさらに含む。第３の送出ユニットは、第３のリソーススケジューリングメッセージを送るように構成される。第３のリソーススケジューリングメッセージは、ターゲットＳＴＡが第４のチャネル状態情報をフィードバックする時にターゲットＳＴＡによって使用される第３の通信リソースを指示するのに使用される。第３の受信ユニットは、第３の通信リソースを使用することによって、ターゲットＳＴＡによって送られた第４のチャネル状態情報を受信するように構成され、第４のチャネル状態情報は、第１のチャネル状態情報の一部またはすべてである。
【０２８７】
任意選択で、本発明の実施形態では、アクセスポイントは、第４の送出ユニットおよび第４の受信ユニットをさらに含む。第４の送出ユニットは、第２のポーリングスケジューリングメッセージおよび第４のリソーススケジューリングメッセージを送るように構成される。第２のポーリングスケジューリングメッセージは、ターゲットＳＴＡに第５のチャネル状態情報を要求するために使用される。第２のポーリングスケジューリングメッセージは、第１のチャネル状態情報内に第５のチャネル状態情報のセグメント情報を含む。第５のチャネル状態情報は、第４のチャネル状態情報がそれから除去される第１のチャネル状態情報の一部またはすべてである。第４のリソーススケジューリングメッセージは、ターゲットＳＴＡが第５のチャネル状態情報をフィードバックする時にターゲットＳＴＡによって使用される第４の通信リソースを指示するのに使用される。第４の受信ユニットは、第４の通信リソースを使用することによって、ターゲットＳＴＡによって送られた第５のチャネル状態情報を受信するように構成される。
【０２８８】
任意選択で、本発明の実施形態では、第１の受信ユニットは、第１の指示情報が、チャネル状態情報を即座にフィードバックするようにターゲットＳＴＡに命令する時に、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報を受信するように具体的に構成される。
【０２８９】
任意選択で、本発明の実施形態では、アクセスポイントは、第５の送出ユニットおよび第５の受信ユニットをさらに含む。第５の送出ユニットは、第３のポーリングスケジューリングメッセージおよび第５のリソーススケジューリングメッセージを送るように構成される。第３のポーリングスケジューリングメッセージは、ターゲットＳＴＡに第６のチャネル状態情報を要求するのに使用される。第３のポーリングスケジューリングメッセージは、第１のチャネル状態情報内に第６のチャネル状態情報のセグメント情報を含む。第６のチャネル状態情報は、第２のチャネル状態情報がそれから除去される第１のチャネル状態情報の一部またはすべてである。第５のリソーススケジューリングメッセージは、ターゲットＳＴＡが第６のチャネル状態情報をフィードバックする時にターゲットＳＴＡによって使用される第５の通信リソースを指示するのに使用される。第５の受信ユニットは、第５の通信リソースを使用することによって、ターゲットＳＴＡによって送られた第６のチャネル状態情報を受信するように構成される。
【０２９０】
任意選択で、本発明の実施形態では、第１の指示情報は、ターゲットＳＴＡがチャネル状態情報をフィードバックする時刻を指示するのに使用されるフィールドを含む。
【０２９１】
任意選択で、本発明の実施形態では、第１の指示情報は、チャネル状態情報を即座にフィードバックすべきかどうかをすべてのターゲットＳＴＡに命令しまたは各ターゲットＳＴＡに別々に命令するのに使用されるフィールドを含む。
【０２９２】
任意選択で、本発明の実施形態では、第１のリソーススケジューリングメッセージが、第１のフィードバック指示メッセージおよび第１の高効率長トレーニングシーケンスが送られた後に送られる時に、第１の指示情報は、非即座のフィードバックを指示するのに使用される。
【０２９３】
任意選択で、本発明の実施形態では、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０２９４】
任意選択で、本発明の実施形態では、第１のフィードバック指示メッセージ、第１の高効率長トレーニングシーケンス、および第１のリソーススケジューリングメッセージは、異なるフレーム内に配置される。
【０２９５】
任意選択で、本発明の実施形態では、第１のポーリングスケジューリングメッセージおよび第２のリソーススケジューリングメッセージは、同一のデータパケット内に配置され、または、第２のポーリングスケジューリングメッセージおよび第４のリソーススケジューリングメッセージは、同一のデータパケット内に配置され、または、第３のポーリングスケジューリングメッセージおよび第５のリソーススケジューリングメッセージは、同一のデータパケット内に配置される。
【０２９６】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図４に示された方法の対応する手順を実施するのに別々に使用され得る。簡潔さのために、詳細が本明細書でもう一度説明されることはない。
【０２９７】
装置実施形態５
図１７は、本発明のさらに別の実施形態に従ってチャネル状態情報を送信するステーションの概略図である。
【０２９８】
図１７のステーションは、第１の受信ユニット５１、第１の送出ユニット５２、第２の受信ユニット５３、および第２の送出ユニット５４を含む。
【０２９９】
第１の受信ユニット５１は、アクセスポイントＡＰによって送られたフィードバック指示メッセージ、高効率長トレーニングシーケンス、および第１のリソーススケジューリングメッセージを受信するように構成される。フィードバック指示メッセージは、チャネル状態情報をＡＰにフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報をフィードバックする時にターゲットＳＴＡによって使用される第１の通信リソースを指示するのに使用される。第２のチャネル状態情報は、第１のチャネル状態情報の一部である。
【０３００】
第１の送出ユニット５２は、第１の受信ユニットによって受信されたフィードバック指示メッセージが解析され、ＳＴＡがターゲットＳＴＡに属すると判定される時に、第１のチャネル状態情報を入手するために、第１の受信ユニットによって受信された高効率長トレーニングシーケンスに従ってチャネル推定を実行し、第１の受信ユニットによって受信された第１のリソーススケジューリングメッセージによって指示される第１の通信リソースを使用することによって第２のチャネル状態情報をＡＰに送るように構成される。
【０３０１】
第２の受信ユニット５３は、ＡＰによって送られる第１のポーリングスケジューリングメッセージおよび第２のリソーススケジューリングメッセージを受信するように構成される。第１のポーリングスケジューリングメッセージは、ターゲットＳＴＡに第３のチャネル状態情報を要求するためにＡＰによって使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。
【０３０２】
第２の送出ユニット５４は、第２の受信ユニットによって受信された第２のリソーススケジューリングメッセージによって指示される第２の通信リソースを使用することによって第３のチャネル状態情報をＡＰに送るように構成される。
【０３０３】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０３０４】
本発明のこの実施形態に従ってチャネル状態情報を送信するステーションは、本発明の実施形態におけるチャネル状態情報を送信する方法に対応しているものとされ得る。さらに、ステーションのユニット／モジュールの前述のおよび他の動作および／または機能は、図５に示された方法の対応する手順を実施するのに別々に使用され得る。簡潔さのために、詳細が本明細書でもう一度説明されることはない。
【０３０５】
装置実施形態６
図１８は、本発明のさらに別の実施形態に従ってチャネル状態情報を送信するアクセスポイントの概略図である。
【０３０６】
図１８のアクセスポイントは、第１の送出ユニット６１、第１の受信ユニット６２、第２の送出ユニット６３、および第２の受信ユニット６４を含む。
【０３０７】
第１の送出ユニット６１は、フィードバック指示メッセージ、高効率長トレーニングシーケンス、および第１のリソーススケジューリングメッセージをステーションＳＴＡに送るように構成される。フィードバック指示メッセージは、チャネル状態情報をＡＰにフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報をフィードバックする時にターゲットＳＴＡによって使用される第１の通信リソースを指示するのに使用される。第２のチャネル状態情報は、第１のチャネル状態情報の一部である。
【０３０８】
第１の受信ユニット６２は、第１の送出ユニットによって送られた第１のリソーススケジューリングメッセージによって指示される第１の通信リソースを使用することによって、ターゲットＳＴＡによって送られた第２のチャネル状態情報を受信するように構成される。
【０３０９】
第２の送出ユニット６３は、第１のポーリングスケジューリングメッセージおよび第２のリソーススケジューリングメッセージをターゲットＳＴＡに送るように構成される。第１のポーリングスケジューリングメッセージは、ターゲットＳＴＡに第３のチャネル状態情報を要求するのに使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。
【０３１０】
第２の受信ユニット６４は、第２の送出ユニットによって送られた第２のリソーススケジューリングメッセージによって指示される第２の通信リソースを使用することによって、ターゲットＳＴＡによって送られた第３のチャネル状態情報を受信するように構成される。
【０３１１】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０３１２】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図６に示された方法の対応する手順を実施するのに別々に使用され得る。簡潔さのために、詳細が本明細書でもう一度説明されることはない。
【０３１３】
装置実施形態７
図１９は、本発明の実施形態に従ってチャネル状態情報を送信する装置の概略図である。
【０３１４】
図１９の装置７０は、送信器７１、受信器７２、プロセッサ７３、およびメモリ７４を含む。プロセッサ７３は、装置７０の動作を制御し、信号を処理するように構成され得る。メモリ７４は、読取専用メモリおよびランダムアクセスメモリを含み得、プロセッサ７３に命令およびデータを供給する。送信器７１および受信器７２は、バスシステム７５に結合され得る。装置７０のすべての構成要素が、バスシステム７５を使用することによって一緒に結合され、バスシステム７５は、データバスに加えて、電力バス、制御バス、および状況信号バスを含む。しかし、説明の明瞭さのために、様々なバスが、図ではバスシステム７５としてマークされる。
【０３１５】
本発明の実施形態で開示される前述の方法は、プロセッサ７３に適用され得、またはプロセッサ７３によって実施され得る。実施処理では、前述の方法のステップが、プロセッサ７３内のハードウェアの集積論理回路またはソフトウェアの形の命令を使用することによって実行され得る。プロセッサ７３は、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェア構成要素とされ得、本発明の実施形態で開示される方法、ステップ、および論理ブロック図を実施しまたは実行し得る。汎用プロセッサは、マイクロプロセッサ、または任意の従来のプロセッサ、または類似物とされ得る。本発明の実施形態を参照して開示される方法のステップは、ハードウェアプロセッサによって直接に実行され得、またはプロセッサ内のハードウェアとソフトウェアモジュールとの組合せを使用することによって実行され得る。ソフトウェアモジュールは、従来技術の成熟した記憶媒体、たとえばランダムアクセスメモリ、フラッシュメモリ、読取専用メモリ、プログラマブル読取専用メモリ、電気的消去可能プログラマブルメモリ、またはレジスタ内に配置され得る。記憶媒体は、メモリ７４内に配置される。プロセッサ７３は、メモリ７４内の情報を読み取り、プロセッサのハードウェアと組み合わせて前述の方法のステップを完了する。
【０３１６】
具体的には、装置７０がステーションである時に、受信器７２は、アクセスポイントＡＰによって送られるフィードバック指示メッセージ、高効率長トレーニングシーケンス、および第１のリソーススケジューリングメッセージを受信するように構成され得る。フィードバック指示メッセージは、チャネル状態情報をＡＰにフィードバックする必要がある少なくとも２つのターゲットステーションＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡがフィードバック指示メッセージ、高効率長トレーニングシーケンス、および第１のリソーススケジューリングメッセージに従ってフィードバックを実行する時にターゲットＳＴＡによって使用される第１の通信リソースを指示するのに使用される。
【０３１７】
送信器７１は、受信されたフィードバック指示メッセージに従って、ＳＴＡがターゲットＳＴＡに属すると判定される時に、第１の通信リソースを使用することによって肯定応答メッセージをＡＰに送るように構成される。肯定応答メッセージは、フィードバック指示メッセージ、高効率長トレーニングシーケンス、および第１のリソーススケジューリングメッセージが受信されたことを指示するのに使用される。
【０３１８】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【０３１９】
任意選択で、本発明の実施形態では、送信器７１は、ターゲットＳＴＡが、第１のチャネル状態情報を即座にはフィードバックできない時に、フィードバック指示メッセージ、高効率長トレーニングシーケンス、および第１のリソーススケジューリングメッセージが受信されてからＸインターフレームスペースＸＩＦＳ後に、第１の通信リソースを使用することによってＡＰに肯定応答メッセージを送るように構成され得る。
【０３２０】
任意選択で、本発明の実施形態では、プロセッサ７３は、高効率長トレーニングシーケンスに従って第１のチャネル状態情報を判定するように構成され得る。
【０３２１】
任意選択で、本発明の実施形態では、受信器７２は、ＡＰによって送られた第２のリソーススケジューリングメッセージを受信するように構成される。第２のリソーススケジューリングメッセージは、ＳＴＡが第２のチャネル状態情報をフィードバックする時にＳＴＡによって使用される第２の通信リソースを指示するのに使用される。送信器７１は、第２の通信リソースを使用することによって第２のチャネル状態情報をＡＰに送るように構成され得る。第２のチャネル状態情報は、第１のチャネル状態情報の一部またはすべてである。
【０３２２】
任意選択で、本発明の実施形態では、受信器７２は、ＡＰによって送られる第１のポーリングスケジューリングメッセージおよび第３のリソーススケジューリングメッセージを受信するように構成され得る。第１のポーリングスケジューリングメッセージは、ＳＴＡに第３のチャネル状態情報を要求するためにＡＰによって使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第３のリソーススケジューリングメッセージは、ＳＴＡが第３のチャネル状態情報をフィードバックする時にＳＴＡによって使用される第３の通信リソースを指示するのに使用される。送信器７１は、第３の通信リソースを使用することによって第３のチャネル状態情報をＡＰに送るように構成され得る。
【０３２３】
任意選択で、本発明の実施形態では、第１のポーリングスケジューリングメッセージおよび第３のリソーススケジューリングメッセージは、同一のデータパケット内で運ばれる。
【０３２４】
任意選択で、本発明の実施形態では、第１のポーリングスケジューリングメッセージおよび第３のリソーススケジューリングメッセージは、同一のデータパケットのトリガフレーム内で運ばれる。トリガフレームは、第１のビームフォーミングレポートポールタイプ指示フィールドおよび第１のフィードバックセグメント再送信ビットマップフィールドを含む。トリガフレームは、第１のリソース割振り情報フィールドまたは第１のリソース割振り再利用指示フィールドのうちの少なくとも１つをさらに含む。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。
【０３２５】
任意選択で、本発明の実施形態では、トリガフレームは、ＳＴＡの識別子フィールドをさらに含む。
【０３２６】
任意選択で、本発明の実施形態では、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含み得る。ＢＦレポートポールフレームは、第２のリソース割振り情報フィールドまたは第２のリソース割振り再利用指示フィールドのうちの少なくとも１つをさらに含み得る。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【０３２７】
任意選択で、本発明の実施形態では、ＢＦレポートポールフレームは、ＳＴＡの識別子フィールドをさらに含む。
【０３２８】
任意選択で、本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示される。
【０３２９】
任意選択で、本発明の実施形態では、ステーションは、プロセッサをさらに含み、プロセッサは、ＳＴＡが制限された能力を有する、ＳＴＡによって第１のチャネル状態情報をバッファリングすることに関する優先順位が第１のしきい値未満である、または第１の通信リソース内のリソースブロックのサイズがしきい値未満であるという条件のうちの少なくとも１つに従って、ＳＴＡが第１のチャネル状態情報を即座にはフィードバックできないと判定するように構成される。
【０３３０】
本発明のこの実施形態に従ってチャネル状態情報を送信するステーションは、本発明の実施形態におけるチャネル状態情報を送信する方法に対応しているものとされ得る。さらに、ステーションのユニット／モジュールの前述のおよび他の動作および／または機能は、図１Ｂに示された方法の対応する手順を実施するのに別々に使用され得る。簡潔さのために、詳細が本明細書でもう一度説明されることはない。
【０３３１】
装置実施形態８
具体的には、装置７０がアクセスポイントである時に、送信器７１は、フィードバック指示メッセージ、高効率長トレーニングシーケンス、および第１のリソーススケジューリングメッセージをステーションＳＴＡに送るように構成され得る。フィードバック指示メッセージは、チャネル状態情報をフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡがフィードバック指示メッセージ、高効率長トレーニングシーケンス、および第１のリソーススケジューリングメッセージに従ってフィードバックを実行する時に、ターゲットＳＴＡによって使用される第１の通信リソースを指示するのに使用される。
【０３３２】
受信器７２は、送られた第１のリソーススケジューリングメッセージによって指示される第１の通信リソースを使用することによって、ターゲットＳＴＡによって送られた肯定応答メッセージを受信するように構成され得る。肯定応答メッセージは、ターゲットＳＴＡが、フィードバック指示メッセージ、高効率長トレーニングシーケンス、および第１のリソーススケジューリングメッセージを受信したことを指示するのに使用される。
【０３３３】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、肯定応答メッセージをアクセスポイントにフィードバックする。この形で、いくつかのステーションがフィードバックを即座には実行できない時に引き起こされるリソース浪費が、回避され得、チャネル状態情報送信効率が、改善され得る。
【０３３４】
任意選択で、本発明の実施形態では、受信器７２は、ターゲットＳＴＡがフィードバック指示メッセージ、高効率長トレーニングシーケンス、および第１のリソーススケジューリングメッセージを受信してからＸインターフレームスペースＸＩＦＳ後に、ターゲットＳＴＡによって、第１の通信リソースを使用することによって送られる肯定応答メッセージを受信するように構成され、ターゲットＳＴＡは、チャネル状態情報を即座にはフィードバックできない。
【０３３５】
任意選択で、本発明の実施形態では、送信器７１は、第２のリソーススケジューリングメッセージをターゲットＳＴＡに送るように構成され得る。第２のリソーススケジューリングメッセージは、ターゲットＳＴＡが第２のチャネル状態情報をフィードバックする時にターゲットＳＴＡによって使用される第２の通信リソースを指示するのに使用される。受信器７２は、第２の通信リソースを使用することによってターゲットＳＴＡによって送られた第２のチャネル状態情報を受信するように構成され得る。第２のチャネル状態情報は、第１のチャネル状態情報の一部またはすべてである。
【０３３６】
任意選択で、本発明の実施形態では、送信器７１は、第１のポーリングスケジューリングメッセージおよび第３のリソーススケジューリングメッセージをターゲットＳＴＡに送るように構成され得る。第１のポーリングスケジューリングメッセージは、ターゲットＳＴＡに第３のチャネル状態情報を要求するのに使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第３のリソーススケジューリングメッセージは、ターゲットＳＴＡが第３のチャネル状態情報をフィードバックする時にターゲットＳＴＡによって使用される第３の通信リソースを指示するのに使用される。受信器７２は、第３の通信リソースを使用することによってターゲットＳＴＡによって送られた第３のチャネル状態情報を受信するように構成され得る。
【０３３７】
任意選択で、本発明の実施形態では、第１のポーリングスケジューリングメッセージおよび第３のリソーススケジューリングメッセージは、同一のデータパケット内で運ばれる。任意選択で、本発明の実施形態では、第１のポーリングスケジューリングメッセージおよび第３のリソーススケジューリングメッセージは、同一のデータパケットのトリガフレーム内で運ばれる。トリガフレームは、第１のビームフォーミングレポートポールタイプ指示フィールドおよび第１のフィードバックセグメント再送信ビットマップフィールドを含む。トリガフレームは、第１のリソース割振り情報フィールドまたは第１のリソース割振り再利用指示フィールドのうちの少なくとも１つをさらに含む。第３のリソーススケジューリングメッセージは、第１のリソース割振り情報フィールド内に配置される。第１のポーリングスケジューリングメッセージは、第１のフィードバックセグメント再送信ビットマップフィールド内に配置される。第１のリソース割振り再利用指示フィールドは、第３のリソーススケジューリングメッセージが第２のリソーススケジューリングメッセージと同一であるかどうかを指示するのに使用される。
【０３３８】
任意選択で、本発明の実施形態では、トリガフレームは、ＳＴＡの識別子フィールドをさらに含む。
【０３３９】
任意選択で、本発明の実施形態では、第１のポーリングスケジューリングメッセージおよび第３のリソーススケジューリングメッセージは、同一のデータパケットのビームフォーミングレポートポールＢＦレポートポールフレーム内で運ばれる。ＢＦレポートポールフレームは、受信器アドレスフィールド、第２のフィードバックセグメント再送信ビットマップフィールド、および第３のフィードバックセグメント再送信ビットマップフィールドを含む。ＢＦレポートポールフレームは、第２のリソース割振り情報フィールドまたは第２のリソース割振り再利用指示フィールドのうちの少なくとも１つをさらに含む。第３のリソーススケジューリングメッセージは、第２のリソース割振り情報フィールド内に配置される。第１のポーリングスケジューリングメッセージは、第３のフィードバックセグメント再送信ビットマップフィールド内に配置される。第３のリソーススケジューリングメッセージの指示情報は、第２のリソース割振り再利用指示フィールド内に配置される。
【０３４０】
任意選択で、本発明の実施形態では、ＢＦレポートポールフレームは、ＳＴＡの識別子フィールドをさらに含む。
【０３４１】
任意選択で、本発明の実施形態では、ＢＦレポートポールフレームが、マルチユーザチャネル状態情報送信をトリガするのに使用されるポールフレームであることは、受信器アドレスフィールド、第２のフィードバックセグメント再送信ビットマップフィールド、またはＢＦレポートポールフレームの長さという形のうちの任意の１つ内で指示される。
【０３４２】
任意選択で、本発明の実施形態では、第１のチャネル状態情報を即座にはフィードバックできないターゲットＳＴＡは、ターゲットＳＴＡが制限された能力を有する、ターゲットＳＴＡによって第１のチャネル状態情報をバッファリングすることに関する優先順位が第１のしきい値未満である、または第１の通信リソース内のリソースブロックのサイズがしきい値未満であるという条件のうちの少なくとも１つを満足する。
【０３４３】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図２に示された方法の対応する手順を実施するのに別々に使用され得る。簡潔さのために、詳細が本明細書でもう一度説明されることはない。
【０３４４】
装置実施形態９
具体的には、装置７０がステーションである時に、受信器７２は、第１の指示情報に従って、アクセスポイントＡＰによって送られた第１のリソーススケジューリングメッセージ、第１のフィードバック指示メッセージ、および第１の高効率長トレーニングシーケンスを受信するように構成され得る。第１のフィードバック指示メッセージは、チャネル状態情報をＡＰにフィードバックする必要がある少なくとも２つのターゲットステーションＳＴＡを指示するのに使用される。第１のリソーススケジューリングメッセージまたは第１のフィードバック指示メッセージは、第１の指示情報を含む。第１の指示情報は、チャネル状態情報を即座にフィードバックすべきかどうかをターゲットＳＴＡに命令するのに使用される。第１の高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用される。第２のチャネル状態情報は、第１のチャネル状態情報の一部またはすべてである。肯定応答メッセージは、第１のフィードバック指示メッセージ、第１の高効率長トレーニングシーケンス、および第１のリソーススケジューリングメッセージが受信されたことを指示するのに使用される。
【０３４５】
送信器７１は、受信された第１のフィードバック指示メッセージに従って、ＳＴＡがターゲットＳＴＡに属すると判定される時に、第１のチャネル状態情報を判定するために、受信された第１の高効率長トレーニングシーケンスに従ってチャネル推定を実行し、受信された第１のリソーススケジューリングメッセージによって指示される第１の通信リソースを使用することによって第２のチャネル状態情報または肯定応答メッセージをＡＰに送るように構成され得る。
【０３４６】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【０３４７】
任意選択で、本発明の実施形態では、受信器７２は、第１の指示情報が、チャネル状態情報を即座にはフィードバックしないようにＳＴＡに命令する時に、ＡＰによって送られた第１のフィードバック指示メッセージおよび第１の高効率長トレーニングシーケンスを受信してからＸインターフレームスペースＸＩＦＳ後に第１のリソーススケジューリングメッセージを受信するように構成され得る。第１のフィードバック指示メッセージは、第１の指示情報を含む。送信器７１は、第１のリソーススケジューリングメッセージが受信されてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って第２のチャネル状態情報をＡＰに送るように構成され得る。
【０３４８】
任意選択で、本発明の実施形態では、受信器７２は、ＡＰによって送られる第１のポーリングスケジューリングメッセージおよび第２のリソーススケジューリングメッセージを受信するように構成され得る。第１のポーリングスケジューリングメッセージは、ＳＴＡに第３のチャネル状態情報を要求するために使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ＳＴＡが第３のチャネル状態情報をフィードバックする時にＳＴＡによって使用される第２の通信リソースを指示するのに使用される。送信器７１は、第２の通信リソースを使用することによって第３のチャネル状態情報をＡＰに送るように構成され得る。
【０３４９】
任意選択で、本発明の実施形態では、送信器７１は、第１の指示情報が、チャネル状態情報を即座にはフィードバックしないようにＳＴＡに命令する時に、第１のリソーススケジューリングメッセージを受信してからＸインターフレームスペースＸＩＦＳ後に、第１の通信リソースを使用することによって肯定応答メッセージをＡＰに送るように構成され得る。
【０３５０】
任意選択で、本発明の実施形態では、受信器７２は、ＡＰによって送られた第３のリソーススケジューリングメッセージを受信するように構成され得る。第３のリソーススケジューリングメッセージは、ＳＴＡが第４のチャネル状態情報をフィードバックする時にＳＴＡによって使用される第３の通信リソースを指示するのに使用される。送信器７１は、第３の通信リソースを使用することによって第４のチャネル状態情報を送るように構成され得、第４のチャネル状態情報は、第１のチャネル状態情報の一部またはすべてである。
【０３５１】
任意選択で、本発明の実施形態では、受信器７２は、ＡＰによって送られる第２のポーリングスケジューリングメッセージおよび第４のリソーススケジューリングメッセージを受信するように構成され得る。第２のポーリングスケジューリングメッセージは、ＳＴＡに第５のチャネル状態情報を要求するために使用される。第２のポーリングスケジューリングメッセージは、第１のチャネル状態情報内に第５のチャネル状態情報のセグメント情報を含む。第５のチャネル状態情報は、第４のチャネル状態情報がそれから除去される第１のチャネル状態情報の一部またはすべてである。第４のリソーススケジューリングメッセージは、ターゲットＳＴＡが第５のチャネル状態情報をフィードバックする時にターゲットＳＴＡによって使用される第４の通信リソースを指示するのに使用される。送信器７１は、第４の通信リソースを使用することによって第５のチャネル状態情報をＡＰに送るように構成され得る。
【０３５２】
任意選択で、本発明の実施形態では、送信器７１は、第１の指示情報が、チャネル状態情報を即座にフィードバックするようにＳＴＡに命令する時に、第１のリソーススケジューリングメッセージを送ってからＸインターフレームスペースＸＩＦＳ後に、第１の通信リソースを使用することによって第２のチャネル状態情報をＡＰに送るように構成され得る。
【０３５３】
任意選択で、本発明の実施形態では、受信器７２は、ＡＰによって送られる第３のポーリングスケジューリングメッセージおよび第５のリソーススケジューリングメッセージを受信するように構成され得る。第３のポーリングスケジューリングメッセージは、ＳＴＡに第６のチャネル状態情報を要求するのに使用される。第３のポーリングスケジューリングメッセージは、第１のチャネル状態情報内に第６のチャネル状態情報のセグメント情報を含む。第６のチャネル状態情報は、第２のチャネル状態情報がそれから除去される第１のチャネル状態情報の一部またはすべてである。第５のリソーススケジューリングメッセージは、ターゲットＳＴＡが第６のチャネル状態情報をフィードバックする時にターゲットＳＴＡによって使用される第５の通信リソースを指示するのに使用される。送信器７１は、第５の通信リソースを使用することによって第６のチャネル状態情報をＡＰに送るように構成され得る。
【０３５４】
任意選択で、本発明の実施形態では、第１の指示情報は、ＳＴＡがチャネル状態情報をフィードバックする時刻を指示するのに使用されるフィールドを含む。
【０３５５】
任意選択で、本発明の実施形態では、第１の指示情報は、チャネル状態情報を即座にフィードバックすべきかどうかをすべてのＳＴＡに命令しまたは各ＳＴＡに別々に命令するのに使用されるフィールドを含む。
【０３５６】
任意選択で、本発明の実施形態では、送信器７１が、第１のフィードバック指示メッセージおよび第１の高効率長トレーニングシーケンスを送った後に第１のリソーススケジューリングメッセージを送るように構成され得る時に、第１の指示情報は、非即座のフィードバックを指示するのに使用される。
【０３５７】
任意選択で、本発明の実施形態では、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０３５８】
任意選択で、本発明の実施形態では、第１のフィードバック指示メッセージ、第１の高効率長トレーニングシーケンス、および第１のリソーススケジューリングメッセージは、異なるフレーム内に配置される。
【０３５９】
任意選択で、本発明の実施形態では、第１のポーリングスケジューリングメッセージおよび第２のリソーススケジューリングメッセージは、同一のデータパケット内に配置され、または、第２のポーリングスケジューリングメッセージおよび第４のリソーススケジューリングメッセージは、同一のデータパケット内に配置され、または、第３のポーリングスケジューリングメッセージおよび第５のリソーススケジューリングメッセージは、同一のデータパケット内に配置される。
【０３６０】
本発明のこの実施形態に従ってチャネル状態情報を送信するステーションは、本発明の実施形態におけるチャネル状態情報を送信する方法に対応しているものとされ得る。さらに、ステーションのユニット／モジュールの前述のおよび他の動作および／または機能は、図３に示された方法の対応する手順を実施するのに別々に使用され得る。簡潔さのために、詳細が本明細書でもう一度説明されることはない。
【０３６１】
装置実施形態１０
具体的には、装置７０がアクセスポイントである時に、プロセッサ７３は、第１の指示情報を判定するように構成され得、第１の指示情報は、チャネル状態情報を即座にフィードバックすべきかどうかを少なくとも２つのターゲットステーションＳＴＡに命令するのに使用され、少なくとも２つのターゲットステーションＳＴＡは、アクセスポイントＡＰにチャネル状態情報をフィードバックする必要がある。
【０３６２】
送信器７１は、判定された第１の指示情報に従って、第１のリソーススケジューリングメッセージ、第１のフィードバック指示メッセージ、および第１の高効率長トレーニングシーケンスをターゲットＳＴＡに送るように構成され得る。第１のリソーススケジューリングメッセージまたは第１のフィードバック指示メッセージは、第１の指示情報を含む。第１のフィードバック指示メッセージは、チャネル状態情報をＡＰにフィードバックする必要がある少なくとも２つのターゲットステーションＳＴＡを指示するのに使用される。第１の高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報または肯定応答メッセージをフィードバックする時にターゲットＳＴＡによって使用される第１の通信リソースを指示するのに使用される。第２のチャネル状態情報は、第１のチャネル状態情報の一部またはすべてである。肯定応答メッセージは、第１のフィードバック指示メッセージ、第１の高効率長トレーニングシーケンス、および第１のリソーススケジューリングメッセージが受信されたことを指示するのに使用される。
【０３６３】
受信器７２は、第１の通信リソースを使用することによって送られた第１のリソーススケジューリングメッセージ、第１のフィードバック指示メッセージ、および第１の高効率長トレーニングシーケンスに従って、ターゲットＳＴＡによって送られる第２のチャネル状態情報または肯定応答メッセージを受信するように構成され得る。
【０３６４】
本発明のこの実施形態において、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、アクセスポイントは、フィードバックを即座に実行するかどうかをステーションに命令し得、ステーションは、アクセスポイントの命令に従って、チャネル状態情報または肯定応答メッセージをアクセスポイントにフィードバックし得る。この形で、いくつかのステーションがフィードバックを即座には実行できない時に引き起こされるリソース浪費が、回避され得、チャネル状態情報送信効率が、改善され得る。
【０３６５】
任意選択で、本発明の実施形態では、送信器７１は、第１の指示情報が、チャネル状態情報を即座にはフィードバックしないようにターゲットＳＴＡに命令する時に、第１のフィードバック指示メッセージおよび第１の高効率長トレーニングシーケンスを送ってからＸインターフレームスペースＸＩＦＳ後に第１のリソーススケジューリングメッセージを送るように構成され得る。第１のフィードバック指示メッセージは、第１の指示情報を含む。受信器７２は、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ＳＴＡによって送られる第２のチャネル状態情報を受信するように構成され得る。
【０３６６】
任意選択で、本発明の実施形態では、送信器７１は、第１のポーリングスケジューリングメッセージおよび第２のリソーススケジューリングメッセージを送るように構成され得る。第１のポーリングスケジューリングメッセージは、ターゲットＳＴＡに第３のチャネル状態情報を要求するために使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。受信器７２は、第２の通信リソースを使用することによって、ターゲットＳＴＡによって送られた第３のチャネル状態情報を受信するように構成され得る。
【０３６７】
任意選択で、本発明の実施形態では、受信器７２は、第１の指示情報が、チャネル状態情報を即座にはフィードバックしないようにターゲットＳＴＡに命令する時に、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる肯定応答メッセージを受信するように構成され得る。
【０３６８】
任意選択で、本発明の実施形態では、送信器７１は、第３のリソーススケジューリングメッセージを送るように構成され得る。第３のリソーススケジューリングメッセージは、ターゲットＳＴＡが第４のチャネル状態情報をフィードバックする時にターゲットＳＴＡによって使用される第３の通信リソースを指示するのに使用される。受信器７２は、第３の通信リソースを使用することによって、ターゲットＳＴＡによって送られた第４のチャネル状態情報を受信するように構成され得、第４のチャネル状態情報は、第１のチャネル状態情報の一部またはすべてである。
【０３６９】
任意選択で、本発明の実施形態では、送信器７１は、第２のポーリングスケジューリングメッセージおよび第４のリソーススケジューリングメッセージを送るように構成され得る。第２のポーリングスケジューリングメッセージは、ターゲットＳＴＡに第５のチャネル状態情報を要求するために使用される。第２のポーリングスケジューリングメッセージは、第１のチャネル状態情報内に第５のチャネル状態情報のセグメント情報を含む。第５のチャネル状態情報は、第４のチャネル状態情報がそれから除去される第１のチャネル状態情報の一部またはすべてである。第４のリソーススケジューリングメッセージは、ターゲットＳＴＡが第５のチャネル状態情報をフィードバックする時にターゲットＳＴＡによって使用される第４の通信リソースを指示するのに使用される。受信器７２は、第４の通信リソースを使用することによって、ターゲットＳＴＡによって送られた第５のチャネル状態情報を受信するように構成され得る。
【０３７０】
任意選択で、本発明の実施形態では、受信器７２は、第１の指示情報が、チャネル状態情報を即座にフィードバックするようにターゲットＳＴＡに命令する時に、第１のリソーススケジューリングメッセージが送られてからＸインターフレームスペースＸＩＦＳ後に、第１の通信リソースを使用することによって、第１のリソーススケジューリングメッセージ、第１のフィードバック指示メッセージ、および第１の高効率長トレーニングシーケンスに従って、ターゲットＳＴＡによって送られる第２のチャネル状態情報を受信するように構成され得る。
【０３７１】
任意選択で、本発明の実施形態では、送信器７１は、第３のポーリングスケジューリングメッセージおよび第５のリソーススケジューリングメッセージを送るように構成され得る。第３のポーリングスケジューリングメッセージは、ターゲットＳＴＡに第６のチャネル状態情報を要求するのに使用される。第３のポーリングスケジューリングメッセージは、第１のチャネル状態情報内に第６のチャネル状態情報のセグメント情報を含む。第６のチャネル状態情報は、第２のチャネル状態情報がそれから除去される第１のチャネル状態情報の一部またはすべてである。第５のリソーススケジューリングメッセージは、ターゲットＳＴＡが第６のチャネル状態情報をフィードバックする時にターゲットＳＴＡによって使用される第５の通信リソースを指示するのに使用される。受信器７２は、第５の通信リソースを使用することによって、ターゲットＳＴＡによって送られた第６のチャネル状態情報を受信するように構成され得る。
【０３７２】
任意選択で、本発明の実施形態では、第１の指示情報は、ターゲットＳＴＡがチャネル状態情報をフィードバックする時刻を指示するのに使用されるフィールドを含む。
【０３７３】
任意選択で、本発明の実施形態では、第１の指示情報は、チャネル状態情報を即座にフィードバックすべきかどうかをすべてのターゲットＳＴＡに命令しまたは各ターゲットＳＴＡに別々に命令するのに使用されるフィールドを含む。
【０３７４】
任意選択で、本発明の実施形態では、第１のリソーススケジューリングメッセージが、第１のフィードバック指示メッセージおよび第１の高効率長トレーニングシーケンスが送られた後に送られる時に、第１の指示情報は、非即座のフィードバックを指示するのに使用される。
【０３７５】
任意選択で、本発明の実施形態では、第１の通信リソース内のリソースブロックのサイズが、第１のしきい値未満であるか、第１の通信リソース内のリソースブロックによって使用される空間ストリームの量が、第２のしきい値未満である時に、第１の指示情報は、非即座のフィードバックを指示するのに使用され、または、第１の通信リソース内のリソースブロックのサイズが、第１のしきい値以上であるか、第１の通信リソース内のリソースブロックによって使用される空間ストリームの量が、第２のしきい値以上である時に、第１の指示情報は、即座のフィードバックを指示するのに使用される。
【０３７６】
任意選択で、本発明の実施形態では、第１のフィードバック指示メッセージ、第１の高効率長トレーニングシーケンス、および第１のリソーススケジューリングメッセージは、異なるフレーム内に配置される。
【０３７７】
任意選択で、本発明の実施形態では、第１のポーリングスケジューリングメッセージおよび第２のリソーススケジューリングメッセージは、同一のデータパケット内に配置され、または、第２のポーリングスケジューリングメッセージおよび第４のリソーススケジューリングメッセージは、同一のデータパケット内に配置され、または、第３のポーリングスケジューリングメッセージおよび第５のリソーススケジューリングメッセージは、同一のデータパケット内に配置される。
【０３７８】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図４に示された方法の対応する手順を実施するのに別々に使用され得る。簡潔さのために、詳細が本明細書でもう一度説明されることはない。
【０３７９】
装置実施形態１１
具体的には、装置７０がステーションである時に、受信器７２は、アクセスポイントＡＰによって送られたフィードバック指示メッセージ、高効率長トレーニングシーケンス、および第１のリソーススケジューリングメッセージを受信するように構成され得る。フィードバック指示メッセージは、チャネル状態情報をＡＰにフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報をフィードバックする時にターゲットＳＴＡによって使用される第１の通信リソースを指示するのに使用される。第２のチャネル状態情報は、第１のチャネル状態情報の一部である。
【０３８０】
送信器７１は、受信されたフィードバック指示メッセージに従って、ＳＴＡがターゲットＳＴＡに属すると判定される時に、第１のチャネル状態情報を入手するために、受信された高効率長トレーニングシーケンスに従ってチャネル推定を実行し、受信された第１のリソーススケジューリングメッセージによって指示される第１の通信リソースを使用することによって第２のチャネル状態情報をＡＰに送るように構成され得る。
【０３８１】
受信器７２は、ＡＰによって送られる第１のポーリングスケジューリングメッセージおよび第２のリソーススケジューリングメッセージを受信するように構成される。第１のポーリングスケジューリングメッセージは、ターゲットＳＴＡに第３のチャネル状態情報を要求するためにＡＰによって使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。
【０３８２】
送信器７１は、受信された第２のリソーススケジューリングメッセージによって指示される第２の通信リソースを使用することによって第３のチャネル状態情報をＡＰに送るように構成され得る。
【０３８３】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０３８４】
本発明のこの実施形態に従ってチャネル状態情報を送信するステーションは、本発明の実施形態におけるチャネル状態情報を送信する方法に対応しているものとされ得る。さらに、ステーションのユニット／モジュールの前述のおよび他の動作および／または機能は、図５に示された方法の対応する手順を実施するのに別々に使用され得る。簡潔さのために、詳細が本明細書でもう一度説明されることはない。
【０３８５】
装置実施形態１２
具体的には、装置７０がアクセスポイントである時に、送信器７１は、フィードバック指示メッセージ、高効率長トレーニングシーケンス、および第１のリソーススケジューリングメッセージをステーションＳＴＡに送るように構成され得る。フィードバック指示メッセージは、チャネル状態情報をＡＰにフィードバックする必要がある少なくとも２つのターゲットＳＴＡを指示するのに使用される。高効率長トレーニングシーケンスは、ターゲットＳＴＡの第１のチャネル状態情報を判定するのに使用される。第１のリソーススケジューリングメッセージは、ターゲットＳＴＡが第２のチャネル状態情報をフィードバックする時にターゲットＳＴＡによって使用される第１の通信リソースを指示するのに使用される。第２のチャネル状態情報は、第１のチャネル状態情報の一部である。
【０３８６】
受信器７２は、送られた第１のリソーススケジューリングメッセージによって指示される第１の通信リソースを使用することによって、ターゲットＳＴＡによって送られた第２のチャネル状態情報を受信するように構成され得る。
【０３８７】
送信器７１は、第１のポーリングスケジューリングメッセージおよび第２のリソーススケジューリングメッセージをターゲットＳＴＡに送るように構成され得る。第１のポーリングスケジューリングメッセージは、ターゲットＳＴＡに第３のチャネル状態情報を要求するのに使用される。第１のポーリングスケジューリングメッセージは、第１のチャネル状態情報内に第３のチャネル状態情報のセグメント情報を含む。第３のチャネル状態情報は、第２のチャネル状態情報がそれから除去される第１のチャネル状態情報の一部またはすべてである。第２のリソーススケジューリングメッセージは、ターゲットＳＴＡが第３のチャネル状態情報をフィードバックする時にターゲットＳＴＡによって使用される第２の通信リソースを指示するのに使用される。
【０３８８】
受信器７２は、第２のリソーススケジューリングメッセージによって指示される第２の通信リソースを使用することによって、ターゲットＳＴＡによって送られた第３のチャネル状態情報を受信するように構成され得る。
【０３８９】
本発明のこの実施形態では、アクセスポイントは、チャネル状態情報を送信するように複数のステーションをスケジューリングするために、リソーススケジューリングメッセージ、フィードバック指示メッセージ、および高効率長トレーニングシーケンスをステーションに送り、ステーションは、チャネル状態情報をアクセスポイントにフィードバックし、アクセスポイントは、成功裡にはフィードバックされていないチャネル状態情報をアクセスポイントにフィードバックし続けるようにステーションをトリガするために、ポーリングスケジューリングメッセージおよびリソーススケジューリングメッセージをさらに送り続け得る。この形で、不十分なリソースに起因してフィードバックが一時に実行され得ない時に引き起こされるリソース浪費が、回避され得、チャネル状態情報送信効率が、改善され得る。
【０３９０】
本発明のこの実施形態に従ってチャネル状態情報を送信するアクセスポイントは、本発明の実施形態におけるチャネル状態情報を送信する方法に対応しているものとされ得る。さらに、アクセスポイントのユニット／モジュールの前述のおよび他の動作および／または機能は、図６に示された方法の対応する手順を実施するのに別々に使用され得る。簡潔さのために、詳細が本明細書でもう一度説明されることはない。
【０３９１】
前述の処理のシーケンス番号が、本発明の様々な実施形態での実行シーケンスを意味しないことを理解されたい。処理の実行シーケンスは、処理の機能および内部論理に従って判定されなければならず、本発明の実施形態の実施処理に対する限定と解釈されてはならない。
【０３９２】
さらに、前述の技術用語および英語翻訳は、技術用語および英語翻訳に対応する特徴に対する限定を課さず、特徴の機能に従属しなければならない。
【０３９３】
当業者は、本明細書で開示される実施形態で説明される例と組み合わせて、方法ステップおよびユニットが、電子ハードウェア、コンピュータソフトウェア、またはその組合せによって実施され得ることを知り得る。ハードウェアとソフトウェアとの間の交換可能性を明瞭に説明するために、前述は、機能に従って各実施形態のステップおよび構成要素を全般的に説明した。機能がハードウェアまたはソフトウェアのどちらによって実行されるのかは、特定の応用例および技術的解決策の設計制約条件に依存する。当業者は、特定の応用例ごとに説明された機能を実施するのに異なる方法を使用し得るが、実装形態が本発明の範囲を超えると考えてはならない。
【０３９４】
本願で提供される複数の実施形態では、開示されるシステム、装置、および方法が、他の形で実施され得ることを理解されたい。たとえば、説明される装置実施形態は、単に例である。たとえば、ユニット分割は、単に論理機能分割であり、実際の実装形態内に他の分割があり得る。たとえば、複数のユニットまたは構成要素が、別のシステムに組み合わされもしくは一体化され得、または、いくつかの特徴が、無視されまたは実行されないことがある。さらに、表示されまたは議論される相互結合、直接結合、または通信接続は、なんらかのインターフェースを使用することによって実施され得る。装置またはユニットの間の間接結合または通信接続は、電子的な形、機械的な形、または他の形で実施され得る。
【０３９５】
別々の部分として説明されるユニットは、物理的に別々であることがあり、そうではないことがあり、ユニットとして表示される部分が、物理ユニットであることがあり、そうではないことがあり、１つの位置に配置されることがあり、または、複数のネットワークユニット上に分散されることがある。ユニットの一部またはすべては、諸実施形態の解決策の目的を達成するための実際の必要に従って選択され得る。
【０３９６】
さらに、本発明の実施形態の機能ユニットが１つの処理ユニットに一体化され得、またはユニットのそれぞれが物理的に単独で存在し得、または２つ以上のユニットが１つのユニットに一体化され得る。
【０３９７】
本明細書で開示される実施形態で説明される方法またはステップは、ハードウェア、プロセッサによって実行されるソフトウェアプログラム、またはその組合せによって実施され得る。ソフトウェアプログラムは、ランダムアクセスメモリ（ＲＡＭ）、メモリ、読取専用メモリ（ＲＯＭ）、電気的消去可能プログラマブルＲＯＭ、電気的消去可能プログラマブルＲＯＭ、レジスタ、ハードディスク、リムーバブルディスク、ＣＤ−ＲＯＭ、または当技術分野で既知の任意の他の形の記憶媒体内に存在し得る。
【０３９８】
本発明は、添付図面を参照して、諸実施形態と組み合わせて詳細に説明されるが、本発明は、これに限定されない。様々な同等の変更または置換が、本発明の本質から逸脱せずに当業者によって本発明の実施形態に対して行われ得、その変更または置換は、本発明の範囲に含まれなければならない。
【図１Ａ】
2019193296.tif 000003
【図１Ｂ】
2019193296.tif 000004
【図２】
2019193296.tif 000005
【図３】
2019193296.tif 000006
【図４】
2019193296.tif 000007
【図５】
2019193296.tif 000008
【図６】
2019193296.tif 000009
【図７Ａ】
2019193296.tif 000010
【図７Ｂ】
2019193296.tif 000011
【図８Ａ】
2019193296.tif 000012
【図８Ｂ】
2019193296.tif 000013
【図９Ａ】
2019193296.tif 000014
【図９Ｂ】
2019193296.tif 000015
【図１０Ａ】
2019193296.tif 000016
【図１０Ｂ】
2019193296.tif 000017
【図１０Ｃ】
2019193296.tif 000018
【図１１】
2019193296.tif 000019
【図１２】
2019193296.tif 000020
【図１３】
2019193296.tif 000021
【図１４】
2019193296.tif 000022
【図１５】
2019193296.tif 000023
【図１６】
2019193296.tif 000024
【図１７】
2019193296.tif 000025
【図１８】
2019193296.tif 000026
【図１９】
2019193296.tif 000027
【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
チャネル状態情報を送信する方法であって、
機器によってヌルデータパケットアナウンスメント（ＮＤＰＡ）フレームを送信するステップであって、前記ＮＤＰＡフレームは、チャネル状態情報をフィードバックする必要がある少なくとも２つのターゲットステーション（ＳＴＡｓ）を指示するフィードバック指示メッセージを搬送し、
前記機器によってヌルデータパケット（ＮＤＰ）を送信するステップであって、前記ＮＤＰは前記ターゲットＳＴＡｓによってチャネル状態情報を判定するのに使用される高効率長トレーニングシーケンスを搬送し、
前記機器によって前記ＮＤＰを送信するステップの後に第１のトリガフレームを送信するステップであって、前記第１のトリガフレームは、第１の１または複数の前記ターゲットＳＴＡｓのＳＴＡｓが前記チャネル状態情報をフィードバックする時に、前記第１の１または複数の前記ターゲットＳＴＡｓのＳＴＡｓによって使用される通信リソースを指示するリソーススケジューリングメッセージを搬送し、
前記機器によって前記第１のトリガフレームを送信するステップの後に第２のトリガフレームを送信するステップであって、前記第２のトリガフレームは、第２の１または複数の前記ターゲットＳＴＡｓのＳＴＡｓが前記チャネル状態情報をフィードバックする時に、前記第２の１または複数の前記ターゲットＳＴＡｓのＳＴＡｓによって使用される通信リソースを指示するリソーススケジューリングメッセージを搬送する、方法。
【請求項２】
前記機器によって前記第１のトリガフレームを送信するステップの後に、前記第１の１または複数の前記ターゲットＳＴＡｓのＳＴＡｓによって送信された前記チャネル状態情報を受信するステップ、及び／または
前記機器によって前記第２のトリガフレームを送信するステップの後に、前記第２の１または複数の前記ターゲットＳＴＡｓのＳＴＡｓによって送信された前記チャネル状態情報を受信するステップ、
をさらに備える請求項１に記載の方法。
【請求項３】
第２のトリガフレームを送信するステップは、
前記第１のターゲットＳＴＡｓの１または複数のＳＴＡのチャネル状態情報が、前記機器により成功裡に受信されなかった時に、前記第２のトリガフレームを送信すること
を備える請求項１に記載の方法。
【請求項４】
前記ＮＤＰと前記第１のトリガフレームの間にインターフレームスペースが存在する、及び／または
前記ＮＤＰと前記ＮＤＰＡとの間にインターフレームスペースが存在する、
請求項１に記載の方法。
【請求項５】
トリガフレームは、前記トリガフレームのタイプがビームフォーミングレポートポールであることを示すタイプフィールドを含む、請求項１に記載の方法。
【請求項６】
トリガフレームは、要求されるフィードバックセグメントを示すフィードバックセグメント再送信ビットマップフィールドを含む、請求項１に記載の方法。
【請求項７】
チャネル状態情報を送信する方法であって、
ステーション（ＳＴＡ）によってヌルデータパケットアナウンスメント（ＮＤＰＡ）フレームを受信するステップであって、前記ＮＤＰＡフレームは、チャネル状態情報をフィードバックする必要がある少なくとも２つのターゲットステーション（ＳＴＡｓ）を指示するフィードバック指示メッセージを搬送し、
前記ＳＴＡによってヌルデータパケット（ＮＤＰ）を受信するステップであって、前記ＮＤＰは前記ターゲットＳＴＡｓによってチャネル状態情報を判定するのに使用される高効率長トレーニングシーケンスを搬送し、前記高効率長トレーニングシーケンスに基づいて前記ＳＴＡによりチャネル状態情報を判定し、
前記ＳＴＡによって前記ＮＤＰを受信するステップの後に第１のトリガフレームを受信するステップであって、前記第１のトリガフレームは、第１の１または複数の前記ターゲットＳＴＡｓのＳＴＡｓが前記チャネル状態情報をフィードバックする時に、前記第１の１または複数の前記ターゲットＳＴＡｓのＳＴＡｓによって使用される通信リソースを指示するリソーススケジューリングメッセージを搬送し、
前記ＳＴＡによって前記第１のトリガフレームを受信するステップの後に第２のトリガフレームを受信するステップであって、前記第２のトリガフレームは、第２の１または複数の前記ターゲットＳＴＡｓのＳＴＡｓが前記チャネル状態情報をフィードバックする時に、前記第２の１または複数の前記ターゲットＳＴＡｓのＳＴＡｓによって使用される通信リソースを指示するリソーススケジューリングメッセージを搬送する、方法。
【請求項８】
前記ＳＴＡによって前記第１のトリガフレームを受信するステップの後に、前記第１のトリガフレームによって指示された前記通信リソース上で前記チャネル状態情報を送信するステップ、及び／または
前記ＳＴＡによって前記第２のトリガフレームを受信するステップの後に、前記第２のトリガフレームによって指示された前記通信リソース上で前記チャネル状態情報を送信するステップ、
をさらに備える請求項７に記載の方法。
【請求項９】
前記ＮＤＰと前記第１のトリガフレームの間にインターフレームスペースが存在する、及び／または
前記ＮＤＰと前記ＮＤＰＡとの間にインターフレームスペースが存在する、
請求項７に記載の方法。
【請求項１０】
トリガフレームは、前記トリガフレームのタイプがビームフォーミングレポートポールであることを示すタイプフィールドを含む、請求項７に記載の方法。
【請求項１１】
トリガフレームは、要求されるフィードバックセグメントを示すフィードバックセグメント再送信ビットマップフィールドを含む、請求項７に記載の方法。
【請求項１２】
チャネル状態情報を送信するための機器であって、
ヌルデータパケットアナウンスメント（ＮＤＰＡ）フレームを送信し、ここで前記ＮＤＰＡフレームは、チャネル状態情報をフィードバックする必要がある少なくとも２つのターゲットステーション（ＳＴＡｓ）を指示するフィードバック指示メッセージを搬送し、
ヌルデータパケット（ＮＤＰ）を送信し、ここで前記ＮＤＰは前記ターゲットＳＴＡｓによってチャネル状態情報を判定するのに使用される高効率長トレーニングシーケンスを搬送し、
前記ＮＤＰを送信するステップの後に第１のトリガフレームを送信し、ここで前記第１のトリガフレームは、第１の１または複数の前記ターゲットＳＴＡｓのＳＴＡｓが前記チャネル状態情報をフィードバックする時に、前記第１の１または複数の前記ターゲットＳＴＡｓのＳＴＡｓによって使用される通信リソースを指示するリソーススケジューリングメッセージを搬送し、
前記第１のトリガフレームを送信するステップの後に第２のトリガフレームを送信し、ここで前記第２のトリガフレームは、第２の１または複数の前記ターゲットＳＴＡｓのＳＴＡｓが前記チャネル状態情報をフィードバックする時に、前記第２の１または複数の前記ターゲットＳＴＡｓのＳＴＡｓによって使用される通信リソースを指示するリソーススケジューリングメッセージを搬送する、
ように構成された送信機を備える機器。
【請求項１３】
前記第１のトリガフレームを送信するステップの後に、前記第１の１または複数の前記ターゲットＳＴＡｓのＳＴＡｓによって送信された前記チャネル状態情報を受信し、及び／または
前記第２のトリガフレームを送信するステップの後に、前記第２の１または複数の前記ターゲットＳＴＡｓのＳＴＡｓによって送信された前記チャネル状態情報を受信する、
ように構成された受信機を備える請求項１２に記載の機器。
【請求項１４】
第２のトリガフレームを送信することは、
前記第１の１または複数の前記ターゲットＳＴＡｓのＳＴＡｓのチャネル状態情報が、前記機器により成功裡に受信されなかった時に、前記第２のトリガフレームを送信すること
を備える請求項１２に記載の機器。
【請求項１５】
前記ＮＤＰと前記第１のトリガフレームの間にインターフレームスペースが存在する、及び／または
前記ＮＤＰと前記ＮＤＰＡとの間にインターフレームスペースが存在する、
請求項１２に記載の機器。
【請求項１６】
トリガフレームは、前記トリガフレームのタイプがビームフォーミングレポートポールであることを示すタイプフィールドを含む、請求項１２に記載の機器。
【請求項１７】
トリガフレームは、要求されるフィードバックセグメントを示すフィードバックセグメント再送信ビットマップフィールドを含む、請求項１２に記載の機器。
【請求項１８】
チャネル状態情報を送信するための機器であって、
ヌルデータパケットアナウンスメント（ＮＤＰＡ）フレームを受信し、ここで前記ＮＤＰＡフレームは、チャネル状態情報をフィードバックする必要がある少なくとも２つのターゲットステーション（ＳＴＡｓ）を指示するフィードバック指示メッセージを搬送し、
ヌルデータパケット（ＮＤＰ）を受信し、ここで前記ＮＤＰは前記ターゲットＳＴＡｓによってチャネル状態情報を判定するのに使用される高効率長トレーニングシーケンスを搬送し、前記高効率長トレーニングシーケンスに基づいて前記ＳＴＡによりチャネル状態情報を判定し、
前記ＮＤＰを受信するステップの後に第１のトリガフレームを受信し、ここで前記第１のトリガフレームは、第１の１または複数の前記ターゲットＳＴＡｓのＳＴＡｓが前記チャネル状態情報をフィードバックする時に、前記第１の１または複数の前記ターゲットＳＴＡｓのＳＴＡｓによって使用される通信リソースを指示するリソーススケジューリングメッセージを搬送し、
前記第１のトリガフレームを受信するステップの後に第２のトリガフレームを受信し、ここで前記第２のトリガフレームは、第２の１または複数の前記ターゲットＳＴＡｓのＳＴＡｓが前記チャネル状態情報をフィードバックする時に、前記第２の１または複数の前記ターゲットＳＴＡｓのＳＴＡｓによって使用される通信リソースを指示するリソーススケジューリングメッセージを搬送する、
ように構成された受信機と、
前記高効率長トレーニングシーケンスに基づいて前記チャネル状態情報を判定するように構成されたプロセッサと
を備える機器。
【請求項１９】
前記第１のトリガフレームを受信するステップの後に、前記第１のトリガフレームによって指示された前記通信リソース上で前記チャネル状態情報を送信する、及び／または
前記第２のトリガフレームを受信するステップの後に、前記第２のトリガフレームによって指示された前記通信リソース上で前記チャネル状態情報を送信する
ように構成された送信機、
をさらに備える請求項１８に記載の機器。
【請求項２０】
前記ＮＤＰと前記第１のトリガフレームの間にインターフレームスペースが存在する、及び／または
前記ＮＤＰと前記ＮＤＰＡとの間にインターフレームスペースが存在する、
請求項１８に記載の機器。
【請求項２１】
トリガフレームは、前記トリガフレームのタイプがビームフォーミングレポートポールであることを示すタイプフィールドを含む、請求項１８に記載の機器。
【請求項２２】
トリガフレームは、要求されるフィードバックセグメントを示すフィードバックセグメント再送信ビットマップフィールドを含む、請求項１８に記載の機器。
【外国語明細書】
2019193296000001.pdf